(57)【要約】本発明は旅行用変換装置に係り、プラグ技術分野に属する。当該旅行用変換装置は、ケース（10）と、プラグブッシュシート（11）と、支持フレーム（71）と、ラッチモジュール（12）と、を含み、前記プラグブッシュシート（11）は前記ケース（10）内に設けられ、前記支持フレーム（71）は前記プラグブッシュシート（11）の下に位置し、且つ前記プラグブッシュシート（11）と接続され、複数の前記ラッチモジュール（12）はそれぞれ前記支持フレーム（71）に設けられ、ここで、前記支持フレーム（71）は垂直方向に前記プラグブッシュシート（11）に固定接続され、且つ前記プラグブッシュシート（11）に沿って水平方向に摺動する。当該旅行用変換装置は異なる国のプラグ標準に準拠するプラグを一つの変換装置に集積して、容易に切り替えることができ、複数の国への旅行過程中のプラグ使用の問題を解決できる。
2019501506.tif 000002
【特許請求の範囲】
【請求項１】
ケースと、プラグブッシュシートと、支持フレームと、ラッチモジュールと、を含み、前記プラグブッシュシートは前記ケース内に設けられ、前記支持フレームは前記プラグブッシュシートの下に位置し、且つ前記プラグブッシュシートと接続され、複数の前記ラッチモジュールはそれぞれ前記支持フレームに設けられる旅行用変換装置において、
前記支持フレームは垂直方向に前記プラグブッシュシートに固定接続され、且つ前記プラグブッシュシートに沿って水平方向に摺動することを特徴とする旅行用変換装置。
【請求項２】
前記プラグブッシュシートは位置決め上部ブロックを含み、前記プラグブッシュシートの底面に設けられ、
前記位置決め上部ブロックはさらに下部延長板と水平板とを含み、前記下部延長板は前記位置決め上部ブロックから下に延び、前記水平板は前記下部延長板における前記位置決め上部ブロックに接続されない一端に設けられ、水平に延長され、前記水平板と前記プラグブッシュシートの底面との間には中間層が形成され、
前記支持フレームは前記支持フレームの上端面に設けられる中空部をさらに含み、
前記中空部には位置決め下部ブロックが設けられ、前記位置決め下部ブロックは前記中間層に挿入され、前記支持フレームの前記上端面と面一であり、
前記位置決め下部ブロックの厚さは前記支持フレームの前記上端面の厚さより小さいことを特徴とする請求項１に記載の旅行用変換装置。
【請求項３】
前記プラグブッシュシートには、
前記プラグブッシュシートと前記支持フレームとの間に設けられ、前記支持フレームが摺動した後にリセットされることを可能にする、ばねである弾性装置と、
前記弾性装置を収容するためのばね室と、がさらに設けられ、
前記支持フレームの上端面には、前記弾性装置の一端を押すためのばねストッパーブロックが設けられることを特徴とする請求項１に記載の旅行用変換装置。
【請求項４】
前記支持フレームの上端面には下限位置バックルが設けられ、前記プラグブッシュシートの底面には前記下限位置バックルと適合する上限位置バックルが設けられることを特徴とする請求項１に記載の旅行用変換装置。
【請求項５】
前記ラッチモジュールはラッチベースとラッチとを含み、前記ラッチは前記ラッチベースに設けられ、
前記支持フレームにはさらに位置決めプレートが設けられ、前記位置決めプレートには高位の位置決めステップと低位の位置決めステップとが設けられ、前記低位の位置決めステップは前記高位の位置決めステップの下側に位置し、
前記ラッチベースは、前記高位の位置決めステップにまたは前記低位の位置決めステップに位置決めされることを特徴とする請求項１に記載の旅行用変換装置。
【請求項６】
前記ケースには開口が設けられ、前記支持フレームにはボタンが設けられ、前記ボタンは前記開口から引き出され、前記ボタンはユーザに押されることによって前記支持フレームを前記プラグブッシュシートに対して摺動させることを特徴とする請求項１に記載の旅行用変換装置。
【請求項７】
前記プラグブッシュシートにはＬ極プラグ、Ｎ極プラグ及びラッチが設けられ、前記プラグブッシュシートは外力によってＬ極プラグ、Ｎ極プラグ及びラッチを前記ケースの内部から引き出すまたは前記ケースの内部に収納するようにすることができ、
前記ラッチは前記プラグブッシュシートに対して折り曲げ可能であり、それによって前記ラッチが前記ケースから引き出される時に折り曲げられるようになることを特徴とする請求項１乃至４のいずれか一項に記載の旅行用変換装置。
【請求項８】
前記ラッチは、一端が前記プラグブッシュシートに固定される接地極ベースと、前記接地極ベースの他端に可動的に接続される接地極折り曲げ部と、を含み、前記接地極折り曲げ部は前記接地極ベースに対して折り曲げ可能であることを特徴とする請求項７に記載の旅行用変換装置。
【請求項９】
前記接地極ベースと前記接地極折り曲げ部とは枢動自在に接続されることを特徴とする請求項８に記載の旅行用変換装置。
【請求項１０】
前記接地極折り曲げ部と前記接地極ベースとの接続端には一対のピンジョイント耳部が設けられ、前記接地極ベースには前記ピンジョイント耳部に挟まれるピンジョイント舌部が設けられ、前記ピンジョイント耳部と前記ピンジョイント舌部とはピンジョイント軸を介して接続されることを特徴とする請求項９に記載の旅行用変換装置。
【請求項１１】
前記ラッチは前記接地極折り曲げ部の内部に位置する弾性部材と可動銅ピラーとをさらに含み、前記弾性部材は前記可動銅ピラーに弾力を加え、前記可動銅ピラーと前記ピンジョイント舌部との電気的接触を維持させるを特徴とする請求項１０に記載の旅行用変換装置。
【請求項１２】
前記接地極折り曲げ部が初期直立状態にある時に、前記可動銅ピラーの端面は前記ピンジョイント舌部の端面に当接され、
前記ピンジョイント舌部は、前記接地極折り曲げ部が終点位置まで折れ曲がる時に、前記可動銅ピラーの端面と当接する終点面をさらに含み、前記ピンジョイント軸から前記ピンジョイント舌部の端面までの距離及び前記ピンジョイント軸から前記終点面までの距離の何れも、前記ピンジョイント軸から前記ピンジョイント舌部の前記端面と前記終点面の間の位置の距離より短いことを特徴とする請求項１１に記載の旅行用変換装置。
【請求項１３】
前記接地極折り曲げ部の前記接地極ベースと接続される一端は、前記弾性部材と前記可動銅ピラーを収容するための凹溝を形成するように内側に凹むことを特徴とする請求項１１に記載の旅行用変換装置。
【請求項１４】
前記ラッチが前記ケースから引き出される時に電気的に接続される接地極接続スリーブカバーをさらに含むことを特徴とする請求項７に記載の旅行用変換装置。
【請求項１５】
前記接地極接続スリーブカバーの側壁には、ボス接触面が設けられ、前記ラッチが摺動する時に前記ボス接触面と接触し、電気的に接続することを特徴とする請求項１４に記載の旅行用変換装置。
【請求項１６】
前記接地極ベースは接地極クリップであり、その一端は前記プラグブッシュシートに接続され、前記接地極折り曲げ部は回転自在に前記接地極クリップの他端に接続され、前記接地極クリップは少なくとも一つの側壁が開口された半密閉収容室であり、折り曲げられた後の接地極折り曲げ部を収容することを特徴とする請求項８に記載の旅行用変換装置。
【請求項１７】
弾性片をさらに含み、
前記弾性片は、前記接地極クリップの内部に取り付けられ、前記接地極折り曲げ部が折り曲げられる時に、前記接地極折り曲げ部を弾性支持し、前記接地極折り曲げ部と電気的に接続されることを特徴とする請求項１６に記載の旅行用変換装置。
【請求項１８】
収納溝をさらに含み、前記ラッチは折り曲げられた後に前記収納溝内に収納されることを特徴とする請求項７に記載の旅行用変換装置。
【請求項１９】
調整ガイド構造をさらに含むことを特徴とする請求項７に記載の旅行用変換装置。
【請求項２０】
前記ラッチの位置を制限する受け止め部材をさらに含み、前記受け止め部材は前記ケースに設けられることを特徴とする請求項７に記載の旅行用変換装置。
【請求項２１】
プラグハウジングをさらに含み、前記ラッチモジュールは摺動自在に前記プラグハウジングに設けられ、前記ラッチモジュールと前記プラグハウジングとはプラグアセンブリを構成し、前記プラグアセンブリは前記ケースの内部に設けられて、前記ケースの下端面から引き出されることができ、
前記ラッチモジュールと前記プラグハウジングとの間には第１ロック部材が設けられ、前記第１ロック部材は、前記ラッチモジュールが前記プラグハウジングに対して摺動する時にロック機能またはロック解除機能を提供し、
前記プラグハウジングと前記ケースとの間には第２ロッキング部材が設けられ、前記第２ロック部材は、前記プラグハウジングが前記ケースに対して摺動する時にロック機能またはロック解除機能を提供し、
前記プラグアセンブリが摺動する際に、前記第１ロック部材と前記第２ロック部材は同時にロック状態にならず、また同時にロック解除状態にならず、
前記ラッチモジュールはラッチベースとラッチを含み、前記ラッチは前記ラッチベースに設けられることを特徴とする請求項１乃至４のいずれか一項に記載の旅行用変換装置。
【請求項２２】
前記ラッチには内側に凹むスナップ溝が設けられ、前記ラッチの尾部は前記ラッチベース内に挿入され、前記ラッチベース内には前記スナップ溝内に嵌められるスナップリングが設けられることを特徴とする請求項２１に記載の旅行用変換装置。
【請求項２３】
前記第１ロック部材は、
前記プラグハウジングの外壁に設けられる位置制限ブロックと、
前記位置制限ブロックを受け止めるための前記ケースの前記下端面と、
前記ケース内部に設けられ、前記プラグハウジングの上端面を受け止めるための受け止め部材と、を含み、
前記ケースの前記下端面の内側には、前記位置制限ブロックに対応する位置決めステップがさらに設けられることを特徴とする請求項２１に記載の旅行用変換装置。
【請求項２４】
前記第２ロック部材は、
前記ラッチベースに設けられ、外側に引っ掛けられたスナップフックを有する弾性片と、
それぞれ前記プラグハウジングの内壁に設けられる上側ロック部及び下側ロック部と、を含み、
前記スナップフックは、それぞれ可動的に前記上側ロック部と前記下側ロック部に嵌められることを特徴とする請求項２２に記載の旅行用変換装置。
【請求項２５】
前記プラグハウジングは、
前記プラグハウジングから突出し、前記プラグハウジングの前記内壁に設けられ、前記ラッチに沿って軸方向に配置されるロックバーと、
前記ロックバーに設けられ、前記上側ロック部を形成するロック開口と、
前記ロック開口の下端面からなり、前記プラグハウジングの上端面に対向して設置されるロック開口の斜面と、
前記ロックバーの下端面からなり、前記プラグハウジングの下端面に対向して設置されるロックバー斜面と、
前記スナップフックの下端面に設けられ、前記ロック開口の斜面と適合するスナップフックの斜面と、をさらに含み、
前記スナップフックは、前記プラグハウジングの前記上端面に対向する上斜面と、前記プラグハウジングの前記下端面に対向する下斜面と、を有することを特徴とする請求項２４に記載の旅行用変換装置。
【請求項２６】
前記プラグハウジングは、
前記プラグハウジングの内壁に開口され、前記上側ロック部を形成するための第１ロック孔と、
前記プラグハウジングの内壁に開口され、前記下側ロック部を形成するための第２ロック孔と、をさらに含むことを特徴とする請求項２４に記載の旅行用変換装置。
【請求項２７】
前記第１ロック部材は、
前記プラグハウジングの外壁に設けられる位置制限ブロックと、
前記位置制限ブロックを受け止めるための前記ケースの前記下端面と、
前記プラグハウジングの壁面の尾部に開口されるスナップ孔と、
前記ケースの内壁に設けられるロック突起と、を含み、
前記ロック突起は可動的に前記スナップ孔内に嵌められ、
前記第２ロック部材は、
前記ラッチベースに設けられ、外側に引っ掛けられたスナップフックを有する弾性片と、
前記プラグハウジングの内壁に開口され、前記スナップフックが可動的に嵌められるロック孔と、を含むことを特徴とする請求項２１に記載の旅行用変換装置。
【請求項２８】
前記ケースの一側面に固定して設けられ、複数の第１摺動路がそれぞれ設けられ、各上下に延びる前記第１摺動路にそれぞれ直交する位置制限プレートと、
前記第１摺動路と一対一で対応する複数のプラグと、
前記位置制限プレートに平行に設けられ、各前記第１摺動路と一対一で対応する第２摺動路がそれぞれ設けられたスライド式インターロックスライドプレートと、をさらに含み、
各前記プラグにスライドボタン及びロックガイドピラーがそれぞれ設けられ、前記スライドボタンは、対応する前記プラグの前記第１摺動路を貫通し、前記ロックガイドピラーは、対応する前記プラグの前記第２摺動路内に延び、前記第２摺動路に沿って上下に摺動することができ、前記ロックガイドピラーが摺動する時に前記インターロックスライドプレートをガイドして左右に摺動させ、
前記第１摺動路は全て直線形状のガイド溝の摺動路であり、前記第２摺動路は全て折れ線形状のガイド溝の摺動路であることを特徴とする請求項１乃至６のいずれか一項に記載の旅行用変換装置。
【請求項２９】
各前記第２摺動路は、
対応する前記第２摺動路の上端に位置されるロックステップと、
対応する前記ロックステップの下に位置され、上端は上に延び、且つ前記ロックステップの中部にガイドピラー入り口が形成される下側折り畳み摺動路と、をそれぞれ含み、
一つの前記プラグに対応する前記ロックガイドピラーを前記第２摺動路に沿って下に摺動させることで、前記インターロックスライドプレートを、他の前記プラグの前記ロックガイドピラーに対応する前記ロックガイドピラー入り口と全てずらした位置まで左右摺動させることを特徴とする請求項２８に記載の旅行用変換装置。
【請求項３０】
前記インターロックスライドプレートは第１インターロックスライドプレートと第２インターロックスライドプレートを含み、
前記第１インターロックスライドプレートと前記第２インターロックスライドプレートとは相互に平行であり、前記第１インターロックスライドプレートと前記第２インターロックスライドプレートとの間は接続プレートを介して相互に接続され、
前記第２インターロックスライドプレートは前記第１インターロックスライドプレートと前記位置制限プレートとの間に位置することを特徴とする請求項２８に記載の旅行用変換装置。
【請求項３１】
全ての前記第２摺動路において、前記第２インターロックスライドプレートに設けられた一つの前記第２摺動路のみを含み、前記第２インターロックスライドプレートに設けられた前記第２摺動路以外の前記第２摺動路は、前記第１インターロックスライドプレートに設けられることを特徴とする請求項３０に記載の旅行用変換装置。
【請求項３２】
前記プラグはヨーロッパ標準プラグ、アメリカ標準プラグ、イギリス標準プラグ及びオーストラリア標準プラグを含み、
前記イギリス標準プラグは前記アメリカ標準プラグまたは前記オーストラリア標準プラグを取り囲み、
前記アメリカ標準プラグに対応する前記ロックガイドピラーは、前記第２インターロックスライドプレートの前記第２摺動路内に延びる、または
前記オーストラリア標準プラグに対応する前記ロックガイドピラーは、前記第２インターロックスライドプレートの前記第２摺動路内に延びることを特徴とする請求項３０に記載の旅行用変換装置。
【請求項３３】
前記第２摺動路の上端と下端との間には斜め摺動路が設けられ、
いずれか二つの前記第２摺動路の前記斜め摺動路の延長線は交差する、または
少なくとも二つの前記第２摺動路の前記斜め摺動路は相互に平行であり、且ついずれか二つの相互に平行する前記斜め摺動路は長さが異なることを特徴とする請求項２８に記載の旅行用変換装置。
【請求項３４】
前記ケースには、
それぞれ前記ケースの内部に設けられ、それぞれ端子を含み、少なくとも二つの異なる国の電源プラグ規格にそれぞれ対応するプラグと、
前記ケースに設けられ、前記プラグが操作可能に引き出され、又は前記ケースの内部に引き込まれる引き出し面と、
前記ケースに設けられ、前記引き出し面を覆い、異なる前記端子を伸縮させる第１貫通孔が設けられるカバープレートと、
前記引き出し面と前記カバープレートとの間に摺動自在に設けられ、摺動過程において前記プラグの前記端子をブロックすることで、毎回前記ケースから多くて一つの前記プラグを提供して前記第１貫通孔から引き出す摺動バッフルと、をさらに含むことを特徴とする請求項１乃至６のいずれか一項に記載の旅行用変換装置。
【請求項３５】
位置決め構造をさらに含み、
前記位置決め構造は前記プラグの数に対応する位置決めポイントを含み、前記位置決め構造は、前記摺動バッフルを操作可能に前記位置決めポイントの所に位置決めし、前記位置決めポイントは異なる前記プラグにそれぞれ関連づけられ、
前記摺動バッフルが前記位置決めポイントに位置決めされた場合、前記位置決めポイントと関連のない前記プラグに対応する前記第１貫通孔をブロックすることを特徴とする請求項３４に記載の旅行用変換装置。
【請求項３６】
前記摺動バッフルにはさらに第２貫通孔が設けられ、前記第２貫通孔は異なる前記プラグに対応し、
前記摺動バッフルが前記位置決めポイントに位置決めされた場合、前記第２貫通孔と前記第１貫通孔とは重畳することで、前記位置決めポイントに関連する前記プラグの前記端子が引き出されるようにすることを特徴とする請求項３５に記載の旅行用変換装置。
【請求項３７】
前記位置決め構造は前記摺動バッフルに設けられた突起と、複数の凹溝をさらに含み、前記複数の凹溝は前記カバープレートに設けられ、前記突起の位置に対応し、前記摺動バッフルの移動を制限し、各前記凹溝と前記位置決めポイントは一対一で対応することを特徴とする請求項３５に記載の旅行用変換装置。
【請求項３８】
前記カバープレートには前記摺動バッフルに対応する開口がさらに設けられ、前記開口は少なくとも一つの前記プラグに対応する前記第１貫通孔と一致し、前記凹溝は前記開口の内壁に設けられ、
前記摺動バッフルは前記摺動バッフルを操作し摺動させる操作部をさらに含み、前記操作部は前記摺動バッフルの前記カバープレートに対向する一面に設けられ、前記開口内に位置されることを特徴とする請求項３７に記載の旅行用変換装置。
【請求項３９】
前記摺動バッフルの一側には突出部が設けられ、
前記突出部は、前記引き出し面の伸び方向に沿って前記引き出し面及び前記カバープレートから引き出され、前記突出部の前記引き出し面及び前記カバープレートから引き出される一側には、前記カバープレートに対向する凸型ブロックが設けられ、前記突起は前記凸型ブロックの前記カバープレートに対向する一側に設けられ、前記凹溝は前記カバープレートの前記凸型ブロックに対向する一面に設けられることを特徴とする請求項３７に記載の旅行用変換装置。
【請求項４０】
前記摺動バッフルは前記摺動バッフルを操作し摺動させる操作部を含み、前記操作部は前記凸型ブロックに設けられることを特徴とする請求項３９に記載の旅行用変換装置。
【請求項４１】
前記摺動バッフルは摺動可能に前記引き出し面に接続されたガイド構造を通過し、
前記ガイド構造は、
前記摺動バッフルの摺動方向に沿って前記引き出し面に設けられるスライド溝と、
前記摺動バッフルの前記引き出し面に対向する一面に設けられ、摺動自在に前記スライド溝内に嵌め込まれる摺動突起と、をさらに含むことを特徴とする請求項３８に記載の旅行用変換装置。
【請求項４２】
前記摺動バッフルは摺動自在に前記カバープレートに接続されたガイド構造を貫通し、
前記ガイド構造は、前記摺動バッフルの摺動方向に対応し、前記カバープレート構造に平行に設けられ、対向して設けられる一対の位置制限溝をさらに含み、
前記摺動バッフルの両側の縁は摺動自在に前記位置制限溝に嵌め込まれることを特徴とする請求項３４に記載の旅行用変換装置。
【請求項４３】
前記ケースの側面にそれぞれ設けられ、上下に延びる複数の第１摺動路と、
前記ケースの内部にそれぞれ設けられ、対応する前記第１摺動路に沿って伸縮自在な、前記第１摺動路と一対一で対応する複数のプラグであって、各前記プラグには対応するプローブが設けられる複数のプラグと、
前記ケースの内部に設けられ、且つ前記プラグと対応する前記第１摺動路との間に位置し、前記プローブが前記第１摺動路から伸びることを阻止する感電防止遮断部材と、をさらに含むことを特徴とする請求項１乃至６のいずれか一項に記載の旅行用変換装置。
【請求項４４】
前記感電防止遮断部材は、
前記ケースの内部にそれぞれ設けられ、且つ前記プラグと対応する前記第１摺動路との間に位置し、前記第１摺動路と一対一に対応し、前記第１摺動路を遮断する複数の遮断ガイドピラーをさらに含み、
前記遮断ガイドピラーは前記第１摺動路に沿って延びることを特徴とする請求項４３に記載の旅行用変換装置。
【請求項４５】
各前記プラグにはそれぞれ対応するスライドボタンが設けられ、前記スライドボタンは、前記第１摺動路を貫通し、前記プラグをガイドして前記第１摺動路に沿って上下に移動し、
前記スライドボタンには前記遮断ガイドピラーと対応するガイド貫通孔が設けられ、前記遮断ガイドピラーは前記ガイド貫通孔内に設けられることを特徴とする請求項４４に記載の旅行用変換装置。
【請求項４６】
前記ラッチモジュールはラッチベースとラッチとを含み、前記ラッチは前記ラッチベースと前記ケースの底面との間に設けられ、
複数の前記遮断ガイドピラーの内の少なくとも一つの遮断ガイドピラーは前記ラッチベースに設けられ、他の前記遮断ガイドピラーは前記ケースの内側底面に設けられことを特徴とする請求項４４または４５に記載の旅行用変換装置。
【請求項４７】
前記感電防止遮断部材は、
前記ケースの内部に設けられ、前記プラグと対応する前記第１摺動路との間に位置するプローブバッフルと、
前記プローブバッフルに対応されて設けられる第２摺動路であって、前記プラグに設けられたスライドボタンは前記プラグに対応する前記第２摺動路と前記第１摺動路を順次に貫通する第２摺動路と、を含むことを特徴とする請求項４３に記載の旅行用変換装置。
【請求項４８】
前記感電防止遮断部材は、
前記ケースの内部にそれぞれ設けられ、前記プラグと対応する前記第１摺動路との間に位置し、前記第１摺動路と一対一で対応し、且つ前記第１摺動路を遮断し、前記第１摺動路に沿って延びる少なくとも一つの遮断ガイドピラーと、
それぞれ前記ケースの内部に設けられ、それぞれ前記プラグと対応する前記第１摺動路との間に位置する少なくとも一つのプローブバッフルと、をさらに含み、
前記第１摺動路は第１類摺動路と第２類摺動路を含み、前記第１類摺動路と前記遮断ガイドピラーとは一対一で対応し、前記第２類摺動路と少なくとも一つのプローブバッフルとは一対一で対応し、
少なくとも一つの前記プローブバッフルは前記ケースの内部にそれぞれ設けられ、前記プラグと対応する前記第１摺動路との間にそれぞれ位置し、
各前記プラグにはスライドボタンが対応して設けられ、前記スライドボタンは対応する前記第２摺動路を貫通し、前記第２摺動路に沿って上下に摺動し、同時に前記プローブバッフルをガイドして左右に摺動させることを特徴とする請求項４３に記載の旅行用変換装置。
【請求項４９】
前記ケースはプラグ分布面を有し、
前記ケース内には伸縮自在なプラグが設けられ、前記伸縮自在なプラグは前記プラグ分布面を介して前記ケース内外で伸縮し、
前記伸縮自在なプラグは接地極端子を有するイギリス標準プラグをさらに含み、接地極端子を有するアメリカ標準プラグまたは接地極端子を有するオーストラリア標準プラグをさらに含み、
前記アメリカ標準プラグまたはオーストラリア標準プラグは、全体的にイギリス標準プラグの前記接地極端子とＬＮ極端子との間に配置されることを特徴とする請求項１乃至６のいずれか一項に記載の旅行用変換装置。
【請求項５０】
前記アメリカ標準プラグが全体的に前記イギリス標準プラグの前記接地極端子と前記ＬＮ極端子との間に配置された時に、前記アメリカ標準プラグの前記接地極端子と前記イギリス標準プラグの前記接地極端子は背向に設けられる、または、
前記オーストラリア標準プラグが全体的に前記イギリス標準プラグの前記接地極端子と前記ＬＮ極端子との間に配置された時に、前記オーストラリア標準プラグの前記接地極端子と前記イギリス標準プラグの前記接地極端子は背向に設けられることを特徴とする請求項４９に記載の旅行用変換装置。
【請求項５１】
前記伸縮自在なプラグはヨーロッパ標準プラグをさらに含み、
前記ヨーロッパ標準プラグは、前記イギリス標準プラグの前記接地極端子が位置する一側に設けられ、
前記ヨーロッパ標準プラグのプラグピラーには前記イギリス標準プラグの前記接地極端子に適合する第１ノッチが設けられ、前記イギリス標準プラグの前記接地極端子は少なくとも一部が前記第１ノッチ内に嵌め込まれることを特徴とする請求項４９に記載の旅行用変換装置。
【請求項５２】
前記伸縮自在なプラグはヨーロッパ標準プラグをさらに含み、
前記ヨーロッパ標準プラグは前記イギリス標準プラグの前記ＬＮ極端子が位置する一側に設けられ、
前記ヨーロッパ標準プラグのプラグピラーには前記イギリス標準プラグの前記ＬＮ極端子に適合する第２ノッチが設けられ、前記イギリス標準プラグの前記ＬＮ極端子は少なくとも一部が前記第２ノッチ内に嵌め込まれることを特徴とする請求項４９に記載の旅行用変換装置。
【請求項５３】
前記アメリカ標準プラグが全体的に前記イギリス標準プラグの前記接地極端子と前記ＬＮ極端子との間に設けられた時に、前記オーストラリア標準プラグと前記ヨーロッパ標準プラグとは、前記イギリス標準プラグの両側にそれぞれ対向的に配置されることを特徴とする請求項５１または５２に記載の旅行用変換装置。
【請求項５４】
前記オーストラリア標準プラグが全体的に前記イギリス標準プラグの前記接地極端子と前記ＬＮ極端子との間に設けられた時に、前記アメリカ標準プラグと前記ヨーロッパ標準プラグとは前記イギリス標準プラグの両側にそれぞれ対向的に配置され、
全ての前記伸縮自在なプラグの前記接地極端子は同じ直線上に設けられることを特徴とする請求項５１または５２に記載の旅行用変換装置。
【請求項５５】
前記プラグ分布面には安全カバーが設けられ、前記安全カバー内には安全素子が設けられ、
前記安全カバーと前記ヨーロッパ標準プラグとは前記イギリス標準プラグの両側にそれぞれ対向的に設けられることを特徴とする請求項５１または５２に記載の旅行用変換装置。
【請求項５６】
前記ケースの一側面にそれぞれ設けられる複数のスライド溝と、
前記スライド溝と共に前記ケースの同じ側面に設けられる複数のＵＳＢソケットと、
各前記スライド溝内にそれぞれ設けられ、対応する前記伸縮自在なプラグを接続するトグルバーとスライドボタンと、をさらに含むことを特徴とする請求項４９に記載の旅行用変換装置。
【請求項５７】
前記ラッチモジュールはラッチベース及びラッチを含み、前記ラッチは前記ラッチベースに設けられ、
前記支持フレームには接地極プラグブッシュと、前記ラッチのプラグとが設けられ、前記プラグは挿入及び抜き出し方向に沿って摺動し、
前記ラッチは、前記接地極プラグブッシュに固定される固定部分と、前記固定部分と摺動自在なソケット継手関係を形成するラッチヘッドと、を含み、
前記ラッチヘッドと、前記固定部分と前記接地極プラグブッシュとの間は、電気的に接続することを特徴とする請求項１乃至４のいずれか一項に記載の旅行用変換装置。
【請求項５８】
前記ケースは前面カバーと背面カバーとを含み、前記前面カバーと前記背面カバーとは係合して空洞を形成し、前記空洞内には前記接地極プラグブッシュが設けられ、
前記プラグはアメリカ標準プラグおよび/またはヨーロッパ標準プラグを含み、
前記アメリカ標準プラグおよび/または前記ヨーロッパ標準プラグに適合する前記ラッチは伸縮式接地極ラッチであり、前記固定部分は導電ピラーを形成することを特徴とする請求項１に記載の旅行用変換装置。
【請求項５９】
前記プラグはオーストラリア標準プラグおよび/またはイギリス標準プラグをさらに含み、
前記オーストラリア標準プラグおよび/または前記イギリス標準プラグに適合する前記ラッチは非伸縮式接地極ラッチであり、前記ラッチは第１接続弾性片を介して導電板と挟まれ、電気的に接続され、
前記導電板と前記接地極プラグブッシュは電気的に接続されることを特徴とする請求項５８に記載の旅行用変換装置。
【請求項６０】
前記プラグはアメリカ標準プラグおよび/またはヨーロッパ標準プラグを含み、前記アメリカ標準プラグおよび/または前記ヨーロッパ標準プラグに適合する前記ラッチは伸縮式接地極ラッチであり、
前記プラグはオーストラリア標準プラグおよび/またはイギリス標準プラグをさらに含み、前記オーストラリア標準プラグおよび/またはイギリス標準プラグに適合する前記ラッチは非伸縮式接地極ラッチであり、
前記非伸縮式接地極ラッチは第２接続弾性片を介していずれか一つの前記伸縮式接地極ラッチと挟まれ、電気的に接続され、
前記第２接続弾性片は導電板に固定されることを特徴とする請求項５８に記載の旅行用変換装置。
【請求項６１】
前記ラッチモジュールは、ラッチベース及びラッチを含み、前記ラッチは前記ラッチベースに設けられ、前記ラッチベースは前記ケースの内部の上側に設けられ、
前記ケースの内部にはプラグベースが設けられ、前記プラグベースは前記ラッチベースの下に設けられ、
前記ラッチは前記ラッチを前記ラッチベースに固定するガイドピラーを含み、前記ラッチは前記ガイドピラーにスリーブされ、
前記プラグベースにはＬＮ極端子が設けられ、前記ラッチと適合するバックルが更に設けられることを特徴とする請求項１乃至６のいずれか一項に記載の旅行用変換装置。
【請求項６２】
前記ラッチの上端には前記バックルと適合するジャーナルが設けられ、
前記ジャーナルの下端面にテーパ状のガイド面が設けられることを特徴とする請求項６１に記載の旅行用変換装置。
【請求項６３】
前記ラッチの上端には前記バックルと適合するボスが設けられ、
前記ボスの下端面にはテーパ状のガイド面が設けられ、
前記バックルには前記ボスと適合する凹部が設けられることを特徴とする請求項６１に記載の旅行用変換装置。
【請求項６４】
前記プラグベースには位置制限弾性片が設けられ、前記位置制限弾性片は弾性片シートに設けられることを特徴とする請求項６１に記載の旅行用変換装置。
【請求項６５】
前記ケースにはプラグが設けられ、前記プラグは分離可能に操作される接地極モジュールとＬＮ極モジュールとを含み、前記接地極モジュールは接地極ベースと前記接地極ベースに固定されるラッチを含み、前記ＬＮ極モジュールはＬＮ極ベースと前記ＬＮ極ベースに固定されるＬＮ極ラッチを含み、前記接地極ベースは前記ＬＮ極ベースの上に重ねられ、
前記プラグが第１使用状態にある場合、前記ＬＮ極モジュールは独立的に前記ケースから引き出され、
前記プラグが第２使用状態にある場合、前記接地極モジュールは前記ＬＮ極モジュールをガイドして前記ケースから引き出し、
前記プラグが収納状態にある場合、前記ＬＮ極モジュールは前記接地極モジュールを案内して摺動して前記ケースに引き込み、
さらにロックモジュールを含み、前記ロックモジュールは、
前記プラグが前記第１使用状態にある場合、それぞれ前記接地極モジュールを引き込み位置にロックし、前記ＬＮ極モジュールを引き出し位置にロックし、
前記プラグが前記第２使用状態にある場合、前記接地極モジュールと前記ＬＮ極モジュールとを共に引き出し位置にロックし、
前記プラグが前記収納状態にある場合、前記接地極モジュールと前記ＬＮ極モジュールとを共に引き込み位置にロックすることを特徴とする請求項１乃至４のいずれか一項に記載の旅行用変換装置。
【請求項６６】
前記ロックモジュールは、
移動スタンド及び少なくとも一つの弾性部を含み、
前記移動スタンドは水平方向に動作可能であり、前記少なくとも一つの弾性部は前記ケースと前記移動スタンドとの間に接続され、前記移動スタンドが水平方向の力を受けて水平方向に移動する場合、前記少なくとも一つの弾性部は弾性変形し、前記ロックモジュールが前記接地極モジュールと前記ＬＮ極モジュールとに対するロックを解除することで、前記接地極モジュールと前記ＬＮ極モジュールとが前記第１使用状態と、前記第２使用状態と、前記収納状態との間で切り替わり、前記水平方向の力が取り消された場合、前記少なくとも一つの弾性部の弾性復元力は前記移動スタンドを押して、前記ロックモジュールが前記接地極モジュールと前記ＬＮ極モジュールとに対するロックを復元するようにすることを特徴とする請求項６５に記載の旅行用変換装置。
【請求項６７】
前記ロックモジュールは前記移動スタンドに垂直に接続する第１位置制限ピラーを含み、前記第１位置制限ピラーは、
前記移動スタンドがロック位置に位置し、且つ前記プラグが前記第１使用状態にある場合、前記接地極モジュールを前記引き込み位置に位置決めし、
前記移動スタンドがロッキング位置に位置し、且つ前記プラグが前記第２使用状態にある場合、前記接地極モジュールと前記ＬＮ極モジュールとを前記引き出し位置に位置決めすることを特徴とする請求項６６に記載の旅行用変換装置。
【請求項６８】
前記ロックモジュールは前記移動スタンドに垂直に接続する第２位置制限ピラーを含み、前記第２位置制限ピラーは、
前記移動スタンドがロッキング位置に位置し、且つ前記プラグが前記第１使用状態にある場合、前記ＬＮ極モジュールを前記引き出し位置に位置決めし、
前記移動スタンドがロッキング位置に位置し、且つ前記プラグが前記収納状態にある場合、前記ＬＮ極モジュールと前記接地極モジュールを前記引き込み位置に位置決めすることを特徴とする請求項６７に記載の旅行用変換装置。
【請求項６９】
前記第１位置制限ピラーは、
前記接地極ベースの下方に当接し、前記接地極モジュールを前記引き込み位置に位置決めし、頂部に位置する第１ロック面と、
前記接地極ベースの上方に当接し、前記接地極モジュールを前記引き出し位置に位置決めし、底部に位置する第２ロック面と、を含むことを特徴とする請求項６７に記載の旅行用変換装置。
【請求項７０】
前記第２位置制限ピラーは、
前記ＬＮ極ベースの下方に当接し、前記ＬＮ極モジュールを前記引き込み位置に位置決めし、頂部に位置する第１ロック面と、
前記ＬＮ極ベースの上方に当接し、前記ＬＮ極モジュールを前記引き出し位置に位置決めし、底部に位置する第２ロック面と、を含むことを特徴とする請求項６８に記載の旅行用変換装置。
【請求項７１】
前記接地極モジュールおよび/または前記ＬＮ極モジュールには、前記第１位置制限ピラーと前記第２位置制限ピラーと係合するガイド溝が設けられ、
前記移動スタンドが操作位置に位置する場合、前記第１位置制限ピラーの位置と前記第２位置制限ピラーの位置とは前記ガイド溝の位置に対応することにより、前記接地極モジュールと前記ＬＮ極モジュールとが上下に摺動されるようにガイドし、
前記移動スタンドがロック位置に位置する場合、前記第１位置制限ピラーの位置と前記第２位置制限ピラーの位置とは前記ガイド溝の位置に対応しないことにより、前記接地極モジュールと前記ＬＮ極モジュールとがロックされることを特徴とする請求項６８に記載の旅行用変換装置。
【請求項７２】
前記接地極モジュールと前記ＬＮ極モジュールには、前記第１位置制限ピラーと前記第２位置制限ピラーとが貫通するガイド孔が設けられ、
前記移動スタンドが操作位置に位置する場合、前記第１位置制限ピラーの位置と前記第２位置制限ピラーの位置とは前記ガイド孔の位置に対応することにより、前記接地極モジュールと前記ＬＮ極モジュールとが上下に摺動されるようにガイドし、
前記移動スタンドがロック位置に位置する場合、前記第１位置制限ピラーの位置と前記第２位置制限ピラーの位置とは前記ガイド孔の位置に対応しないことにより、前記接地極モジュールと前記ＬＮ極モジュールとがロックされることを特徴とする請求項６８に記載の旅行用変換装置。
【請求項７３】
前記ＬＮ極ベースには接地極ベースと係合するスロットが設けられ、前記接地極ベースは少なくとも一部が前記スロットに収容されることを特徴とする請求項６５に記載の旅行用変換装置。
【請求項７４】
前記ケースには、
少なくとも一つのプラグと、
前記プラグが伸縮構造を介して操作可能に前記ケースから引き出され、又は前記ケースに引き込まれる引き出し面と、が、さらに設けられ、
前記伸縮構造はさらに前記ケースから引き出されるスライドボタンを含み、且つ前記ケースには前記スライドボタンを摺動させるためのガイド溝が設けられ、前記スライドボタンは、前記プラグが前記ケース内に引き込まれる第１位置と前記プラグが前記引き出し面から引き出される第２位置との間で摺動され、
前記ケース内には、
前記ガイド溝が位置する一側に設けられ、且つ摺動自在に前記ケース内に設けられ、前記ガイド溝を開閉する第１バッフルゲートと、
前記第１バッフルゲートと同じ側に設けられ、且つ摺動自在に前記ケースの内部に設けられ、前記ガイド溝を開閉する第２バッフルゲートと、
前記第１バッフルゲートと前記ケースとの間に設けられ、前記スライドボタンが前記第２位置に位置する場合、前記第１バッフルゲートを使用して前記第１バッフルゲートと前記ガイド溝とが対応する領域を閉塞する第１弾性部と、
前記第２バッフルゲートと前記ケースとの間に設けられ、前記スライドボタンが前記第１位置に位置する場合、前記第２バッフルゲートを使用して前記第２バッフルゲートと前記ガイド溝とが対応する領域を閉塞する第２弾性部とが、さらに設けられることを特徴とする請求項１乃至６のいずれか一項に記載の旅行用変換装置。
【請求項７５】
前記ケースは、
前記ガイド溝が設けられる操作面と、
前記ケース内に設けられ、且つ前記操作面に直交する前記ケースの内部構造に位置し、前記第１バッフルゲートと前記第２バッフルゲートとの摺動方向での移動範囲を制限する第１位置制限構造と、
前記ケース内に設けられ、且つ前記操作面に直交する前記ケースの内部構造に位置し、前記第１バッフルゲートと前記第２バッフルゲートが前記操作面方向との夾角が０度より大きい方向に向かって移動することを防止する第２位置制限構造と、をさらに含むことを特徴とする請求項７４に記載の旅行用変換装置。
【請求項７６】
前記第１位置制限構造は前記ガイド溝の両側にそれぞれ設けられる二つの第１突起を含み、
前記第２位置制限構造は前記二つの第１突起にそれぞれ直交して設けられる二つの第２突起を含み、前記二つ第２突起の間には隙間が設けられることにより、前記スライドボタンが引き出されることを特徴とする請求項７５に記載の旅行用変換装置。
【請求項７７】
前記第１位置制限構造と前記第２位置制限構造とは、主にそれぞれ前記ガイド溝の両側に設けられた一対のガイド溝からなり、前記一対のガイド溝の間には隙間が設けられることにより、前記スライドボタンが引き出されることを特徴とする請求項７５に記載の旅行用変換装置。
【請求項７８】
前記第１バッフルゲートは一対の第１面取り部を含み、前記一対の第１面取り部はそれぞれ前記第１バッフルゲートの上下両端に設けられることで、前記操作部が前記ガイド溝に沿って移動する時に、前記第１バッフルゲートが前記ガイド溝をブロックする位置から離れるようにガイドし、
前記第２バッフルゲートは、一対の第２面取り部を含み、前記一対の第２面取り部はそれぞれ前記第２バッフルゲートの上下両端設けられることで、前記操作部が前記ガイド溝に沿って移動する時に、前記第２バッフルゲートが前記ガイド溝をブロックする位置から離れるようガイドすることを特徴とする請求項７４に記載の旅行用変換装置。
【請求項７９】
前記第１バッフルゲートと前記第２バッフルゲートとは、接続構造を介して前記第１バッフルゲート及び前記第２バッフルゲートに平行な移動方向に沿って、摺動自在に接続されることを特徴とする請求項７４に記載の旅行用変換装置。
【請求項８０】
前記接続構造は前記第１バッフルゲートに設けられる第３突起と、前記第２バッフルゲートに設けられ且つ前記第３突起と係合する第４突起とを含み、前記第１バッフルゲートと前記第２バッフルゲートとは前記第３突起及び前記第４突起を介して摺動自在に接続されることを特徴とする請求項７９に記載の旅行用変換装置。
【請求項８１】
前記ケース内には少なくとも一つのプラグが設けられ、前記プラグは伸縮構造を介して操作可能に前記ケースから引き出され、又は前記ケースに引き込まれ、
前記旅行用変換装置は、
前記プラグの数と対応する導電構造セットが設けられ、各前記導電構造セットはそれぞれＬ極導電構造及びＮ極導電構造を含み、全ての前記Ｌ極導電構造は第１Ｌ極接続点によって相互に接続され、全ての前記Ｎ極導電構造は第１Ｎ極接続点によって相互に接続される第１導電構造と、
少なくとも一つの出力プラグブッシュセットが設けられ、各前記出力プラグブッシュセットはそれぞれＬ極出力プラグブッシュとＮ極出力プラグブッシュとを含み、各前記Ｌ極出力プラグブッシュと前記第１Ｌ極接続点とは電気的に接続され、各前記Ｎ極出力プラグブッシュと前記第１Ｎ極接続点とは電気的に接続される第２導電構造と、をさらに含み、
各前記プラグは複数のラッチセットを含み、各前記ラッチセットはＬ極ラッチとＮ極ラッチを含み、各前記ラッチセットと前記導電構造セットとは一対一で対応し、
前記プラグが前記ケースから引き出される場合、前記Ｌ極ラッチは対応する前記導電構造セットの前記Ｌ極導電構造と電気的に接続され、前記Ｎ極ラッチは対応する前記導電構造セットの前記Ｎ極導電構造と電気的に接続されることを特徴とする請求項１乃至６のいずれか一項に記載の旅行用変換装置。
【請求項８２】
前記導電構造セットは全て導電プラグブッシュセットであり、前記Ｌ極導電構造は全てＬ極導電プラグブッシュであり、前記Ｎ極導電構造は全てＮ極導電プラグブッシュであり、
各前記ラッチセットは、それぞれ前記Ｌ極ラッチに対応されて接続されたＬ極導電挿入片と前記Ｎ極ラッチに対応されて接続されたＮ極導電挿入片を含み、
前記プラグが前記ケースから引き出される場合、前記Ｌ極導電挿入片は前記プラグの引き出し動作に応じて対応する前記導電プラグブッシュセットの前記Ｌ極導電プラグブッシュに挿入され、前記Ｎ極導電挿入片は前記プラグの引き出し動作に応じて対応する前記導電プラグブッシュセットの前記Ｎ極導電プラグブッシュに挿入されることを特徴とする請求項８１に記載の旅行用変換装置。
【請求項８３】
前記第１導電構造は、
前記導電構造セットが設けられ、対応する前記導電構造セットの前記ラッチが貫通する貫通孔をさらに含む第１導電板と、
前記第１導電板に設けられ且つ前記第１Ｌ極接続点に接続され、各前記導電構造セットの前記Ｌ極導電構造は第１Ｌ極導電線を介して電気的に接続される第１Ｌ極導電線と、
前記第１導電板に設けられ且つ前記第１Ｎ極接続点に接続され、各前記導電構造セットの前記Ｎ極導電構造は第１Ｎ極導電線を介して電気的に接続される第１Ｎ極導電線と、を含むことを特徴とする請求項８１に記載の旅行用変換装置。
【請求項８４】
前記第１Ｌ極導電線はパターニングされた銅箔線導電層であり、および/または
前記第１Ｎ極導電線はパターニングされた銅箔線導電層であることを特徴とする請求項８３に記載の旅行用変換装置。
【請求項８５】
前記ケースに設けられた前記プラグブッシュシートは前記第２導電構造に設けられ、前記出力プラグブッシュシートは前記プラグブッシュシートに設けられ、
前記第２導電構造は、
第２Ｌ極導電線と、第２Ｎ極導電線とをさらに含み、
前記第２Ｌ極導電線が前記プラグブッシュシートに設けられ、前記出力プラグブッシュセットの前記Ｌ極出力プラグブッシュは前記第２Ｌ極導電線に接続され、前記第２Ｌ極導電線には第２Ｌ極接続点が設けられ、前記第２Ｌ極接続点と前記第１Ｌ極接続点とは電気的に接続され、
前記第２Ｎ極導電線が前記プラグブッシュシートに設けられ、前記出力プラグブッシュセットの前記Ｎ極出力プラグブッシュは前記第２Ｎ極導電線に接続され、前記第２Ｎ極導電線には第２Ｎ極接続点が設けられ、前記第２Ｎ極接続点と前記第１Ｎ極接続点とは電気的に接続されることを特徴とする請求項８１に記載の旅行用変換装置。
【請求項８６】
前記第１Ｌ極接続点は第１フィレットであり、前記第２Ｌ極接続点は第２フィレットであり、前記第１フィレットと前記第２フィレットとの間はＬ極接続線を介して電気的に接続され、
前記第１Ｎ極接続点は第３フィレットであり、前記第２Ｎ極接続点は第４フィレットであり、前記第３フィレットと前記第４フィレットとの間はＮ極接続線を介して電気的に接続されることを特徴とする請求項８５に記載の旅行用変換装置。
【請求項８７】
前記Ｌ極接続線は第２導電板に設けられたパターニングされた銅箔線導電層であり、前記Ｎ極接続線は前記第２導電板に設けられたパターニングされた銅箔線導電層であり、または前記Ｌ極接続線と前記Ｎ極接続線はジャンパーであることを特徴とする請求項８６に記載の旅行用変換装置。
【請求項８８】
ＵＳＢインターフェースが設けられた第４導電構造を更に含み、前記第４導電構造と前記第１導電構造とは電気的に接続され、
前記第１Ｌ極接続点は第１プラグブッシュであり、前記第４導電構造は前記第１プラグブッシュに挿入して電気的接続を形成する第１ラッチを含み、および/または
前記第１Ｎ極接続点は第２プラグブッシュであり、前記第４導電構造は前記第２プラグブッシュに挿入して電気的接続を形成する第２ラッチを含むことを特徴とする請求項８１に記載の旅行用変換装置。
【請求項８９】
前記プラグは、イギリスのプラグ標準に適合するイギリス標準プラグ、イタリアのプラグ標準に適合する的イタリア標準プラグ、オーストラリアのプラグ標準に適合するオーストラリア標準プラグ及びアメリカのプラグ標準に適合するアメリカ標準プラグを含むことを特徴とする請求項８１に記載の旅行用変換装置。
【請求項９０】
前記少なくとも一つの出力プラグブッシュセットは、
一組の二孔ソケット出力プラグブッシュセットと、一組の三孔ソケット出力プラグブッシュセットとを含み、且つ前記二孔ソケット出力プラグブッシュセットのＬ極出力プラグブッシュと前記三孔ソケット出力プラグブッシュセットのＬ極出力プラグブッシュとは一体化され、前記二孔ソケット出力プラグブッシュセットのＮ極出力プラグブッシュと前記三孔ソケット出力プラグブッシュセットのＮ極出力プラグブッシュとは一体化されることを特徴とする請求項８１に記載の旅行用変換装置。
【発明の詳細な説明】
【技術分野】
【０００１】
本発明は、プラグの技術に関し、特に、旅行用変換装置に関するものである。
【背景技術】
【０００２】
様々な理由により、国によって電源プラグの規格は異なり（例えば、中国国家標準プラグ、ヨーロッパ標準プラグ、アメリカ標準プラグ及びイギリス標準プラグ等がある）、しかも国によって電源プラグのサイズも異なる（例えば、２ピンプラグと３ピンプラグ等がある）ため、一つのプラグを異なる国で使用することができず、ビジネス交渉をしたり、旅行したり、親戚や友人を訪ねるために様々な国や地域を行き来する人々に不便をもたらす。この問題を解決するために、海外旅行中に異なる国の電源プラグを携行する人もいるが、旅行中のユーザーに負担を負わせるだけでなく、使用も不便で、体験が悪くなる。
【発明の概要】
【発明が解決しようとする課題】
【０００３】
そこで、従来技術の上記のような問題点に鑑みて、異なる国のプラグ標準に準拠したプラグを一つの変換装置に組み込み、容易に切り替えることができる旅行用変換装置を多国旅行中のプラグ使用の問題を解決する技術案として、提供する。
【課題を解決するための手段】
【０００４】
前記技術案は、具体的に下記のものを含む。
旅行用装置は、ケースと、プラグブッシュシートと、支持フレームと、ラッチモジュールと、を含み、前記プラグブッシュシートは前記ケース内に設置され、前記支持フレームは前記プラグブッシュシートの下に位置し、且つ前記プラグブッシュシートと接続され、複数の前記ラッチモジュールはそれぞれ前記支持フレームに設置され、前記支持フレームは、垂直方向に前記プラグブッシュシートに固定されて接続され、且つ前記プラグブッシュシートに沿って水平方向に摺動する。
【０００５】
好ましくは、当該旅行用変換装置において、前記プラグブッシュシートは、前記プラグブッシュシートの底面に設けられた位置決め上部ブロックを含み、
前記位置決め上部ブロックはさらに下部延長板と水平板を含み、前記下部延長板は前記位置決め上部ブロックから下に延長され、前記水平板は前記下部延長板における前記位置決め上部ブロックに接続されない一端に設けられて水平に延長される。前記水平板と前記プラグブッシュシートの底面との間には中間層が形成され、
前記支持フレームは前記支持フレームの上端面に設けられる中空部をさらに含み、
前記中空部には位置決め下部ブロックが設けられ、前記位置決め下部ブロックは前記中間層に挿入され、前記支持フレームの前記上端面と面一であり、
前記位置決め下部ブロックの厚さは、前記支持フレームの前記上端面の厚さより薄い。
【０００６】
好ましくは、当該旅行用変換装置において、前記プラグブッシュシートには、
前記プラグブッシュシートと前記支持フレームとの間に設けられ、前記支持フレームが摺動した後にリターン可能にする、スプリングである弾性装置と、
前記弾性装置を収容するためのばね室と、がさらに設けられ、
前記支持フレームの上端面には、前記弾性装置の一端を押すためのばねストッパーブロックが設けられる。
【０００７】
好ましくは、当該旅行用変換装置において、前記支持フレームの上端面には下限位置バックルが設けられ、前記プラグブッシュシートの底面には前記下限位置バックルと適合する上限位置バックルが設けられる。
【０００８】
好ましくは、当該旅行用変換装置において、前記ラッチモジュールはラッチベースとラッチとを含み、前記ラッチは前記ラッチベースに設けられ、
前記支持フレームにはさらに位置決めプレートが設けられ、前記位置決めプレートには高位の位置決めステップと低位の位置決めステップとが設けられ、前記低位の位置決めステップは、前記高位の位置決めステップの下側に設けられ、
前記ラッチベースは、前記高位の位置決めステップ上または前記低位の位置決めステップ上に位置決めされる。
【０００９】
好ましくは、当該旅行用変換装置において、前記ケースには開口が設けられ、前記支持フレームにはボタンが設けられ、前記ボタンは前記開口から突出しており、前記ボタンはユーザに押されることによって前記支持フレームを前記プラグブッシュシートに対して摺動させる。
【００１０】
好ましくは、当該旅行用変換装置において、前記プラグブッシュシートにはＬ極プラグ、Ｎ極プラグ及びラッチが設けられ、前記プラグブッシュシートは外力によってＬ極プラグ、Ｎ極プラグ及びラッチを前記ケースの内部から引き出すまたは前記ケースの内部に収納するようにすることができ、
前記ラッチは、前記プラグブッシュシートに対して折り曲げ可能であり、それによって前記ラッチが前記ケースから引き出される時に折り曲げられるようになる。
【００１１】
好ましくは、当該旅行用変換装置において、前記ラッチは、一端が前記プラグブッシュシートに固定される接地極ベースと、前記接地極ベースの他端に可動的に接続される接地極折り曲げ部と、を含み、前記接地極折り曲げ部は前記接地極ベースに対して折り曲げ可能である。
【００１２】
好ましくは、当該旅行用変換装置において、前記接地極ベースと前記接地極折り曲げ部とは枢動自在に接続される。
【００１３】
好ましくは、当該旅行用変換装置において、前記接地極折り曲げ部と前記接地極ベースとの接続端には一対のピンジョイント耳部が設けられ、前記接地極ベースには前記ピンジョイント耳部に挟まれるピンジョイント舌部が設けられ、前記ピンジョイント耳部と前記ピンジョイント舌部とはピンジョイント軸を介して接続される。
【００１４】
好ましくは、当該旅行用変換装置において、前記ラッチは前記接地極折り曲げ部の内部に位置する弾性部材と可動銅ピラーとをさらに含み、前記弾性部材は前記可動銅ピラーに弾力を加え、前記可動銅ピラーと前記ピンジョイント舌部との電気的接触を維持させる。
【００１５】
好ましくは、当該旅行用変換装置において、前記接地極折り曲げ部が初期直立状態にある時に、前記可動銅ピラーの端面は前記ピンジョイント舌部の端面に当接され、
前記ピンジョイント舌部は、前記接地極折り曲げ部が終点位置まで折り曲げられた時に、前記可動銅ピラーの端面と当接する終点面をさらに含み、前記ピンジョイント軸から前記ピンジョイント舌部の端面と前記ピンジョイント軸から前記終点面までの距離のいずれも、前記ピンジョイント軸から前記ピンジョイント舌部の前記端面及び前記終点面の間の位置の距離より短い。
【００１６】
好ましくは、当該旅行用変換装置において、前記接地極ベースと接続される前記接地極折り曲げ部の一端は、前記弾性部材と前記可動銅ピラーを収容するための凹溝を形成するように内側に凹んでいる。
【００１７】
好ましくは、当該旅行用変換装置において、前記ラッチが前記ケースから引き出される時に電気的に接続される接地極接続スリーブカバーをさらに含む。
【００１８】
好ましくは、当該旅行用変換装置において、前記接地極接続スリーブカバーの側壁には、ボス（凸状）接触面が設置され、前記ラッチが摺動する時に、前記ボス接触面と接触し、電気的に接続する。
【００１９】
好ましくは、当該旅行用変換装置において、前記接地極ベースは接地極クリップであり、その一端は前記プラグブッシュシートに接続され、前記接地極折り曲げ部は回転自在に前記接地極クリップの他端に接続され、前記接地極クリップは少なくとも一つの側壁が開口された半密閉収容室であり、接地極折り曲げ部が折り曲げられる際に収容される。
【００２０】
好ましくは、当該旅行用変換装置において、弾性片をさらに含み、前記弾性片は、前記接地極クリップの内部に取り付けられ、前記接地極折り曲げ部が折り曲げられる時に、前記接地極折り曲げ部を弾性的に支持し、前記接地極折り曲げ部と電気的に接続される。
【００２１】
好ましくは、当該旅行用変換装置において、収納溝をさらに含み、前記ラッチが折り曲げられる際に前記収納溝内に収納される。
【００２２】
好ましくは、当該旅行用変換装置において、調整ガイド構造をさらに含む。
【００２３】
好ましくは、当該旅行用変換装置において、前記ラッチの位置を制限する受け止め部材をさらに含み、前記受け止め部材は前記ケースに設けられる。
【００２４】
好ましくは、当該旅行用変換装置において、プラグハウジングをさらに含み、前記ラッチモジュールは前記プラグハウジングに摺動自在に設けられ、前記ラッチモジュールと前記プラグハウジングとはプラグアセンブリを構成し、前記プラグアセンブリは前記ケースの内部に設けられ、前記ケースの下端面から引き出されることができ、
前記ラッチモジュールと前記プラグハウジングとの間には第１ロック部材が設けられ、前記第１ロック部材は、前記ラッチモジュールが前記プラグハウジングに対して摺動する時にロック機能またはロック解除機能を提供し、
前記プラグハウジングと前記ケースとの間には第２ロック部材が設けられ、前記第２ロック部材は、前記プラグハウジングが前記ケースに対して摺動する時にロック機能またはロック解除機能を提供し、
前記プラグアセンブリが摺動する際に、前記第１ロック部材と前記第２ロック部材は同時にロック状態にならず、また同時にロック解除の状態にならず置かれなく、
前記ラッチモジュールはラッチベースとラッチを含み、前記ラッチは前記ラッチベースに設けられる。
【００２５】
好ましくは、当該旅行用変換装置において、前記ラッチには内側に凹むスナップ溝が設けられ、前記ラッチの尾部は前記ラッチベース内に挿入され、前記ラッチベース内には前記スナップ溝内に嵌められるスナップリングが設けられる。
【００２６】
好ましくは、当該旅行用変換装置において、ここで、前記第１ロック部材は、
前記プラグハウジングの外壁に設けられる位置制限ブロックと、
前記位置制限ブロックを受け止めるための前記ケースの前記下端面と、
前記ケース内部に設けられ、前記プラグハウジングの上端面を受け止めるための受け止め部材と、を含み、
前記ケースの前記下端面の内側には、前記位置制限ブロックに対応する位置決めステップがさらに設けられる。
【００２７】
好ましくは、当該旅行用変換装置において、前記第２ロック部材は、
前記ラッチベースに設けられ、外側に引っ掛けられたスナップフックを有する弾性片と、
前記プラグハウジングの内壁にそれぞれ設けられる上側ロック部及び下側ロック部と、を含み、
前記スナップフックは、前記上側ロック部と前記下側ロック部に可動的に係止される。
【００２８】
好ましくは、当該旅行用変換装置において、前記プラグハウジングは、
前記プラグハウジングから突出し、前記プラグハウジングの前記内壁に設けられ、前記ラッチに沿って軸方向に配置されるロックバーと、
前記ロックバーに設けられ、前記上側ロック部を形成するロック開口と、
前記ロック開口の下端面からなり、前記プラグハウジングの上端面に対向して設けられるロック開口斜面と、
前記ロックバーの下端面からなり、前記プラグハウジングの下端面に対向して設けられるロックバー斜面と、
前記スナップフックの下端面に設けられ、前記ロック開口斜面と適合するスナップフック斜面と、をさらに含み、
前記スナップフックは、前記プラグハウジングの前記上端面に対向する上斜面と、前記プラグハウジングの前記下端面に対向する下斜面と、を有する。
【００２９】
好ましくは、当該旅行用変換装置において、前記プラグハウジングは、
前記プラグハウジングの内壁に開口され、前記上側ロック部を形成するための第１ロック孔と、
前記プラグハウジングの内壁に開口され、前記下側ロック部を形成するための第２ロック孔と、をさらに含む。
【００３０】
好ましくは、当該旅行用変換装置において、前記第１ロック部材は、
前記プラグハウジングの外壁に設けられる位置制限ブロックと、
前記位置制限ブロックを受け止めるための前記ケースの前記下端面と、
前記プラグハウジングの壁面の尾部に開口されるスナップ孔と、
前記ケースの内壁に設けられるロック突起と、を含み、
前記ロック突起は可動的に前記スナップ孔内に嵌められ、
前記第２ロック部材は、
前記ラッチベースに設けられ、外側に引っ掛けられたスナップフックを有する弾性片と、
前記プラグハウジングの内壁に開口され、前記スナップフックが可動的に嵌められるロック孔と、を含む。
【００３１】
好ましくは、当該旅行用変換装置において、前記ケースの一側面に固定されて、複数の第１摺動路がそれぞれ設けられ、上下に延びる各前記第１摺動路にそれぞれ直交する位置制限プレートと、
前記第１摺動路と一対一に対応する複数のプラグと、
前記位置制限プレートに平行に設けられ、各前記第１摺動路とそれぞれ一対一に対応する第２摺動路が設けられたスライド式インターロックスライドプレートと、をさらに含み
各前記プラグにはそれぞれスライドボタン及びロックガイドピラーが設けられ、前記スライドボタンは、対応する前記プラグの前記第１摺動路を介して設けられ、前記ロックガイドピラーは、対応する前記プラグの前記第２摺動路内に伸び、前記第２摺動路に沿って上下に摺動することができ、前記ロックガイドピラーが摺動する時に前記インターロックスライドプレートがガイドされて左右に摺動され、
前記第１摺動路の各々は、全て直線形状のガイド溝を有する摺動路であり、前記第２摺動路の各々は、全て折れ線形状のガイド溝を有する摺動路である。
【００３２】
好ましくは、当該旅行用変換装置において、各前記第２摺動路は、
対応する前記第２摺動路の上端に設けられるロックステップと、
対応する前記ロックステップの下に設けられ、上端は上に伸び、前記ロックステップの中部にガイドピラー入り口を形成する下側折り畳み摺動路と、をそれぞれ含み、
一つの前記プラグに対応する前記ロックガイドピラーを前記第２摺動路に沿って下に摺動させることで、前記インターロックスライドプレートを、他の前記プラグの前記ロックガイドピラーに対応する前記ロックガイドピラー入り口と全部ずらした位置まで左右摺動させる。
【００３３】
好ましくは、当該旅行用変換装置において、前記インターロックスライドプレートは、第１インターロックスライドプレートと第２インターロックスライドプレートを含み、
前記第１インターロックスライドプレート及び前記第２インターロックスライドプレートは互いに平行であり、前記第１インターロックスライドプレートと前記第２インターロックスライドプレートとは接続プレートを介して相互に接続され、
前記第２インターロックスライドプレートは、前記第１インターロックスライドプレートと前記位置制限プレートとの間に設けられる。
【００３４】
好ましくは、当該旅行用変換装置において、全ての前記第２摺動路は、前記第２インターロックスライドプレートに設けられた一つの前記第２摺動路のみを含み、前記第２インターロックスライドプレートに設けられた前記第２摺動路以外の前記第２摺動路は、前記第１インターロックスライドプレートに設けられる。
【００３５】
好ましくは、当該旅行用変換装置において、前記プラグは、ヨーロッパ標準プラグ、アメリカ標準プラグ、イギリス標準プラグ及びオーストラリア標準プラグを含み、
前記イギリス標準プラグは前記アメリカ標準プラグまたは前記オーストラリア標準プラグを取り囲み、
前記アメリカ標準プラグに対応する前記ロックガイドピラーは、前記第２インターロックスライドプレートの前記第２摺動路内に延びるか、または
前記オーストラリア標準プラグに対応する前記ロックガイドピラーは、前記第２インターロックスライドプレートの前記第２摺動路内に延びる。
【００３６】
好ましくは、当該旅行用変換装置において、前記第２摺動路の上端と下端との間には斜め摺動路が設けられ、
前記第２摺動路のいずれか二つの前記斜め摺動路の延長線は交差し、または前記第２摺動路の少なくとも二つの前記斜め摺動路は互いに平行であり、且ついずれか二つの互いに平行な前記斜め摺動路は長さが異なる。
【００３７】
好ましくは、当該旅行用変換装置において、前記ケースには、
それぞれ前記ケースの内部に設けられ、それぞれ端子を含み、異なる国の電源プラグ標準にそれぞれ対応する少なくとも二つのプラグと、
前記ケースに設けられ、前記プラグが操作可能に引き出され、又は前記ケースの内部に引き込まれる引き出し面と、
前記ケースに設けられ、前記引き出し面を覆い、前記端子の伸縮をける第１通孔が設けられるカバープレートと、
前記引き出し面と前記カバープレートとの間に摺動自在に設けられ、摺動中に前記プラグの前記端子を妨害することで、多くの場合、前記ケースから一つの前記プラグを前記第１貫通孔から引き出すようにする摺動バッフルと、をさらに含む。
【００３８】
好ましくは、当該旅行用変換装置において、位置決め構造をさらに含み、前記位置決め構造は、前記プラグの数に対応する位置決めポイントを含み、前記位置決め構造は、前記摺動バッフルを操作可能に前記位置決めポイントの所に位置決め、前記位置決めポイントは異なる前記プラグにそれぞれ関連付けられ、
前記摺動バッフルは、前記位置決めポイントに位置決めされると、前記位置決めポイントと関連のない前記プラグに対応する前記第１貫通孔妨害する。
【００３９】
好ましくは、当該旅行用変換装置において、前記摺動バッフルにはさらに第２貫通孔が設けられ、前記第２貫通孔は異なる前記プラグに対応し、
前記摺動バッフルが前記位置決めポイントに位置決めされると、前記第２貫通孔と前記第１貫通孔とは係合することで、前記位置決めポイントに関連する前記プラグの前記端子が引き出されるようにする。
【００４０】
好ましくは、当該旅行用変換装置において、前記位置決め構造は、前記摺動バッフルに設けられた突起と、複数の凹溝をさらに含み、前記複数の凹溝は前記カバープレートに設けられ、前記突起の位置に対応して、前記摺動バッフルの移動が制限され、各前記凹溝と前記位置決めポイントとは一対一に対応する。
【００４１】
好ましくは、当該旅行用変換装置において、前記カバープレートには、前記摺動バッフルに対応する開口がさらに設けられ、前記開口は少なくとも一つの前記プラグに対応する前記第１貫通孔と一致し、前記凹溝は前記開口の内壁に設けられ、
前記摺動バッフルは前記摺動バッフルを操作し摺動させる操作部をさらに含み、前記操作部は前記摺動バッフルの前記カバープレートに対向する一面に設けられ、前記開口内に位置される。
【００４２】
好ましくは、当該旅行用変換装置において、前記摺動バッフルの一側には突出部が設けられされ、
前記突出部は、前記引き出し面の伸び方向に沿って前記引き出し面及び前記カバープレートから引き出され、前記突出部の前記引き出し面及び前記カバープレートから引き出される一側には、前記カバープレートに向かう凸型ブロックが設けられ、前記突起は、前記凸型ブロックの前記カバープレートに対向する一側に設けられ、前記凹溝は、前記カバープレートの前記凸型ブロックに対向する一面に設けられる。
【００４３】
好ましくは、当該旅行用変換装置において、前記摺動バッフルは、前記摺動バッフルを操作し摺動させる操作部を含み、前記操作部は、前記凸型ブロックに設けられる。
【００４４】
好ましくは、当該旅行用変換装置において、前記摺動バッフルは摺動自在に前記引き出し面に接続されたガイド構造を通過し、
前記ガイド構造は、
前記摺動バッフルの摺動方向に沿って前記引き出し面に設けられるスライド溝と、
前記摺動バッフルの前記引き出し面に対向する一面に設けられ、前記スライド溝内に摺動自在に嵌め込まれる摺動突起と、をさらに含む。
【００４５】
好ましくは、当該旅行用変換装置において、前記摺動バッフルは摺動自在に前記カバープレートに接続されたガイド構造を通過し、
前記ガイド構造は、
前記摺動バッフルの摺動方向に対応し、前記カバープレート構造に平行に設けられる一対の対向して設けられる位置制限溝をさらに含み、
前記摺動バッフルの両側の縁は前記位置制限溝に摺動自在に嵌め込まれる。
【００４６】
好ましくは、当該旅行用変換装置において、前記ケースの側面にそれぞれ設けられ、上下に延びる複数の第１摺動路と、
前記ケースの内部にそれぞれ設けられ、対応する前記第１摺動路に沿って可動的かつ伸縮自在な、前記第１摺動路と一対一に対応する複数のプラグであって、各前記プラグには対応するプローブが設けられる複数のプラグと、
前記ケースの内部に設けられ、且つ前記プラグと対応する前記第１摺動路との間に位置し、前記プローブが前記第１摺動路から伸びることを防止する感電防止遮断部材と、をさらに含む。
【００４７】
好ましくは、当該旅行用変換装置において、前記感電防止遮断部材は、それぞれ前記ケースの内部に設けられ、且つ前記プラグと対応する前記第１摺動路との間に位置し、前記第１摺動路と一対一に対応し、前記第１摺動路を遮断する複数の遮断ガイドピラーをさらに含み、
前記遮断ガイドピラーは、前記第１摺動路に沿って延びる。
【００４８】
好ましくは、当該旅行用変換装置において、各前記プラグにはそれぞれ対応するスライドボタンが設けられ、前記スライドボタンは、前記第１摺動路を貫通して、前記プラグをガイドして前記第１摺動路に沿って上下に移動させ、
前記スライドボタンには、前記遮断ガイドピラーと対応するガイド貫通孔が設けられ、前記遮断ガイドピラーは前記ガイド貫通孔内に設けられる。
【００４９】
好ましくは、当該旅行用変換装置において、前記ラッチモジュールは、ラッチベースとラッチを含み、前記ラッチは前記ラッチベースと前記ケースの底面との間に設けられ、
複数の前記遮断ガイドピラーの内の少なくとも一つの遮断ガイドピラーは、前記ラッチベースに設けられ、他の前記遮断ガイドピラーは前記ケースの内側底面に設けられる。
【００５０】
好ましくは、当該旅行用変換装置において、前記感電防止遮断部材は、
前記ケースの内部に設けられ、前記プラグと対応する前記第１摺動路との間に位置するプローブバッフルと、
前記プローブバッフルに対応して設けられる第２摺動路であって、前記プラグに設けられたスライドボタンが前記プラグに対応する前記第２摺動路と前記第１摺動路を順次に貫通する第２摺動路と、を含む。
【００５１】
好ましくは、当該旅行用変換装置において、前記感電防止遮断部材は、
前記ケースの内部にそれぞれ設けられ、前記プラグと対応する前記第１摺動路との間に位置し、前記第１摺動路と一対一に対応し、且つ前記第１摺動路を遮断し、前記第１摺動路に沿って延びる少なくとも一つの遮断ガイドピラーと、
前記ケースの内部にそれぞれ設けられ、前記プラグとそれぞれ対応する前記第１摺動路との間に位置する少なくとも一つのプローブバッフルと、をさらに含み、
前記第１摺動路は第１類摺動路と第２類摺動路を含み、前記第１類摺動路と前記遮断ガイドピラーとは一対一に対応し、前記第２類摺動路と少なくとも一つのプローブバッフルとは一対一に対応し、
少なくとも一つの前記プローブバッフルは、前記ケースの内部にそれぞれ設けられ、前記プラグとそれぞれ対応する前記第１摺動路との間に位置し、
各前記プラグには、スライドボタンが対応して設けられ、前記スライドボタンは対応する前記第２摺動路を貫通し、前記第２摺動路に沿って上下に摺動し、同時に前記プローブバッフルをガイドして左右に摺動させる。
【００５２】
好ましくは、当該旅行用変換装置において、前記ケースはプラグ分布面を有し、
前記ケース内には伸縮自在なプラグが設けられ、前記伸縮自在なプラグは前記プラグ分布面を介して前記ケース内外に伸縮し、
前記伸縮自在なプラグは接地極端子を有するイギリス標準プラグをさらに含み、接地極端子を有するアメリカ標準プラグまたは接地極端子を有するオーストラリア標準プラグをさらに含み、
前記アメリカ標準プラグまたはオーストラリア標準プラグは、全体的にイギリス標準プラグの前記接地極端子とＬＮ極端子との間に設けられる。
【００５３】
好ましくは、当該旅行用変換装置において、前記アメリカ標準プラグが全体的に前記イギリス標準プラグの前記接地極端子と前記ＬＮ極端子との間に設けられた時に、前記アメリカ標準プラグの前記接地極端子と前記イギリス標準プラグの前記接地極端子とは背向に設けられるか、または、
前記オーストラリア標準プラグが全体的に前記イギリス標準プラグの前記接地極端子と前記ＬＮ極端子との間に設けられた時に、前記オーストラリア標準プラグの前記接地極端子と前記イギリス標準プラグの前記接地極端子は背向に設けられる。
【００５４】
好ましくは、当該旅行用変換装置において、前記伸縮可能なプラグは、ヨーロッパ標準プラグをさらに含み、
前記ヨーロッパ標準プラグは、前記イギリス標準プラグの前記接地極端子が設けられる一側に設けられ、
前記ヨーロッパ標準プラグのプラグピラーには前記イギリス標準プラグの前記接地極端子に適合する第１ノッチが設けられ、前記イギリス標準プラグの前記接地極端子は少なくとも一部が前記第１ノッチ内に嵌め込まれる。
【００５５】
好ましくは、当該旅行用変換装置において、前記伸縮自在なプラグは、ヨーロッパ標準プラグをさらに含み、
前記ヨーロッパ標準プラグは、前記イギリス標準プラグの前記ＬＮ極端子が設けられる一側に設けられ、
前記ヨーロッパ標準プラグのプラグピラーには前記イギリス標準プラグの前記ＬＮ極端子に適合する第２ノッチが設けられ、前記イギリス標準プラグの前記ＬＮ極端子は少なくとも一部が前記第２ノッチ内に嵌め込まれる。
【００５６】
好ましくは、当該旅行用変換装置において、ここで、前記アメリカ標準プラグが全体的に前記イギリス標準プラグの前記接地極端子と前記ＬＮ極端子との間に設けられた時に、前記オーストラリア標準プラグと前記ヨーロッパ標準プラグとは、前記イギリス標準プラグの両側にそれぞれ対向的に設けられる。
【００５７】
好ましくは、当該旅行用変換装置において、前記オーストラリア標準プラグが全体的に前記イギリス標準プラグの前記接地極端子と前記ＬＮ極端子との間に設けられた時に、前記アメリカ標準プラグと前記ヨーロッパ標準プラグとは前記イギリス標準プラグの両側にそれぞれ対向的に設けられ、
全ての前記伸縮自在なプラグの前記接地極端子は同じ直線上に設けられる。
【００５８】
好ましくは、当該旅行用変換装置において、前記プラグ分布面には安全カバーが設けられ、前記安全カバー内には安全素子が設けられ、
前記安全カバーと前記ヨーロッパ標準プラグとは前記イギリス標準プラグの両側にそれぞれ対向的に設けられる。
【００５９】
好ましくは、当該旅行用変換装置において、前記ケースの一側面にそれぞれ設けられる複数のスライド溝と、
前記スライド溝と共に前記ケースの同じ側面に設けられる複数のＵＳＢソケットと、
各前記スライド溝内にそれぞれ設けられ、対応する前記伸縮自在なプラグを接続するトグルバーとスライドボタンと、をさらに含む。
【００６０】
好ましくは、当該旅行用変換装置において、前記ラッチモジュールは、ラッチベース及びラッチを含み、前記ラッチは前記ラッチベースに設けられ、
前記支持フレームには、接地極プラグブッシュと、前記ラッチのプラグとが設けられ、前記プラグは挿入及び抜出し方向に沿って摺動し、
前記ラッチは、前記接地極プラグブッシュに固定される固定部分と、前記固定部分との摺動自在なソケット継手関係を形成するラッチヘッドと、を含み、
前記ラッチヘッド、前記固定部分と前記接地極プラグブッシュとの間は、電気的に接続される。
【００６１】
好ましくは、当該旅行用変換装置において、前記ケースは、前面カバーと背面カバーを含み、前記前面カバーと前記背面カバーとは係合して空洞を形成し、前記空洞内には前記接地極プラグブッシュが設けられ、
前記プラグはアメリカ標準プラグおよび/またはヨーロッパ標準プラグを含み、
前記アメリカ標準プラグおよび/または前記ヨーロッパ標準プラグに適合する前記ラッチは伸縮式接地極ラッチであり、前記固定部分は導電ピラーを形成する。
【００６２】
好ましくは、当該旅行用変換装置において、前記プラグは、オーストラリア標準プラグおよび/またはイギリス標準プラグをさらに含み、
前記オーストラリア標準プラグおよび/または前記イギリス標準プラグに適合する前記ラッチは非伸縮式接地極ラッチであり、前記ラッチは、第１接続弾性片を介して導電板にクランプされて、電気的に接続され、
前記導電板と前記接地極プラグブッシュは電気的に接続される。
【００６３】
好ましくは、当該旅行用変換装置において、前記プラグはアメリカ標準プラグおよび/またはヨーロッパ標準プラグを含み、前記アメリカ標準プラグおよび/または前記ヨーロッパ標準プラグに適合する前記ラッチは伸縮式接地極ラッチであり、
前記プラグは、オーストラリア標準プラグおよび/またはイギリス標準プラグをさらに含み、前記オーストラリア標準プラグおよび/またはイギリス標準プラグに適合する前記ラッチは非伸縮式接地極ラッチであり、
前記非伸縮式接地極ラッチは、第２接続弾性片を介していずれか一つの前記伸縮式接地極ラッチにクランプされて、電気的に接続され、
前記第２接続弾性片は導電板に固定される。
【００６４】
好ましくは、当該旅行用変換装置において、前記ラッチモジュールは、
ラッチベース及びラッチを含み、前記ラッチは前記ラッチベースに設けられ、前記ラッチベースは前記ケースの内部の上側に設けられ、
前記ケースの内部にはプラグベースが設けられ、前記プラグベースは前記ラッチベースの下に設けられ、
前記ラッチは前記ラッチを前記ラッチベースに固定するガイドピラーを含み、前記ラッチは前記ガイドピラーにスリーブされ、
前記プラグベースにはＬＮ極端子が設けられ、前記ラッチと適合するバックルが更に設けられる。
【００６５】
好ましくは、当該旅行用変換装置において、前記ラッチの上端には前記バックルと適合するジャーナルが設けられ、
前記ジャーナルの下端面に円錐状のガイド面が設けられる。
【００６６】
好ましくは、当該旅行用変換装置において、前記ラッチの上端には前記バックルと適合するボス（突起）が設けられ、
前記ボスの下端面には円錐状のガイド面が設けられ、
前記バックルには前記ボスと適合する凹部が設けられる。
【００６７】
好ましくは、当該旅行用変換装置において、前記プラグベースには位置制限弾性片が設けられ、前記位置制限弾性片は弾性片シートに設けられる。
【００６８】
好ましくは、当該旅行用変換装置において、前記ケースにはプラグが設けられ、前記プラグは分離可能に操作される接地極モジュールとＬＮ極モジュールとを含み、前記接地極モジュールは接地極ベースと前記接地極ベースに固定されるラッチを含み、前記ＬＮ極モジュールはＬＮ極ベースと前記ＬＮ極ベースに固定されるＬＮ極ラッチを含み、前記接地極ベースは前記ＬＮ極ベースの上に重ねられ、
前記プラグが第１使用状態にある場合、前記ＬＮ極モジュールは独立的に前記ケースから引き出され、
前記プラグが第２使用状態にある場合、前記接地極モジュールは前記ＬＮ極モジュールをガイドして前記ケースから引き出し、
前記プラグが収納状態にある場合、前記ＬＮ極モジュールは前記接地極モジュールをガイドして摺動して前記ケースに引き込み、
さらにロックモジュールを含み、前記ロックモジュールは、
前記プラグが前記第１使用状態にある場合、前記接地極モジュールを引き込み位置にロックし、前記ＬＮ極モジュールを引き出し位置にロックし、
前記プラグが前記第２使用状態にある場合、前記接地極モジュールと前記ＬＮ極モジュールとを共に引き出し位置にロックし、
前記プラグが前記収納状態にある場合、前記接地極モジュールと前記ＬＮ極モジュールとを共に引き込み位置にロックする。
【００６９】
好ましくは、当該旅行用変換装置において、前記ロックモジュールは、移動スタンド及び少なくとも一つの弾性部を含み、前記移動スタンドは水平方向に動作可能であり、前記少なくとも一つの弾性部は前記ケースと前記移動スタンドとの間に接続され、前記移動スタンドが水平方向の力を受けて水平方向に移動する場合、前記少なくとも一つの弾性部は弾性変形し、前記ロックモジュールが前記接地極モジュールと前記ＬＮ極モジュールに対するロックを解除させることで、前記接地極モジュールと前記ＬＮ極モジュールが前記第１使用状態と、前記第２使用状態と、前記収納状態との間で切り替わり、前記水平方向の力が取り消された場合、前記少なくとも一つの弾性部の弾性復元力は前記移動スタンドを押して、前記ロックモジュールが前記接地極モジュールと前記ＬＮ極モジュールに対するロックを回復するようにする。
【００７０】
好ましくは、当該旅行用変換装置において、前記ロックモジュールは、前記移動スタンドに垂直に接続する第１位置制限ピラーを含み、前記第１位置制限ピラーは、
前記移動スタンドがロック位置に位置し、且つ前記プラグが前記第１使用状態にある場合、前記接地極モジュールを前記引き込み位置に位置決め、
前記移動スタンドがロック位置に位置し、且つ前記プラグが前記第２使用状態にある場合、前記接地極モジュールと前記ＬＮ極モジュールを前記引き出し位置に位置決める。
【００７１】
好ましくは、当該旅行用変換装置において、ここで、前記ロックモジュールは、前記移動スタンドに垂直に接続する第２位置制限ピラーを含み、前記第２位置制限ピラーは、
前記移動スタンドがロック位置に位置し、且つ前記プラグが前記第１使用状態にある場合、前記ＬＮ極モジュールを、前記引き出し位置に位置決め、
前記移動スタンドがロック位置に位置し、且つ前記プラグが前記収納状態にある場合、前記ＬＮ極モジュールと前記接地極モジュールを前記引き込み位置に位置決める。
【００７２】
好ましくは、当該旅行用変換装置において、前記第１位置制限ピラーは、
前記接地極ベースの下方に当接し、前記接地極モジュールを前記引き込み位置に位置決め、頂部に位置する第１ロック面と、
前記接地極ベースの上方に当接し、前記接地極モジュールを前記引き出し位置に位置決め、底部に位置する第２ロック面と、を含む。
【００７３】
好ましくは、当該旅行用変換装置において、前記第２位置制限ピラーは、
前記ＬＮ極ベースの下方に当接し、前記ＬＮ極モジュールを前記引き込み位置に位置決め、頂部に位置する第１ロック面と、
前記ＬＮ極ベースの上方に当接し、前記ＬＮ極モジュールを前記引き出し位置に位置決め、底部に位置する第２ロック面と、を含む。
【００７４】
好ましくは、当該旅行用変換装置において、前記接地極モジュールおよび/または前記ＬＮ極モジュールには、前記第１位置制限ピラーと前記第２位置制限ピラーと係合するガイド溝が設けられ、
前記移動スタンドが操作位置に位置する場合、前記第１位置制限ピラーの位置と前記第２位置制限ピラーの位置は、前記ガイド溝の位置に対応することにより、前記接地極モジュールと前記ＬＮ極モジュールが上下に摺動されるようにガイドし、
前記移動スタンドがロック位置に位置する場合、前記第１位置制限ピラーの位置と前記第２位置制限ピラーの位置は前記ガイド溝の位置に対応しないことにより、前記接地極モジュールと前記ＬＮ極モジュールをロックする。
【００７５】
好ましくは、当該旅行用変換装置において、前記接地極モジュールと前記ＬＮ極モジュールには、前記第１位置制限ピラーと前記第２位置制限ピラーが貫通するガイド孔が設けられ、
前記移動スタンドが操作位置に位置する場合、前記第１位置制限ピラーの位置と前記第２位置制限ピラーの位置は前記ガイド孔の位置に対応することにより、前記接地極モジュールと前記ＬＮ極モジュールが上下に摺動されるようにガイドし、
前記移動スタンドがロック位置に位置する場合、前記第１位置制限ピラーの位置と前記第２位置制限ピラーの位置は前記ガイド孔の位置に対応しないことにより、前記接地極モジュールと前記ＬＮ極モジュールをロックする。
【００７６】
好ましくは、当該旅行用変換装置において、前記ＬＮ極ベースには接地極ベースと係合するスロットが設けられ、前記接地極ベースは少なくとも一部が前記スロットに収容される。
【００７７】
好ましくは、当該旅行用変換装置において、前記ケースには、
少なくとも一つのプラグと、
前記プラグが伸縮構造を介して操作可能に前記ケースから引き出され、又は前記ケースに引き込まれる引き出し面とが、さらに設けられ、
前記伸縮構造はさらに前記ケースから引き出されるスライドボタンを含み、且つ前記ケースには前記スライドボタンを摺動させるためのガイド溝が設けられ、前記スライドボタンは、前記プラグが前記ケース内に引き込まれる第１位置と前記プラグが前記引き出し面から引き出される第２位置との間で摺動され、
前記ケース内には、
前記ガイド溝が位置する一側に設けられ、且つ摺動自在に前記ケース内に設けられ、前記ガイド溝を開閉する第１バッフルゲートと、
前記第１バッフルゲートと同じ側に設けられ、且つ摺動自在に前記ケースの内部に設けられ、前記ガイド溝を開閉する第２バッフルゲートと、
前記第１バッフルゲートと前記ケースとの間に設けられ、前記スライドボタンが前記第２位置に位置する場合、前記第１バッフルゲートを使用して前記第１バッフルゲートと前記ガイド溝とが対応する領域を閉塞する第１弾性部と、
前記第２バッフルゲートと前記ケースとの間に設けられ、前記スライドボタンが前記第１位置に位置する場合、前記第２バッフルゲートを使用して前記第２バッフルゲートと前記ガイド溝とが対応する領域を閉塞する第２弾性部とがさらに設けられる。
【００７８】
好ましくは、当該旅行用変換装置において、前記ケースは、
前記ガイド溝が設けられる操作面と、
前記ケース内に設けられ、且つ前記操作面に直交する前記ケースの内部構造に位置し、前記第１バッフルゲートと前記第２バッフルゲートとの摺動方向での移動範囲を制限する第１位置制限構造と、
前記ケース内に設けられ、且つ前記操作面に直交する前記ケースの内部構造に位置し、前記第１バッフルゲートと前記第２バッフルゲートとが前記操作面方向との夾角が０度より大きい方向に向かって移動することを防止する第２位置制限構造と、をさらに含む。
【００７９】
好ましくは、当該旅行用変換装置において、前記第１位置制限構造は前記ガイド溝の両側にそれぞれ設けられる二つの第１突起を含み、
前記第２位置制限構造は前記二つの第１突起にそれぞれ直交して設けられる二つの第２突起を含み、前記二つの第２突起の間には隙間が設けられることで、前記スライドボタンが引き出される。
【００８０】
好ましくは、当該旅行用変換装置において、前記第１位置制限構造と前記第２位置制限構造とは、主に前記ガイド溝の両側にそれぞれ設けられた一対のガイド溝からなり、前記一対のガイド溝の間には隙間が設けられることで、前記スライドボタンが引き出される。
【００８１】
好ましくは、当該旅行用変換装置において、前記第１バッフルゲートは一対の第１面取り部を含み、前記一対の第１面取り部はそれぞれ前記第１バッフルゲートの上下両端に設けられることで、前記操作部が前記ガイド溝に沿って移動する時に、前記第１バッフルゲートが前記ガイド溝を閉塞する位置から離れるようにガイドし、
前記第２バッフルゲートは一対の第２面取り部を含み、前記一対の第２面取り部はそれぞれ前記第２バッフルゲートの上下両端に設けられことで、前記操作部が前記ガイド溝に沿って移動する時に、前記第２バッフルゲートが前記ガイド溝を閉塞する位置から離れるようガイドする。
【００８２】
好ましくは、当該旅行用変換装置において、前記第１バッフルゲートと前記第２バッフルゲートは、接続構造を介して前記第１バッフルゲート及び前記第２バッフルゲートに平行な移動方向に沿って、摺動自在に接続される。
【００８３】
好ましくは、当該旅行用変換装置において、前記接続構造は、前記第１バッフルゲートに設けられる第３突起と、前記第２バッフルゲートに設けられ且つ前記第３突起と係合する第４突起とを含み、前記第１バッフルゲートと前記第２バッフルゲートとは前記第３突起及び前記第４突起を介して摺動自在に接続される。
【００８４】
好ましくは、当該旅行用変換装置は、前記ケース内に少なくとも一つのプラグが設けられ、前記プラグは伸縮構造を介して操作可能にケースから引き出され、又は前記ケースに引き込まれる前記旅行用変換装置であって、
前記プラグの数と対応する導電構造セットが設けられ、各前記導電構造セットはそれぞれＬ極導電構造及びＮ極導電構造を含み、全ての前記Ｌ極導電構造は第１Ｌ極接続点によって相互に接続され、全ての前記Ｎ極導電構造は第１Ｎ極接続点によって相互に接続される、第１導電構造と、
少なくとも一つの出力プラグブッシュセットが設けられ、各前記出力プラグブッシュセットはそれぞれＬ極出力プラグブッシュとＮ極出力プラグブッシュを含み、各前記Ｌ極出力プラグブッシュと前記第１Ｌ極接続点とは電気的に接続され、各前記Ｎ極出力プラグブッシュと前記第１Ｎ極接続点とは電気的に接続される、第２導電構造とをさらに含み、
各前記プラグは複数のラッチセットを含み、各前記ラッチセットはＬ極ラッチとＮ極ラッチを含み、各前記ラッチセットと前記導電構造セットとは一対一で対応し、
前記プラグが前記ケースから引き出される場合、前記Ｌ極ラッチと対応する前記導電構造セットの前記Ｌ極導電構造と電気的に接続され、前記Ｎ極ラッチは対応する前記導電構造セットの前記Ｎ極導電構造と電気的に接続される。
【００８５】
好ましくは、当該旅行用変換装置において、前記導電構造セットは全て導電プラグブッシュセットであり、前記Ｌ極導電構造は全てＬ極導電プラグブッシュであり、前記Ｎ極導電構造は全てＮ極導電プラグブッシュであり、
各前記ラッチセットは、それぞれ前記Ｌ極ラッチに対応されて接続されたＬ極導電挿入片と前記Ｎ極ラッチに対応されて接続されたＮ極導電挿入片とを含み、
前記プラグが前記ケースから引き出される場合、前記Ｌ極導電挿入片は前記プラグの引き出し動作に応じて対応する前記導電プラグブッシュセットの前記Ｌ極導電プラグブッシュに挿入され、前記Ｎ極導電挿入片は、前記プラグの引き出し動作に応じて対応する前記導電プラグブッシュセットの前記Ｎ極導電プラグブッシュに挿入される。
【００８６】
好ましくは、当該旅行用変換装置において、ここで、前記第１導電構造は、
前記導電構造セットが設けられ、対応する前記導電構造セットの前記ラッチが貫通する貫通孔をさらに含む第１導電板と、
前記第１導電板に設けられ且つ前記第１Ｌ極接続点に接続され、各前記導電構造セットの前記Ｌ極導電構造が第１Ｌ極導電線を介して電気的に接続される第１Ｌ極導電線と、
前記第１導電板に設けられ且つ前記第１Ｎ極接続点に接続され、各前記導電構造セットの前記Ｎ極導電構造が第１Ｎ極導電線を介して電気的に接続される第１Ｎ極導電線と、を含む。
【００８７】
好ましくは、当該旅行用変換装置において、前記第１Ｌ極導電線はパターニングされた銅箔線導電層であり、および/または
前記第１Ｎ極導電線はパターニングされた銅箔線導電層である。
【００８８】
好ましくは、当該旅行用変換装置において、前記ケースに設けられた前記プラグブッシュシートは前記第２導電構造に設けられ、前記出力プラグブッシュシートは前記プラグブッシュシートに設けられ、
前記第２導電構造は、第２Ｌ極導電線と、第２Ｎ極導電線をさらに含み、
前記第２Ｌ極導電線は、前記プラグブッシュシートに設けられ、前記出力プラグブッシュセットの前記Ｌ極出力プラグブッシュは前記第２Ｌ極導電線に接続され、前記第２Ｌ極導電線には第２Ｌ極接続点が設けられ、前記第２Ｌ極接続点と前記第１Ｌ極接続点とは電気的に接続され、
前記第２Ｎ極導電線は、前記プラグブッシュシートに設けられ、前記出力プラグブッシュセットの前記Ｎ極出力プラグブッシュは前記第２Ｎ極導電線に接続され、前記第２Ｎ極導電線には第２Ｎ極接続点が設けられ、前記第２Ｎ極接続点と前記第１Ｎ極接続点とは電気的に接続される。
【００８９】
好ましくは、当該旅行用変換装置において、前記第１Ｌ極接続点は第１フィレットであり、前記第２Ｌ極接続点は第２フィレットであり、前記第１フィレットと前記第２フィレットとの間はＬ極接続線を介して電気的に接続され、
前記第１Ｎ極接続点は第３フィレットであり、前記第２Ｎ極接続点は第４フィレットであり、前記第３フィレットと前記第４フィレットとの間はＮ極接続線を介して電気的に接続される。
【００９０】
好ましくは、当該旅行用変換装置において、前記Ｌ極接続線は第２導電板に設けられたパターニングされた銅箔線導電層であり、前記Ｎ極接続線は前記第２導電板に設けられたパターニングされた銅箔線導電層であり、または前記Ｌ極接続線と前記Ｎ極接続線はジャンパーである。
【００９１】
好ましくは、当該旅行用変換装置において、ＵＳＢインターフェースが設けられた第４導電構造を更に含み、前記第４導電構造と前記第１導電構造は電気的に接続され、
前記第１Ｌ極接続点は第１プラグブッシュであり、前記第４導電構造は前記第１プラグブッシュに挿入されて電気的接続を形成する第１ラッチを含み、および/または
前記第１Ｎ極接続点は第２プラグブッシュであり、前記第４導電構造は前記第２プラグブッシュに挿入されて電気的接続を形成する第２ラッチを含む。
【００９２】
好ましくは、当該旅行用変換装置において、前記プラグは、イギリスのプラグ標準に適合するイギリス標準プラグ、イタリアのプラグ標準に適合する的標準プラグ、オーストラリアのプラグ標準に適合するオーストラリア標準プラグ及びアメリカのプラグ標準に適合するアメリカ標準プラグを含む。
【００９３】
好ましくは、当該旅行用変換装置において、前記少なくとも一つの出力プラグブッシュセットは、一組の２ホールソケット出力プラグブッシュセットと一組の３ホールソケット出力プラグブッシュセットとを含み、且つ前記２ホールソケット出力プラグブッシュセットのＬ極出力プラグブッシュと前記３ホールソケット出力プラグブッシュセットのＬ極出力プラグブッシュとは一体化され、前記２ホールソケット出力プラグブッシュセットのＮ極出力プラグブッシュと前記３ホールソケット出力プラグブッシュセットのＮ極出力プラグブッシュとは一体化される。
【発明の効果】
【００９４】
上記技術案によれば、各国のプラグ標準に準拠したプラグを一つの変換装置に統合して、容易に切り替えることができ、多国旅行中のプラグ使用の問題を解決する旅行用変換装置を提供できる。
【図面の簡単な説明】
【００９５】
【図１】本発明の好ましい実施形態に係るラッチモジュールがケース内に隠されている状態を示す断面図である。
【図２】本発明の好ましい実施形態に係る支持フレーム上のボタンが押された後の断面図である。
【図３】本発明の好ましい実施形態に係るラッチが引き出された状態までラッチモジュールを下に移動させた時の断面図である。
【図４】本発明の好ましい実施形態に係るラッチが適所に引き出された後の断面図である。
【図５】本発明の好ましい実施形態に係るラッチモジュールが引き込まれる時の断面図である。
【図６】本発明の好ましい実施形態に係るラッチモジュールが引き込まれる時の断面図である。
【図７】本発明の好ましい実施形態に係る旅行用変換装置の分解模式図である。
【図８】本発明の好ましい実施形態に係る支持フレームの構造模式図である。
【図９】本発明の好ましい実施形態に係る支持フレームの構造模式図である。
【図１０】本発明の好ましい実施形態に係るプラグブッシュシートの構造模式図である。
【図１１】本発明の好ましい実施形態に係るプラグブッシュシートと支持フレームとの組立模式図である。
【図１２】本発明の好ましい実施形態に係るプラグブッシュシートと支持フレームとが組み立てられた後の上限位置バックル及び下限位置バックルを示す断面図である。
【図１３】本発明の好ましい実施形態に係るプラグブッシュシートと支持フレームとが組み立てられた後の位置決め上部ブロック及び位置決め下部ブロックを示す断面図である。
【図１４】本発明の好ましい実施形態に係るアメリカ標準プラグモジュールの模式図である。
【図１５】本発明の一実施形態に係るラッチの構造模式図である。
【図１５ａ】本発明の好ましい実施形態に係る、図２によりラッチの構造の分解図である。
【図１５ｂ】本発明の好ましい実施形態に係る折り曲げ可能なラッチの模式図である。
【図１６ａ】本発明の具体的な一実施形態に係るプラグブッシュシートの模式図である。
【図１６ｂ】本発明の具体的な一実施形態に係るＬ極プラグとＮ極プラグの模式図である。
【図１７】本発明の好ましい実施形態に係るアメリカ標準プラグの模式図である。
【図１８】本発明の具体的な一実施形態に係る接地極接続スリーブカバーの模式図である。
【図１９ａ】本発明の好ましい実施形態に係る組み立てられた旅行用変換装置の模式図である。
【図１９ｂ】図１９ａの断面図であり、旅行用変換装置に含まれるアメリカ標準プラグのメカニズムを説明するための図である。
【図１９ｃ】図１９ａの断面図であり、旅行用変換装置に含まれるアメリカ標準プラグのメカニズムを説明するための図である。
【図１９ｄ】図１９ａの断面図であり、旅行用変換装置に含まれるアメリカ標準プラグのメカニズムを説明するための図である。
【図１９ｅ】図１９ａの断面図であり、旅行用変換装置に含まれるアメリカ標準プラグのメカニズムを説明するための図である。
【図１９ｆ】図１９ａの断面図であり、旅行用変換装置に含まれるアメリカ標準プラグのメカニズムを説明するための図である。
【図１９ｇ】図１９ａの断面図であり、旅行用変換装置に含まれるアメリカ標準プラグのメカニズムを説明するための図である。
【図２０】本発明の好ましい実施形態に係るイタリア標準プラグモジュールの模式図である。
【図２１】本発明の具体的な一実施形態に係るラッチの構造模式図である。
【図２１ａ】本発明の好ましい実施形態に係る、図２１に基づいたラッチの構造分解図である。
【図２１ｂ】本発明の好ましい実施形態に係る折り曲げ可能なラッチの模式図である。
【図２２ａ】本発明の具体的な一実施形態に係るプラグブッシュシートの構造模式図である。
【図２２ｂ】本発明の具体的な一実施形態に係るＬ極プラグとＮ極プラグの模式図である。
【図２３】本発明の好ましい実施形態に係るイタリア標準プラグの模式図である。
【図２４】本発明の具体的な一実施形態に係る接地極接続スリーブカバーの模式図である。
【図２５】本発明の好ましい実施形態に係るプラグカバーの模式図である。
【図２６】本発明の好ましい実施形態に係るイタリア標準プラグモジュールとプラグカバーとが組み立てられた後の模式図である。
【図２７】図２６の平面図である。
【図２８】本発明の具体的な一実施形態に係る旅行用変換装置のケースの模式図である。
【図２９ａ】図２７に示された構造がケースに組み込まれた後のモジュール模式図である。
【図２９ｂ】旅行用変換装置中のイタリア標準プラグのメカニズムを説明する模式図である。
【図２９ｃ】旅行用変換装置中のイタリア標準プラグのメカニズムを説明する模式図である。
【図２９ｄ】旅行用変換装置中のイタリア標準プラグのメカニズムを説明する模式図である。
【図２９ｅ】旅行用変換装置中のイタリア標準プラグのメカニズムを説明する模式図である。
【図２９ｆ】旅行用変換装置中のイタリア標準プラグのメカニズムを説明する模式図である。
【図３０】本発明の好ましい実施形態に係る旅行用変換装置の構造模式図である。
【図３１】本発明の好ましい実施形態に係るプラグアセンブリの構造模式図である。
【図３２】本発明の好ましい実施形態に係るラッチモジュールの構造模式図である。
【図３３】本発明の好ましい実施形態に係るプラグアセンブリが外側にスライドし始める時の状態図である。
【図３４】第１実施形態に係るプラグハウジングが所定位置まで外側にスライドした後、ラッチモジュールがスライドし始める時の状態図である。
【図３５】本発明の好ましい実施形態に係るラッチモジュールが所定位置まで外側にスライドされた後の状態図である。
【図３６】本発明の好ましい実施形態に係るプラグハウジングが所定位置まで引き込まれた後の状態図である。
【図３７】本発明の好ましい実施形態に係るラッチモジュールが引き込まれる状態図である。
【図３８】本発明の好ましい実施形態に係るラッチモジュールが所定位置まで引き込まれた後の状態図である。
【図３９】本発明の好ましい実施形態に係るプラグアセンブリが外部へスライドし始めた時の状態図である。
【図４０】本発明の好ましい実施形態に係るプラグハウジングが所定位置までスライドされた後にラッチモジュールがスライドし始めた時の状態図である。
【図４１】本発明の好ましい実施形態に係るラッチモジュールが所定位置まで外側にスライドされた後の状態図である。
【図４２】本発明の好ましい実施形態に係るプラグハウジングが所定位置まで引き込まれた後の状態図である。
【図４３】本発明の好ましい実施形態に係るラッチモジュールが引き込まれる状態図である。
【図４４】本発明の好ましい実施形態に係るラッチモジュールが所定位置まで引き込まれた後の状態図である。
【図４５】本発明の好ましい実施形態に係るラッチラッチモジュールが外側にスライドし始めた時の状態図である。
【図４６】本発明の好ましい実施形態に係るラッチモジュールが所定位置まで外側にスライドされた後の状態図である。
【図４７】本発明の好ましい実施形態に係るプラグハウジングが外側にスライドし始めた時の状態図である。
【図４８】本発明の好ましい実施形態に係るプラグハウジングが所定位置まで引き込まれた後の状態図である。
【図４９】本発明の好ましい実施形態に係るラッチモジュールが引き込まれる状態図である。
【図５０】本発明の好ましい実施形態に係るラッチモジュールが所定位置まで引き込まれた後の状態図である。
【図５１】本発明の好ましい実施形態に係る旅行用変換装置の一部の内部構造模式図である。
【図５２】本発明の好ましい実施形態に係る旅行用変換装置の一部の構造の側面図である。
【図５３】本発明の好ましい実施形態に係るインターロックスライドプレートの構造模式図である。
【図５４】本発明の好ましい実施形態に係る図５３のＡ-Ａ線に沿った断面構造模式図である。
【図５５】本発明の好ましい実施形態に係るインターロックスライドプレートの構造模式図である。
【図５６】本発明の好ましい実施形態に係るイギリス標準プラグの構造模式図である。
【図５７】本発明の好ましい実施形態に係る各プラグが全てケースの内部に内蔵される時の側面図である。
【図５８】本発明の好ましい実施形態に係る、図５７に基づくインターロックスライドプレートと各ロックガイドピラーとの間の相対位置状態を示す構造模式図である。
【図５９】本発明の好ましい実施形態に係るオーストラリア標準プラグが引き出された後の側面図である。
【図６０】本発明の好ましい実施形態に係る、図５９に基づくインターロックスライドプレートと各ロックガイドピラーとの間の相対位置状態を示す構造模式図である。
【図６１】本発明の好ましい実施形態に係る、開口に操作部が設けられた部分の分解図である。
【図６２】本発明の好ましい実施形態に係る、ケースとカバープレートとの間に操作部が設けられた部分の分解図である。
【図６３】本発明の好ましい実施形態に係る、開口に設けられた操作部が使用される場合の各状態の模式図である。
【図６４】本発明の好ましい実施形態に係る、開口に設けられた操作部が使用される場合の各状態の模式図である。
【図６５】本発明の好ましい実施形態に係る、開口に設けられた操作部が使用される場合の各状態の模式図である。
【図６６】本発明の好ましい実施形態に係る、開口に設けられた操作部が使用される場合の各状態の模式図である。
【図６７】図６３のＡ-Ａの断面構造模式図である。
【図６８】本発明の好ましい実施形態に係る、ケースとカバープレートとの間に操作部が設けられて使用される場合の各状態の模式図である。
【図６９】本発明の好ましい実施形態に係る、ケースとカバープレートとの間に操作部が設けられて使用される場合の各状態の模式図である。
【図７０】本発明の好ましい実施形態に係る、ケースとカバープレートとの間に操作部が設けられて使用される場合の各状態の模式図である。
【図７１】本発明の好ましい実施形態に係る、ケースとカバープレートとの間に操作部が設けられて使用される場合の各状態の模式図である。
【図７２】本発明の好ましい実施形態に係る、ケースとカバープレートとの間に設けられた操作部の位置を示す側面模式図である。
【図７３】図６８のＡ-Ａに沿った断面構造模式図である。
【図７４】本発明の好ましい実施形態に係る、カバープレートに設けられたガイド構造の模式図である。
【図７５】本発明の好ましい実施形態に係る旅行用変換装置の一部の構造の模式図である。
【図７６】本発明の好ましい実施形態に係る図７５のＡ-Ａ線の断面構造模式図である。
【図７７】本発明の好ましい実施形態に係る図７６のＢ-Ｂ線の部分断面構造模式図である。
【図７８】本発明の好ましい実施形態に係る図７６のＢ-Ｂ線の部分断面構造模式図である。
【図７９】本発明の好ましい実施形態に係る旅行用変換装置の一部の構造模式図である。
【図８０】本発明の好ましい実施形態に係る図７９のＣ-Ｃ線の断面構造模式図である。
【図８１】本発明の好ましい実施形態に係る旅行用変換装置においてプラグを内蔵した部分の構造模式図である。
【図８２】本発明の好ましい実施形態に係る図８１のＤ-Ｄ線の断面構造模式図である。
【図８３】本発明の好ましい実施形態に係るプローブバッフルの構造模式図である。
【図８４】本発明の好ましい実施形態に係る図８１のＥ-Ｅ線の断面構造模式図である。
【図８５】本発明の好ましい実施形態に係る旅行用変換装置の一部の構造の模式図である。
【図８６】本発明の好ましい実施形態に係る図８５のＦ−Ｆ線の断面構造模式図である。
【図８７】本発明の好ましい実施形態に係る旅行用変換装置においてプラグを変換する構造の模式図である。
【図８８】本発明の好ましい実施形態に係る、図８７に基づく斜視観察模式図である。
【図８９】本発明の好ましい実施形態に係る多国プラグがプラグ分布平面内に隠された時の斜視観察模式図である。
【図９０】本発明の好ましい実施形態に係る旅行用変換装置の底部の平面観察構造模式図である。
【図９１】本発明の好ましい実施形態に係るオーストラリア標準プラグがプラグ分布平面外に引き出された後の観察構造模式図である。
【図９２】本発明の好ましい実施形態に係るイギリス標準プラグがプラグ分布平面外に引き出された後の観察構造模式図である。
【図９３】本発明の好ましい実施形態に係るアメリカ標準プラグがプラグ分布平面外に引き出された後の観察構造模式図である。
【図９４】本発明の好ましい実施形態に係るヨーロッパ標準プラグがプラグ分布平面外に引き出された後の観察構造模式図である。
【図９５】本発明の好ましい実施形態に係る旅行用変換装置のプラグ変換の構造模式図である。
【図９６】本発明の好ましい実施形態に係る、図９５に基づく側面図である。
【図９７】本発明の好ましい実施形態に係る前記プラグ変換のためのアメリカ標準プラグの構造模式図である。
【図９８】本発明の好ましい実施形態に係る前記プラグ変換のためのヨーロッパ標準プラグの構造模式図である。
【図９９】本発明の好ましい実施形態に係る前記プラグ変換のためのオーストラリア標準プラグの構造模式図である。
【図１００】本発明の好ましい実施形態に係る前記プラグ変換のためのイギリス標準プラグの構造模式図である。
【図１０１】本発明の好ましい実施形態に係る接地極プラグブッシュと導電板との間の接続関係の模式図である。
【図１０２】本発明の好ましい実施形態に係るアメリカ標準プラグと、イギリス標準プラグと、接地極プラグブッシュと、導電板との接続関係の模式図である。
【図１０３】本発明の好ましい実施形態に係るオーストラリア標準プラグと、接地極プラグブッシュと、導電板との接続関係の模式図である。
【図１０４】本発明の様々な実施形態に係る、図９５に基づく断面模式図である。
【図１０５】本発明の様々な実施形態に係る、図９５に基づく断面模式図である。
【図１０６】本発明の好ましい実施形態に係る旅行用変換装置のラッチの構造模式図である。
【図１０７】本発明の好ましい実施形態に係る前記ラッチの使用状態中の構造模式図である。
【図１０８】本発明の好ましい実施形態に係るＬＮ極端子を有するラッチの使用状態中の構造模式図である。
【図１０９】本発明の好ましい実施形態に係る旅行用変換装置のラッチベースの構造模式図である。
【図１１０】本発明の好ましい実施形態に係る旅行用変換装置のガイドピラーの構造模式図である。
【図１１１】本発明の好ましい実施形態に係る旅行用変換装置のスリーブされたラッチの構造模式図である。
【図１１２】本発明の様々な実施形態に係る旅行用変換装置のプラグベースの構造模式図である。
【図１１３】本発明の様々な実施形態に係る旅行用変換装置のプラグベースの構造模式図である。
【図１１４】本発明の好ましい実施形態に係る旅行用変換装置の位置制限弾性片の構造模式図である。
【図１１５ａ】本発明の好ましい実施形態に係る前記旅行用変換装置のプラグが使用されない時の原理図である。
【図１１５ｂ】本発明の好ましい実施形態に係る前記図１１５ａのＡ−Ａ線に沿った断面図である。
【図１１６ａ】本発明の好ましい実施形態に係る接地極モジュールとＬＮ極モジュールが同時に引き出された時の原理図である。
【図１１６ｂ】本発明の好ましい実施形態に係る前記図１１６ａのＢ−Ｂ線に沿った断面図である。
【図１１７ａ】本発明の好ましい実施形態に係る接地極モジュールとＬＮ極モジュールが全て引き出し位置に位置する時の原理図である。
【図１１７ｂ】本発明の好ましい実施形態に係る前記図１１７ａのＣ−Ｃ線に沿った断面図である。
【図１１８】本発明の好ましい実施形態に係るロックモジュールの斜視図である。
【図１１９】本発明の好ましい実施形態に係るイタリア標準プラグの模式図である。
【図１２０】本発明の好ましい実施形態に係るイタリア標準プラグの接地極モジュールとＬＮ極モジュールとが同時に引き出された時の斜視図である。
【図１２１】本発明の好ましい実施形態に係るイタリア標準プラグのＬＮ極モジュールのみが引き出された時の斜視図である。
【図１２２】本発明の好ましい実施形態に係るイタリア標準プラグの接地極モジュールとＬＮ極モジュールの別体模式図である。
【図１２３】本発明の好ましい実施形態に係るイタリア標準プラグの接地極モジュールとＬＮ極モジュールの組立模式図である。
【図１２４】本発明の好ましい実施形態に係るイタリア標準プラグの内部斜視図である。
【図１２５】本発明の好ましい実施形態に係るイタリア標準プラグの内部斜視図である。
【図１２６】本発明の好ましい実施形態に係るアメリカ標準プラグの模式図である。
【図１２７】本発明の好ましい実施形態に係るアメリカ標準プラグの接地極モジュールとＬＮ極モジュールが同時に引き出された時の斜視図である。
【図１２８】本発明の好ましい実施形態に係るアメリカ標準プラグにおけるＬＮ極モジュールのみが引き出された時の斜視図である。
【図１２９】本発明の好ましい実施形態に係るアメリカ標準プラグにおけるＬＮ極モジュールのみが引き出された時の斜視図である。
【図１３０】本発明の好ましい実施形態に係るアメリカ標準プラグの接地極モジュールとＬＮ極モジュールの別体模式図である。
【図１３１】本発明の好ましい実施形態に係るアメリカ標準プラグの接地極モジュールとＬＮ極モジュールの組立模式図である。
【図１３２】本発明の好ましい実施形態に係るアメリカ標準プラグの内部斜視図である。
【図１３３】本発明の好ましい実施形態に係る旅行用変換装置中のバッフルゲート構造の全体斜視図である。
【図１３４】本発明の好ましい実施形態に係るバッフルゲート構造のハウジングの斜視模式図である。
【図１３５】本発明の好ましい実施形態に係るバッフルゲート構造のプラグモジュールの斜視図である。
【図１３６】本発明の好ましい実施形態に係るバッフルゲート構造の弾性部の斜視模式図である。
【図１３７】本発明の好ましい実施形態に係るバッフルゲート構造の第１バッフルゲートと第２バッフルゲートの斜視模式図である。
【図１３８】本発明の好ましい実施形態に係るバッフルゲート構造の第１バッフルゲートと第２バッフルゲートとが接続された後の斜視図である。
【図１３９】本発明の好ましい実施形態に係るプラグモジュールがハウジングに引き込まれた時のバッフルゲート構造の斜視図及び部分断面図である。
【図１４０】本発明の好ましい実施形態に係るプラグモジュールがハウジングに引き込まれた時のバッフルゲート構造の斜視図及び部分断面図である。
【図１４１】本発明の好ましい実施形態に係るプラグモジュールがハウジングから引き出された時のバッフルゲート構造の斜視図及び部分断面図である。
【図１４２】本発明の好ましい実施形態に係るプラグモジュールがハウジングから引き出された時のバッフルゲート構造の斜視図及び部分断面図である。
【図１４３】本発明の好ましい実施形態に係る旅行用変換装置の導電構造の斜視図である。
【図１４４】本発明の好ましい実施形態に係る旅行用変換装置の第１導電構造の斜視図である。
【図１４５】本発明の好ましい実施形態に係る旅行用変換装置の第１導電構造の平面図である。
【図１４６】本発明の好ましい実施形態に係る旅行用変換装置の第２導電構造の斜視図である。
【図１４７】本発明の好ましい実施形態に係る旅行用変換装置の複数のプラグにそれぞれ対応する異なる国の標準プラグの構造模式図である。
【図１４８】本発明の好ましい実施形態に係る旅行用変換装置の複数のプラグにそれぞれ対応する異なる国の標準プラグの構造模式図である。
【図１４９】本発明の好ましい実施形態に係る旅行用変換装置の複数のプラグにそれぞれ対応する異なる国の標準プラグの構造模式図である。
【図１５０】本発明の好ましい実施形態に係る旅行用変換装置の複数のプラグにそれぞれ対応する異なる国の標準プラグの構造模式図である。
【図１５１】本発明の好ましい実施形態に係る、図１４７に基づくオーストラリア標準プラグが第１導電構造に挿入された模式図である。
【図１５２】本発明の好ましい実施形態に係る、図１４７に基づくオーストラリア標準プラグが第１導電構造に挿入された模式図である。
【発明を実施するための形態】
【００９６】
以下、本発明の実施形態中の図面を参照して、本発明の実施形態に係る技術案を図面に基づいて明確かつ完全に説明する。勿論、説明される実施形態は本発明の一部の実施形態にすぎず、全ての実施形態ではない。本発明の実施形態に基づいて、当業者がクリエイティブな努力しなくても得られる他のすべての実施形態は、本発明の保護範囲内に含まれる。
【００９７】
尚、互いに矛盾しない場合、本発明の実施形態及び実施形態の特徴は相互に組み合わせてもよい。
【００９８】
以下、図面と実施形態に基づき、本発明を詳細に説明するが、本発明はこれに限定されるものではない。
【００９９】
実施形態１
図１〜１３を参照すると、旅行用変換装置を提供する。当該旅行用変換装置は、ケース１０と、プラグブッシュシート１１と、支持フレーム７１（図７〜８）と、ラッチモジュール１２と、を含む。具体的に、前記プラグブッシュシート１１は、ケース１０内に設けられ、支持フレーム７１は、プラグブッシュシート１１の下に位置して、プラグブッシュシート１１に接続され、複数のラッチ１４モジュール１２は、それぞれ支持フレーム７１に設けられる。
【０１００】
また、前記支持フレーム７１は、前記プラグブッシュシート１１に対して垂直方向に固定接続され、プラグブッシュシート１１に沿って水平方向に摺動する。
【０１０１】
実施形態２
前記技術案に基づいて、図１〜６を参照すると、前記ラッチ１４モジュール１２は、ラッチベース１３及びラッチベース１３に設けられたラッチ１４を含む。前記支持フレーム７１には、位置決めプレート１５（図８〜９）が設けられており、当該位置決めプレート１５には、高位の位置決めステップ１６及び当該高位の位置決めステップ１６の下に位置する低位の位置決めステップ１７が設けられる。前記ラッチベース１３は、前記位置決めプレート１５にスリーブされ、前記高位の位置決めステップ１６に位置するまたは低位の位置決めステップ１７に位置することにより、位置決めされる。
【０１０２】
前記実施形態において、前記プラグブッシュシート１１と支持フレーム７１とが接続され、プラグブッシュシート１１と前記支持フレーム７１との接続により、プラグブッシュシート１１と支持フレーム７１とが上下方向の位置決めを可能にするとともに、支持フレーム７１が左右に摺動できる。
【０１０３】
実施形態２
前記技術案に基づいて、前記ケース１０には、更に開口が設けられ、支持フレーム７１上の対応する位置にボタン１８（図８〜９）が設けられる。当該ボタン１８は開口を貫通して、開口から突出する。ユーザはボタン１８を押すことによって、支持フレーム７１をプラグブッシュシート１１に対して摺動させることができる。
【０１０４】
本実施形態において、前記ケース１０には、更に摺動路摺動路が設けられ、ラッチベース１３にはスライドボタン１９（図１〜６）が設けられる。当該スライドボタン１９は摺動路摺動路から引き出され、ユーザーは当該スライドボタン１９を操作することによってラッチモジュール１２を摺動させることができる。
【０１０５】
実施形態３
前記技術案に基づいて、前記支持フレーム７１の上下に位置され、左右に摺動できる構造の具体的な実現形態は、以下の形態を含む。プラグブッシュシート１１には、位置決め上部ブロックが設けられ、当該位置決め上部ブロックとプラグブッシュシート１１の底面との間には中間層が形成される。これに対応して、前記支持フレーム７１には位置決め下部ブロック８１（図８と図１３）が設けられ、当該位置決め下部ブロック８１がプラグブッシュシート１１と位置決め上部ブロックによって形成された前記中間層に挿入される。
【０１０６】
具体的には、本実施形態において、前記位置決め上部ブロックは、プラグブッシュシート１１の底面に設けられ、図１０、図１１及び図１３に示されるように、前記位置決め上部ブロックは、具体的には下部延長板１０１及び水平板１０２を含む。下部延長板１０１は、位置決め上部ブロックから下に伸び、水平板１０２は、前記下部延長板１０１の位置決め上部ブロックに接続されていない一端に設けられ、位置決め上部ブロックが「Ｌ」状になるように水平に延びる。前記水平板１０２とプラグブッシュシート１１との間には前記中間層が形成される。
【０１０７】
これに対応して、本実施形態において、図８と図１３に示されるように、前記位置決め下部ブロック８１は、前記支持フレーム７１の下端面に位置し、支持フレーム７１の上端面には中空部が設けられ、前記位置決め下部ブロック８１は中空部に設けられ、位置決め下部ブロック８１と支持フレーム７１の上端面は面一であり、即ち、位置決め下部ブロック８１の上面と支持フレーム７１の上端面は面一である。
【０１０８】
本実施形態において、前記位置決め下部ブロック８１の厚さは支持フレーム７１の上端面の厚さより薄いため、組み立て時に位置決め下部ブロック８１を簡単に中間層に挿入することができる。
【０１０９】
実施形態４
前記技術案に基づいて、前記プラグブッシュシート１１と支持フレーム７１との間には、摺動させた後に支持フレーム７１をリセット可能にするように弾性装置が設けられており、支持フレーム７１が操作された後に自動的にリセットすることができる。図１０〜１３に示されるように、当該弾性装置は、ばね７２であってもよい。前記プラグブッシュシート１１の底面にはばね室１０３が設けられ、前記ばね７２は、ばね室１０３内に配置されてもよい。これに対応して、支持フレーム７１の上端面には、ばねストッパ１３１が設けられ、前記ばね７２は、ばねストッパ１３１に押し付けられる。
【０１１０】
上記の説明によれば、本発明のある好ましい実施形態において、図１〜１３に示されるように、ラッチモジュール１２がケース１内に収納されている場合には、ラッチベース１３は高位の位置決めステップ１６に掛けられることによって、ラッチベース１３がケース１０内に位置決めされ、ラッチ１４を引き出す場合には、まずボタン１８を押し、支持フレーム７１を内側に摺動させ、この時、ラッチベース１３を支持フレーム７１の高位の位置決めステップ１６から外して、スライドボタン１９によってラッチモジュール１２を下に摺動させ、ラッチ１４をケース１０外に引き出す。ラッチ１４が所定位置まで引き出された後、ボタン１８を放し、支持フレーム７１はばね７２によってリセットされる。この時、ラッチベース１３が低位の位置決めステップ１７に押し付けられることによって、ラッチモジュール１２がブロックされて位置決めされ、ラッチ１４はケース１０内に引き込まれない。ラッチ１４をケース１０１内に再び収納する場合には、再度ボタン１８を押し、支持フレーム７１を内側に摺動させ、この時ラッチベース１３を支持フレーム７１の低位の位置決めステップ１７から外して、ラッチ１４が完全にケース１０内に収納されるまでスライドボタン１９によってラッチモジュール１２を上に摺動させる。この時、ボタン１８を放し、支持フレーム７１はばね７２によってリセットされる。この時、ラッチベース１３は高位の位置決めステップ１６に掛けられて、再び位置決めされる。
【０１１１】
実施形態５
前記技術案に基づいて、前記支持フレーム７１の上端面には下限位置バックル８２が設けられ、前記プラグブッシュシート１１の底面には前記下限位置バックル８２に対応する上限位置バックル１０４が設けられる。ボタン１８を押すと、支持フレーム７１は内側に摺動し、ボタン１８を放すと支持フレーム７１はリセットされる。この時、上限位置バックル１０４と下限位置バックル８２は相互に引っ掛かり、支持フレーム７１が過度に摺動することが防止される。
【０１１２】
実施形態６
前記技術案に基づいて、図１４〜１１９ｆに示されるように、前記旅行用変換装置のケース１０（１０’）は、旅行用変換装置の外部にあり、前記プラグブッシュシート１１（１１’）にはＬ極プラグ、Ｎ極プラグ及びラッチが設けられ、プラグブッシュシートは外力によってＬ極プラグ１４１（１４１’）、Ｎ極プラグ１６１Ｂ（４’）及びラッチ１４（１４’）を動かして、ケース１０（１０’）内から引き出されるか、またはケース１０（１０’）内に収納される。ラッチ１４（１４’）はプラグブッシュシート１１（１１’）に対して折り曲げ可能であり、それによってラッチ１４（１４’）がケースから引き出される時に折り畳むことができる。
【０１１３】
本実施形態において、前記旅行用変換装置は、プラグブッシュシートによってＬ極プラグ、Ｎ極プラグ及びラッチを、ケース内から引き出すか、またはケース内に収納するように動かすことができるだけでなく、ラッチを折り曲げることができて、便利である。
【０１１４】
本実施形態において、前記旅行用変換装置は、接地極接続スリーブカバー１４２（１４２'）をさらに含み、接地極接続スリーブカバー１４２（１４２'）は変換装置本体内に固定される。ラッチ１４（１４'）が収納状態にある場合、接地極接続スリーブカバー１４２（１４２'）はラッチ１４（１４'）にスリーブされ、接地極接続スリーブカバー１４２（１４２'）とラッチ１４（１４'）は、ラッチ１４（１４'）が引き出される時に電気的に接続される。
【０１１５】
図１５と図８に示されるように、ラッチ１４（１４'）は、一端がプラグブッシュシート１１（１１'）に固定された接地極ベース１５２（１５２'）と、接地極ベース１５２（１５２'）の他端に可動的に接続される接地極折り曲げ部１５１（１５１'）とを含むことができ、接地極折り曲げ部１５１（１５１'）は接地極ベース１５２（１５２'）に対して折り曲げ可能である。
【０１１６】
ラッチを二箇所に設けることにより、ラッチが必要のない場合には、ケース外に引き出されたラッチを折り曲げることによって、即ち、接地極折り曲げ部を折り曲げることによって、ケース内部にある接地極ベースを折り畳む必要がないため、接地極ベースの設計は、プラグブッシュシートの製造難易度を下げ、本発明の構造を簡単にし、加工も容易になる。
【０１１７】
実施形態７
前記技術案に基づいて、図１５ａと図１５ｂに示されるように、接地極ベース１５２と接地極折り曲げ部１５１とは枢動自在に接続され、接地極折り曲げ部１５１と接地極ベース１５２との接続端には一対の対向設置されるピンジョイント耳部１５４ａが設けられ、接地極ベース１５２には、ピンジョイント耳部１５４ａに挟まれるピンジョイント舌部１５５ａが設けられ、ピンジョイント耳部１５４ａとピンジョイント舌部１５５ａとはピンジョイント軸１５１ａによって接続される。
【０１１８】
具体的に、本実施形態において、接地極折り曲げ部１５１の接地極ベース１５２に接続された一端には、縦方向の切欠きによって一対のピンジョイント耳部１５４ａが形成され、接地極ベース１５２のピンジョイント舌部１５５ａの形状とピンジョイント耳部１５４ａの形状と一致する。ピンジョイント舌部１５５ａとピンジョイント耳部１５４ａは、ピンジョイント軸１５１ａを介して接続されて、接地極ベース１５２と接地極折り曲げ部１５１を枢動自在に接続され、これによって、接地極折り曲げ部１５１は、接地極ベース１５２に対してピンジョイント軸１５１ａを中心として回転自在に折り曲げることができる。
【０１１９】
前記ラッチ１４は、接地極折り曲げ部１５１の内部に設けられた弾性部材１５２ａと可動銅ピラー１５３ａと、をさらに含み、可動銅ピラー１５３ａは、ピンジョイント舌部１５５ａと弾性部材１５２ａとの間に設けられる。弾性部材１５２ａを設けることによって、弾性部材１５２ａは可動銅ピラー１５３ａに弾力を加え、可動銅ピラー１５３ａとピンジョイント舌部１５５ａとの良好な電気的な接続が維持され、したがって接地極折り曲げ部１５１と接地極ベース１５２との良好な電気的な接続を維持することができる。接地極折り曲げ部１５１が初期の直立状態にある時に、可動銅ピラー１５３ａの端面はピンジョイント舌部１５５ａの端面に当接する。ピンジョイント舌部１５５ａは、接地極折り曲げ部１５１が終点位置まで折れ曲げられた時に可動銅ピラー１５３ａの端面に当接する終点面をさらに含み、ピンジョイント軸１５１ａからピンジョイント舌部１５５ａの端面までの距離及びピンジョイント軸１５１ａから終点面までの距離は、共にピンジョイント軸１５１ａからピンジョイント舌部１５５ａの端面と終点面との間の位置の距離より小さい。
【０１２０】
本実施形態において、接地極折り曲げ部１５１は、中空の筒状構造であり、前記接地極折り曲げ部１５１の前記接地極ベース１５２に接続する一端は、前記弾性部材１５２ａと前記可動銅ピラー１５３ａを収容するための凹溝を形成するように内側に凹み、したがって接地極折り曲げ部１５１が中空の筒状構造に形成される。前記弾性部材１５２ａはばねであり、ばねは接地極折り曲げ部１５１の凹溝内に位置し、可動銅ピラー１５３ａを押してピンジョイント舌部１５５ａと弾性接触させる。ピンジョイント舌部１５５ａのほぼ中心位置にはピンジョイント軸１５１ａが貫通する孔が設けられる。
【０１２１】
前記プラグ構造が作動する時に、外力によって、接地極折り曲げ部１５１は、ピンジョイント軸１５１ａを中心に回転自在であり、可動銅ピラー１５３ａはばねの弾性圧力を受け、ピンジョイント舌部１５５ａに接触し、回転時に生じた一定の摩擦力は接地極折り曲げ部１５１の回転を防止することにより、接地極折り曲げ部１５１を回転させる過程において、良好な電気的な接続を維持することができ、同時に接地極折り曲げ部１５１を回転させる際に一定の回転力を感じられることができる。前記の構成によれば、弾性力を利用してラッチ１４を自動的に調整して収納することができ、手動で調整するという従来技術の欠陥を解消することができる。
【０１２２】
実施形態８
前記技術案に基づいて、図１６ａは、本発明の接地極ベース１５２を固定するプラグブッシュシート１１の構造を示す。プラグブッシュシート１１には固定端１６１ａが設けられ、ラッチ１４の接地極ベース１５２は、固定端１６１ａを介してプラグブッシュシート１１に固定され、プラグブッシュシート１１には、Ｌ極プラグ１４１及びＮ極プラグ１６１Ｂと固定する固定端（図示せず）がさらに設けられる。Ｌ極プラグ１４１及びＮ極プラグ１６１Ｂの構造は、図１６ｂに示される。図１７では、ラッチ１４、Ｌ極プラグ１４１及びＮ極プラグ１６１Ｂがプラグブッシュシート１１に固定された後のプラグ構造Ｔ１を示している。
【０１２３】
本実施形態において、接地極ベース１５２の頂部には、縦方向凹溝１５３を設けることができ、接地極ベース１５２は縦方向凹溝１５３を介してプラグブッシュシート１１の固定端に固定される。Ｌ極プラグ１４１及びＮ極プラグ１６１Ｂもプラグブッシュシート１１の対応位置に固定され、ラッチ１４の折り返し方向はＬ極プラグ１４１とＮ極プラグ１６１Ｂとの間の中心線に位置する。
【０１２４】
本実施形態において、接地極接続スリーブカバー１４２の構造は図１８に示され、接地極接続スリーブカバー１４２の側壁には、ボス（凸状）接触面１８１が設けられ、ラッチ１４は摺動時にボス接触面１８１に接触し、電気的に接続することが実現される。
【０１２５】
図１７のプラグ構造Ｔ１と図１８の接地極接続スリーブカバー１４２を組み立てることによって、図１４に示されるプラグ構造モジュールが得られ、接地極接続スリーブカバー１４２とラッチ１４は摺動自在に接続され、接地極接続スリーブカバー１４２は二つの側壁を備え、各側壁にはボス接触面１８１が設けられ、接地極接続スリーブカバー１４２は、取り付け位置決め孔１８２を介して変換装置本体に固定される。プラグブッシュシート１１が押されると、プラグブッシュシートはラッチ１４をガイドして接地極接続スリーブカバー１４２内で摺動するようにし、摺動の過程において、ラッチ１４は接地極接続スリーブカバー１４２のボス接触面に接触し、電気的に接続する。変換装置本体にはラッチを収納する収納溝１９１ａが設けられ、具体的には、ラッチ１４の接地極折り曲げ部１５１を収納するために、当該収納溝１９１ａは、変換装置本体における接地極折り曲げ部１５１の折り曲げ時に対応される位置に設けられる。
【０１２６】
実施形態９
前記技術案に基づいて、図１９ａ〜１９ｇは本発明の旅行用変換装置の構造模式図であり、当該旅行用変換装置は下部ケース１０を含み、下部ケース１０内には図１４に示されるアメリカ標準プラグ構造モジュールが設けられ、図１９ａでは、プラグブッシュシート１１、接地極接続スリーブカバー１４２、及び収納溝１９１ａを示す。以下、図１９ａのＡ−Ａ断面図、図１９ｂ〜図１９ｇを参照して、本発明のメカニズムをさらに説明する。
【０１２７】
図１９ｂは、プラグブッシュシート１１全体が旅行用変換装置内に収納された時の模式図であり、ラッチ１４は接地極接続スリーブカバー１４２内に位置し、初期状態とする。
【０１２８】
プラグブッシュシート１１を押すことによって、プラグブッシュシート１１はラッチ１４をガイドして接地極接続スリーブカバー１４２内で摺動するようにする。図１９ｃでは、ラッチ１４、Ｌ極プラグ１４１及びＮ極プラグ１６１Ｂがすべて旅行用変換装置の表面から押し出されていることが分かる。ラッチ１４を使用しない場合には、折り畳むことによって、即ち、接地極折り曲げ部１５１が接地極ベース１５２に対して回動し、収納溝１９１ａ内に収納されることができる。収納状態は図１９ｄに示されるが、接地極折り曲げ部１５１を折り畳むか否かは、ユーザーが必要に応じて決定する。
【０１２９】
実施形態１０
前記技術案に基づいて、図１９ｄの状態での使用が終了した後、図１９ｅ〜１９ｇの手順を参照して収納することができる。前記収納溝１９１ａは、弾性プラスチック構造または板ばねで構成することができる。弾性プラスチック構造または板ばねの設置によって、ラッチ１４がプラグ台座２にガイドされて旅行用変換装置に引き込まれる時に、ラッチ１４をより滑らかに摺動させることができる。また、収納溝１９１ａと接地極接続スリーブカバー１４２５とが重なる部分に調整ガイド構造１９１ｅが設けられ、調整ガイド構造１９１ｅはバッフル構造であってもよく、収納過程において、ラッチ１４は、当該調整ガイド構造１９１ｅを通じて、ラッチ１４の内部弾性力により、自動的に調整ガイド機能を実現する。図１９ｇは、収納が完了され、ラッチ１４１が正常位置に調整されていることを示している。
【０１３０】
実施形態１１
前記技術案に基づいて、図２１、図２１ａ及び図２１ｂにおいて別の構造のラッチでは、接地極ベース１５２は、接地極クリップ１５２'であり、その一端はプラグブッシュシート１１'に接続され、接地極折り曲げ部１５１'は回転自在に接地極クリップ１５２'の他端に接続され、接地極クリップ１５２'は折り曲げられた後の接地極折り曲げ部１５１'を収容するための少なくとも一つの側壁が開口された半密閉収容室である。また、本実施形態において、ラッチ１４'は弾性片１５２ａ'をさらに含む。弾性片１５２ａ'は接地極クリップ１５２'の内部に取り付けられ、前記接地極折り曲げ部１５１'が折り曲げられる時に、前記接地極折り曲げ部１５１'を弾性支持し、且つ前記接地極折り曲げ部１５１'に電気的に接続される。
【０１３１】
接地極折り曲げ部１５１'と接地極クリップ１５２'とは、位置決めピン１５１ａ'のような接続部材によって接続され、接地極折り曲げ部１５１'は、位置決めピン１５１ａ'を中心に１８０度回転可能で、回転過程において、良好な電気的な接続を維持する。
【０１３２】
実施形態１２
前記技術案に基づいて、図２２ａに示されるのは、本発明の別のプラグブッシュシート１１'であり、図２１に示されるラッチ１４'と図２２ｂに示されるＬ極プラグ１４１'及びＮ極プラグ１６１ｂ'を、図９ａに示されるプラグブッシュシート１１'の対応位置に固定して、本実施形態のイタリア標準プラグが得られる。
【０１３３】
本実施形態において、図２３に示されるイタリア標準プラグＴ２と図２４に示される接地極接続スリーブカバー１４２'とを、一体型に組み立て、図７に示されるイタリア標準プラグモジュールP２を構成し、プラグブッシュシート１１'を押すことによって、プラグブッシュシート１１'はラッチ１４'をガイドして接地極接続スリーブカバー１４２'内で摺動するようにする。
【０１３４】
本実施形態において、接地極接続スリーブカバー１４２'の頂部に位置決め部材１８２'が設けられ、接地極接続スリーブカバー１４２'の底部側壁にボス（凸状）接触面１８１'が設けられ、接地極接続スリーブカバー１４２'は半開放式スライド溝構造であり、ボス接触面１８１の良好な弾性を保証する。
【０１３５】
本発明の異なる実施形態の接地極接続スリーブカバー１４２は、良好な弾性を有するために、好ましくは側壁が弾性材料で形成される。
【０１３６】
本実施形態において、図２６は図２０のイタリア標準プラグモジュールと図２５に示されるプラグカバー２５１とを一体型に組み立てた後のモジュールである。プラグブッシュシート１１'のボタン１８はプラグカバー２５１から突出し、操作過程において外力が加えられ、プラグブッシュシート１１'を収縮させる。プラグカバー２５１にはラッチ可動孔２５２が設けられる。具体的には、接地極接続スリーブカバー１４２'の頂部の位置決め部材１８２'は、図２６に示される位置に固定されることができ、プラグブッシュシート１１'のボタン１８を押すことにより、イタリア標準プラグの上下移動を実現することができる。図２７は図２６の平面図であり、図２７を図２８に示される変換装置本体のケース１０'に組み立てて、図２９ａに示される変換装置本体を構成する。ケース１０'内に取り付けることによって、プラグブッシュシート１１'のボタン１８はケース１０'外に突出し、操作に備える。
【０１３７】
以下、図２９ｂ及び図２９ｂのＡ−Ａ方向の断面図、図２９ｃ〜図２９ｆを参照して、イタリア標準プラグモジュールのメカニズムを説明する。図２９ｃは初期状態とみなされる。図２９ｄに示されるように、プラグブッシュシート１１'を押すことによって、イタリア標準プラグは正常に押し出され、プラグブッシュシート１１'はラッチ１４'をガイドして接地極接続スリーブカバー１４２'内で摺動させる。図２９ｄに示されるように、ラッチ１４'は変換装置本体の表面から押し出され、即ち、ケース１０'外に押し出される。ラッチ１４'を使用されない場合には、折り曲げることによって、即ち、接地極折り曲げ部１５１'は相対的な回動によって完全に折り畳められる。ケース１０'には阻止部材２９１ｃが設けられており、接地極折り曲げ部１５１'が折り曲げ状態にある場合、接地極折り曲げ部１５１'は阻止部材２９１ｃに当接することにより、阻止部材２９１ｃは接地極折り曲げ部１５１'の位置を制限できる。同時に、接地極折り曲げ部１５１'を収納する際に、阻止部材２９１ｃは、接地極折り曲げ部１５１'を調整することにより、収納をよりスムーズにする。グランドラッチ１４'を折り畳むか否かは、ユーザーが必要に応じて決定する。イタリア標準プラグを内側に収納する必要がある場合、図２９ｅ、図２９ｆを参照して収納すれば良い。
【０１３８】
前記実施形態の旅行用変換装置は、ラッチがプラグブッシュシートに対して折り曲がることができ、ラッチを独立的に収納により複数の標準の変換器を切り替え、同時に、プラグブッシュシートがラッチをガイドして摺動させ、迅速な収納を実現し、収納し易い。
【０１３９】
実施形態１３
前記技術案に基づいて、図３０〜３８に示されるように、前記旅行用変換装置はプラグハウジング３１１をさらに含み、当該プラグハウジング３１１には、前記ラッチモジュール１２が設けられ、ラッチモジュール１２は、摺動自在にプラグハウジング３１１内に設けられる。当該ラッチ１４モジュールとプラグハウジング３１１とによってプラグアセンブリ３０１が構成され、当該プラグアセンブリ３０１はケース１０内に設けられ、ケース１０の下端面から引き出される。
【０１４０】
前記ラッチモジュール１２とプラグハウジング３１１との間には第２ロック部材が設けられ、当該第２ロック部材は、前記ラッチモジュールがプラグハウジング３１１に対して摺動する時に、ロック機能またはロック解除機能を提供する。具体的には、ラッチモジュール１２がプラグハウジング３１１に対して摺動する際に、ラッチモジュール１２とプラグハウジング３１１との間をロックまたはロック解除をすることができる。
【０１４１】
これに対応して、プラグハウジング３１１とケース１０との間には第１ロック部材が設けられ、当該第１ロック部材はプラグハウジング３１１とケース１０との間をロックまたロック解除をすることができる、即ち、プラグハウジング３１１がケース１０に対して摺動する際に、ロックまたはロック解除機能を提供する。
【０１４２】
プラグアセンブリ３０１が摺動する際に、第２ロック部材がロック解除状態にある場合、第１ロック部材はロック状態にあるが、これに対して、第２ロック部材がロック状態にある場合、第１ロック部材はロック解除状態にある。即ち、第２ロック部材によってラッチモジュール１２とプラグハウジング３１１とがロックされる場合、第１ロック部材によってプラグハウジング３１１とケース１０とのロックが解除され、第２ロック部材によってラッチモジュール１２とプラグハウジング３１１３とのロックが解除される場合、第１ロック部材によってプラグハウジング３１１とケース１０とがロックされる。換言すれば、プラグアセンブリ３０１の摺動の際に、第２ロック部材と第１ロック部材は同時にロック状態にならず、また同時にロック解除の状態にもならない。
【０１４３】
本実施形態において、ラッチモジュール１２は、ヨーロッパ標準ラッチモジュールであり、ラッチモジュール１２のラッチベース１３とラッチ１４との間の具体的な取り付け方法は以下のようである。ラッチ１４は内側に凹むスナップ溝が設けられ、当該ラッチ１４の尾部はラッチベース１３内に挿入され、ラッチベース１３内にはスナップリングが設けられ、スナップリングは前記スナップ溝内に嵌められる。本実施形態において、ケース１０内にガイドピラー３３１が設けられ、ガイドピラー３３１はラッチ１４内に挿入され、プラグアセンブリ３０１の摺動をガイドすることができる。
【０１４４】
本実施形態において、前記第１ロック部材は具体的に、
プラグハウジング３１１の外壁に設けられる位置制限ブロック３１２と、
位置制限ブロック３１２をブロックするためのケース１０の下端面と、
ケース１０内に設けられ、プラグハウジング３１１の上端面をブロックするための阻止部材と、を含む。
【０１４５】
ケース１０の前記下端面の内側には、位置制限ブロック３１２に対応する位置決めステップ３３２がさらに設けられ、位置制限ブロック３１２の位置制限にさらに有利である。
【０１４６】
本実施形態において、前記第２ロック部材は具体的に、
ラッチベース１３に設けられ、外側に引っ掛けられたスナップフックを備える弾性片３２１と、
プラグハウジング３１１の内壁に設けられる上側ロック部と、
同じくプラグハウジング３１１の内壁に設置される下側ロック部と、を含む。
【０１４７】
よって、前記スナップフック３２２は、それぞれ可動的に前記上側ロック部及び前記下側ロック部に嵌められ、前記プラグハウジング３１１は、
プラグハウジング３１１から突出し、プラグハウジング３１１の内壁に設けられ、ラッチ１４に沿って軸方向に配置されるロックバー３３４と、
ロックバー３３４に設けられ、上側ロック部を形成するロック開口３５１と、
ロック開口３５１の下端面からなり、プラグハウジング３１１の上端面に対向して設けられるロック開口斜面３５２と、
ロックバー３３４の下端面からなり、プラグハウジング３１１の下端面に対向して設けられるロックバー斜面３３５と、
スナップフック３２２の下端面に設けられ、前記ロック開口斜面と適合するスナップフック３２２斜面と、をさらに含む。
【０１４８】
前記スナップフック３２２は、プラグハウジング３１１の上端面に対向する上斜面４０１と、プラグハウジング３１１の下端面に対向する下斜面４０２と、を備える。
【０１４９】
前記設置により、スナップフック３２２は前記ロック開口３５１に嵌まる、またはロックバー３３４の下端に引っ掛けることができるが、スナップフック３３２はロック開口３５１またはロックバー３３４の下端面から強引に取り外すこともできる。
【０１５０】
本実施形態において、ケース１０にはスライド溝３０２が設けられ、ラッチベース１３にはスライドボタン１９が設けられ、スライドボタン１９はスライド溝３０２外に引き出される。
【０１５１】
図３３に示されるように、初期状態では、スナップフック３２２はロック開口３５１内に引っ掛かり、この時、ラッチモジュール１２とプラグハウジング３１１とはロックされる。その後、スライドボタン１９を下側に摺動させ、ラッチベース１３をガイドして摺動させることで、ラッチモジュール１２とプラグハウジング３１１とを外に移動させる。この時、位置制限ブロック３１２は機能せず、プラグハウジング３１１とケース１０との間はロックされない。ラッチモジュール１２とプラグハウジング３１１とが下に一定距離を摺動された後、プラグハウジング３１１の外壁の位置制限ブロック３１２はケース１０の下端面の内側（本実施形態における位置決めステップ３３２）に当接し、この時、プラグハウジング３１１はブロックかつロックされるため、外にスライドできなくなる。
【０１５２】
図３４に示されるように、この時、スライドボタン１９を引き続き摺動させると、ロック開口３５１の下端面は上向きのロック開口斜面３５２となるため、弾性片３２１はある程度変形し、変形された後にロック開口３５１から外れる。スナップフック３２２の下端面は、ロック開口３５１のロック開口斜面３５２に適合するスナップフック３２２斜面を有し、したがって弾性片３２１の変形とスナップ鈎３２２が強引に外されることに有利である。この時、ラッチモジュール１２とプラグハウジング３１１との間はロック解除されるが、プラグハウジング３１１はケース１０によってブロック且つロックされる。その後、スライドボタン１９をラッチベース１３と共に下に引き続き摺動させる、即ちラッチ１４を下に摺動させることができる。
【０１５３】
図３５に示されるように、ラッチモジュール１２は再び一定距離を摺動した後、スナップフック３２２はロックバー３３４の下端面の下側に位置し、この時、弾性片３２１はリセットされ、スナップフック３２２はロックバー３３４の下端面にロックされ、この時、ラッチ１４は所定位置に引き出される。
【０１５４】
図３６に示されるように、スライドボタン１９を引き戻すと、スナップフック３２２がロックバー３３４の下端面にロックされているため、ラッチモジュール１２とプラグハウジング３１１とはロックされ、スライドボタン１９を引き戻すことにより、ラッチモジュール１２とプラグハウジング３１１とを全体的に後退させることができる。途中で、プラグハウジング３１１の外壁の位置制限ブロック３１２が、ケース１０の下端面から離れ、プラグハウジング３１１とケース１０との間はロック解除される。
【０１５５】
図３７に示されるように、プラグハウジング３１１が所定位置に後退されると、プラグハウジング３１１の上端面は、阻止部材によってブロックされ、この時、プラグハウジング３１１とケース１０との間は阻止部材によってブロック且つロックされ、スライドボタン１９を続いて引き戻すと、ロックバー３３４の下端面は下に向かうロックバー斜面３３５であるため、弾性片３２１の弾性力及びロックバー斜面３３５の作用によって、弾性片３２１は変形し、スナップフック３２２はロックバー３３４の下端から離れ、ラッチモジュール１２とプラグハウジング３１１との間はロック解除され、ラッチモジュール１２は、図３８に示されるように、スナップフック３２２が再びロック開口３５１内に嵌まるまでさらに引き込まれることができる。本実施形態において、ケース１０内の阻止部材は取り付けバッフルプレート３３３であり、ガイドピラー３３１はねじによって取り付けバッフルプレート３３３に取り付けられる。
【０１５６】
実施形態１４
前記技術案に基づいて、図３０〜３２及び図３９〜４４に示されるように、前記弾性片３２１には外側に引っ掛けられたスナップフック３２２が設けられ、プラグハウジング３１１の内壁には第１ロック孔３９１と第２ロック孔３９２が形成され、スナップフック３２２は、第１ロック孔３９１と第２ロック孔３９２に引っ掛けることができ、また第１ロック孔３９１と第２ロック孔３９２から強引に外すことができる。前記第１ロック孔３９１は上側ロック部を形成し、前記第２ロック孔３９２は下側ロック部を形成する。
【０１５７】
本実施形態において、図３９に示されるように、初期状態では、スナップフック３２２は第１ロック孔３９１内に引っ掛かり、この時、ラッチモジュール１２とプラグハウジング３１１とはロックされ、スライドボタン１９を下側に摺動させ、ラッチベース１３をガイドして摺動させて、ラッチモジュール１２とプラグハウジング３１１とを外に移動させる。この時、位置制限ブロック３１２は機能せず、プラグハウジング３１１とケース１０との間はロックされない。ラッチモジュール１２とプラグハウジング３１１が下に一定距離を摺動すると、プラグハウジング３１１の外壁の位置制限ブロック３１２はケース１０の下端面の内側（本実施形態における位置決めステップ３３２）に当接し、この時、プラグハウジング３１１はブロックかつロックされ、外側にスライドできなくなる。
【０１５８】
図４０に示されるように、この時、スライドボタン１９を続いて摺動させると、スナップフック３２２はケース１０の下端面に対向する下斜面４０２を有するため、弾性片３２１はある程度変形することができ、弾性片３２１は変形して第１ロック孔３９１から外れることができ、この時、ラッチモジュール１２とプラグハウジング３１１との間はロック解除されるが、プラグハウジング３１１はケース１０によってブロック且つロックされ、スライドボタン１９を続いて摺動させることによって、ラッチベース１３を下側に摺動する、即ちラッチ１４を下側に向けて摺動させることができる。
【０１５９】
図４１に示されるように、ラッチモジュール１２は再び一定距離を摺動した後、スナップフック３２２は第２ロック孔３９２内に引っ掛かり、この時、弾性片３２１はリセットされ、ラッチ１４は所定位置に引き出される。
【０１６０】
図４２に示されるように、スライドボタン１９を引き戻すと、スナップフック３２２が第２ロック孔３９２内に引っ掛かっているため、ラッチモジュール１２とプラグハウジング３１１とはロックされ、スライドボタン１９を後ろに引くことにより、ラッチモジュール１２とプラグハウジング３１１とを全体的に後退させることができる。途中で、プラグハウジング３１１の外壁の位置制限ブロック３１２は、ケース１０の下端面から外れ、プラグハウジング３１１とケース１０との間はロックが解除される。
【０１６１】
図４３に示されるように、プラグハウジング３１１が所定位置に後退すると、プラグハウジング３１１の上端面は阻止部材によってブロックされ、この時、プラグハウジング３１１とケース１０との間は阻止部材によってブロック且つロックされ、スライドボタン１９を続けて引き戻すと、スナップフック３２２はケース１０の上端面に向かう上斜面４０１を有するため、弾性片３２１の弾性力および上斜面４０１によって、弾性片３２１は変形され、スナップフック３２２は第２ロック孔３９２から外れ、ラッチモジュール１２とプラグハウジング３１１との間はロックが解除され、ラッチモジュール１２は図４４に示されるように、スナップフック３２２が再び第１ロック孔３９１内に引っ掛かるまでさらに引き戻されることができる。
【０１６２】
本実施形態において、ケース１０内の阻止部材は取り付けバッフルプレート３３３であり、ガイドピラー３３１はねじによって取り付けバッフルプレート３３３に取り付けられる。
【０１６３】
実施形態１５
前記技術案に基づいて、図３０〜３２及び図４５〜５０に示されるように、第１ロック部材は、プラグハウジング３１１の壁面の尾部に形成されたスナップ孔４５１をさらに含み、ケース１０の内壁にロック突起４５２が設けられ、ロック突起４５２はスナップ孔４５１内に引っ掛けることができ、ロック突起４５２の上端面が下に傾斜する上傾斜面４７１であるため、ロック突起４５２は前記スナップ孔４５１から下に強引に外すこともでき、ロック突起４５２の下端面は上に向けて傾斜する下傾斜面４７２である。
【０１６４】
本実施形態において、図４５に示されるように、初期状態では、ケース１０の内壁のロック突起４５２はプラグハウジング３１１のスナップ孔４５１内に引っ掛かり、この時、プラグハウジング３１１とケース１０との間はロックされる。スナップフック３２２はロック孔４５３の上方に位置し、プラグハウジング３１１とラッチモジュール１２との間はロック解除状態にあり、この時、スライドボタン１９を下に摺動させ、ラッチベース１３を摺動させることにより、ラッチモジュール１２をガイドして外に移動させる。
【０１６５】
図４６に示されるように、スナップフック３２２が下に一定距離を摺動すると、スナップフック３２２はロック孔４５３内に引っ掛かり、この時、プラグハウジング３１１とラッチモジュール１２とはロック状態になり、プラグハウジング３１１もラッチベース１３と相互に引っ掛かり、ラッチベース１３がブロックされる。
【０１６６】
図４７に示されるように、スライドボタン１９を続いて下に摺動させると、ロック突起４５２の上端面が下に向けて傾斜する上傾斜面４７１となっているため、下向き牽引力によって、プラグハウジング３１１のスナップ孔４５１はある程度変形し、ロック突起４５２はスナップ孔４５１から強引に外されることができ、この時、プラグハウジング３１１とケース１０とはロック解除状態になり、プラグハウジング３１１とラッチモジュール１２はロック状態になる。スライドボタン１９を続いて下に摺動させることにより、プラグハウジング３１１とラッチモジュール１２とを、プラグハウジング３１１の外壁の位置制限ブロック３１２がケース１０の下端面の内側に当接するまで続いて全体的に下に移動させることができ、この時、プラグハウジング３１１はブロックかつロックされ、外側にスライドできなくなる。
【０１６７】
図４８に示されるように、スライドボタン１９を引き戻すと、スナップフック３２２はロック４５３内に引っ掛けられるため、プラグハウジング３１１とラッチモジュール１２とはロック状態になり、スライドボタン１９は、図４８に示されるように、ロック突起４５２がプラグハウジング３１１のスナップ孔４５１内に再び引っ掛かるラッチモジュール１２をガイドし、同時にプラグハウジング３１１をもガイドして引き込む。この時、プラグハウジング３１１とケース１０との間はロック状態にあり、ロック突起４５２の下端面が上に向けて傾斜する下傾斜面であるため、プラグハウジング３１１のスナップ孔４５１はある程度変形することができ、したがってロック突起４５２は円滑に再びスナップ孔４５１内に引っ掛かることができ、この時、プラグハウジング３１１の上端面も取り付けバッフルプレート３３３に当接される。
【０１６８】
図４９に示されるように、スライドボタン１９を続いて引き戻すと、スナップフック３２２はプラグハウジング３１１の上端面に向かう上斜面４０１を有するため、引き戻す牽引力及び上斜面４０１によって、弾性片３２１は変形されて、スナップフック３２２をロック孔４５３から外す。この時、プラグハウジング３１１とラッチモジュール１２との間はロック解除状態になり、ラッチモジュール１２は、図５０に示されるように、ラッチ１４が完全に引き込まれるまで続いて引き込まれかつ摺動されることができる。
【０１６９】
実施形態１６
前記技術案に基づいて、図５１〜５２に示されるように、前記旅行用変換装置は、
ケース１０の一側面に固設され、複数の第１摺動路５２１がそれぞれ設けられ、上下に延びる各第１摺動路５２１に直交する位置制限プレート５１１と、
第１摺動路５２１と一対一に対応する複数のプラグと、
位置制限プレート５１１に平行に設けられ、それぞれ各第１摺動路５２１と一対一に対応する第２摺動路５４１が設けられたスライド式インターロックスライドプレート５１２と、をさらに含み
各プラグにそれぞれスライドボタン１９及びロックガイドピラー５１７が設けられ、スライドボタン１９は対応するプラグの第１摺動路５２１を貫通するように設置され、ロックガイドピラー５１７は、対応するプラグの第２摺動路５４１内に延ばされ、第２摺動路５４１に沿って上下に摺動することができ、ロックガイドピラー５１７は摺動する時に、インターロックスライドプレート５１２をガイドして左右に摺動させ、
第１摺動路５２１はすべて直線形状ガイド溝を備えた摺動路であり、前記第２摺動路５４１はすべて折れ線形状のガイド溝を備えた摺動路である。
【０１７０】
図５２〜５４に示されるように、前記インターロックスライドプレート５１２には、若干の各第１摺動路５２１と一対一で対応する第２摺動路５４１が設けられる。インターロックスライドプレート５１２は、第１インターロックスライドプレート５３１と、第１インターロックスライドプレート５３１に平行な第２インターロックスライドプレート５３２と、及び第１インターロックスライドプレート５３１と第２インターロックスライドプレート５３２とを接続する接続プレートを含み、そして第２インターロックスライドプレート５１２は第１インターロックスライドプレート５３１と位置制限プレート５１１との間に設けられる。各第２摺動路５４１の内の一本の第２摺動路５４１は第２インターロックスライドプレート５１２に設けられ、他の第２摺動路５４１は第１インターロックスライドプレート５３１に設けられる。
【０１７１】
前記第２摺動路５４１は、第２摺動路５４１の上端に設けられたロックステップ５４１ａ及びロックステップ５４１ａの下方に設けられた第２摺動路５４１を含む。第２摺動路５４１の上端は上に延び、ロックステップ５４１ａの中部にロックガイドピラー５１７の入り口を形成する。ロックガイドピラー５１７入り口は、「Ｖ」字状である。第２摺動路５４１の上下両端の間には斜め摺動路５４１ｃがある、即ち第２摺動路５４１の上下両端の間には斜め摺動路５４１ｃがある。本実施形態における斜め摺動路５４１ｃは下記の二つの方法によって設けられる。
【０１７２】
一番目の方法は、図５５に示されるように、任意の２つの第２摺動路５４１の斜め摺動路５４１ｃの延長線が交差する、即ち、任意の２つの第２摺動路５４１の斜め摺動路５４１ｃは互いに平行でない。
【０１７３】
二番目の方法は、図５４に示されるように、各第２摺動路５４１において、少なくとも二本の第２摺動路５４１の斜め摺動路５４１ｃが互いに平行であり、且つ互いに平行な各斜め摺動路５４１ｃの内の任意の二本の斜め摺動路は長さが異なる。図４において、当該インターロックスライドプレート５１２の内、左側の第２摺動路５４１の斜め摺動路５４１ｃは中央の第２摺動路５４１の斜め摺動路５４１ｃと交差し、右側の第２摺動路５４１の斜め摺動路５４１ｃと中央の第２摺動路５４１の斜め摺動路５４１ｃは互いに平行であるが、右側の第２摺動路５４１の斜め摺動路５４１ｃと中央の第２摺動路５４１の斜め摺動路５４１ｃは長さが異なる。
【０１７４】
図５１と図５６に示されるように、各プラグにはスライドボタン１９及びロックガイドピラー５１７が設けられる。プラグのスライドボタン１９は対応する第１摺動路５２１を貫通する。ロックガイドピラー５１７は対応する第２摺動路５４１内に延びている。ロックガイドピラー５１７は第２摺動路５４１に沿って上下に摺動でき、また同時にインターロックスライドプレート５１２をガイドして左右に摺動させることができる。
【０１７５】
本実施形態のプラグは、ヨーロッパ標準プラグ５１３、アメリカ標準プラグ５１４、イギリス標準プラグ５１５及びオーストラリア標準プラグ５１６である。イギリス標準プラグ５１５は「Ｃ」字状であり、アメリカ標準プラグ５１４またはオーストラリア標準プラグ５１６を取り囲み、イギリス標準プラグ５１５に取り囲まれたアメリカ標準プラグ５１４またはオーストラリア標準プラグ５１６のロックガイドピラー５１７は、第２インターロックスライドプレート５１２の第２摺動路５４１内に延びている。
【０１７６】
本実施形態において、ヨーロッパ標準プラグ５１３、アメリカ標準プラグ５１４、イギリス標準プラグ５１５及びオーストラリア標準プラグ５１６は、左から右へ順に配置される。
【０１７７】
図５７〜５８に示されるように、各プラグのロックガイドピラー５１７が対応する第２摺動路５４１のロックステップ５４１ａの上方に位置する場合、各ロックガイドピラー５１７は、対応するおロックガイドピラー５１７の入り口の真上に位置する。
【０１７８】
図５９〜６０に示されるように、いずれか一つのプラグのロックガイドピラー５１７は第２摺動路５４１に沿って下に摺動し、インターロックスライドプレート５１２を、他のプラグのロックガイドピラー５１７が対応するロックガイドピラー５１７入り口とずらした位置まで左右に摺動させる。
【０１７９】
本実施形態において、前記構造の具体的な操作手順は、以下のようである。
各プラグがすべて変換装置に内蔵されている場合（図５７〜５８に示されるように）、この時、各プラグのスライドボタン１９は対応する第１摺動路５２１の上端に位置し、各プラグのロックガイドピラー５１７は対応する第２摺動路５４１のロックステップ５４１ａの上方に位置し、各ロックガイドピラー５１７は対応するロックガイドピラー５１７入り口の真上に位置する。
【０１８０】
各プラグがすべて変換装置に内蔵されている場合、各ロックガイドピラー５１７は対応するロックガイドピラー５１７入り口の真上に位置するため、いずれか一つのプラグのスライドボタン１９はプラグをガイドして第１摺動路５２１に沿って下に移動して、プラグを引き出して使用することができる。
【０１８１】
あるプラグのスライドボタン１９が当該プラグをガイドして第１摺動路５２１に沿って下に移動して、有効位置まで引き出されると、当該プラグのロックガイドピラー５１７は第２摺動路５４１に沿って下に摺動し、インターロックスライドプレート５１２をガイドして左または右に摺動させ、他のプラグのロックガイドピラー５１７が対応するロックガイドピラー５１７入り口とずれて配置されるようにする。したがって、対応するロックステップ５４１ａを介してロックガイドピラー５１７をロックすることにより、あるプラグを引き出した後（即ち、あるプラグの動作時）、他のプラグ位置をロックする目的が実現される。
【０１８２】
図５９〜６０に示されるように、オーストラリア標準プラグ５１６のスライドボタン１９がオーストラリア標準プラグ５１６をガイドして第１摺動路５２１に沿って下に移動させ、有効位置まで引き出すと、オーストラリア標準プラグ５１６のロックロガイドピラー５１７は、第２摺動路５４１に沿って下に摺動し、インターロックスライドプレート５１２を右に摺動させて、他のプラグのロックガイドピラー５１７は対応するロックガイドピラー５１７入り口とずれて配置されるようにし、対応するロックステップ５４１ａがロックガイドピラー５１７をロックすることにより、あるプラグを引き出した後（即ち、あるプラグの動作時）、他のプラグ位置をロックする目的が実現される。
【０１８３】
実施形態１７
前記技術案に基づいて、本実施形態のプラグは、順に配置されるヨーロッパ標準プラグ５１３、イギリス標準プラグ５１５及びオーストラリア標準プラグ５１６からなり、または順に配置されるヨーロッパ標準プラグ５１３、イギリス標準プラグ５１５及びアメリカ標準プラグ５１４からなる。
【０１８４】
本実施形態のインターロックスライドプレート５１２は一つの板材で形成される、即ち、上述の技術案のインターロックスライドプレート５１２の内の第１インターロックスライドプレート５１２のみを使用することに相当する。
【０１８５】
実施形態１８
前記技術案に基づいて、図６１〜７３に示されるように、前記旅行用変換装置は、
それぞれケース１０の内部に設けられ、それぞれ端子を含み、異なる国の電源プラグ６３１の標準にそれぞれ対応する少なくとも二つのプラグ６３１と、
ケース１０に設けられ、その外にプラグ６３１が操作可能に引き出され、又はケース１０の内部に引き込まれる引き出し面６１１と、
ケース１０に設けられ、引き出し面６１１を覆い、異なる端子を伸縮させる第１貫通孔２１が設けられるカバープレート６１２と、
引き出し面６１１とカバープレート６１２との間に摺動自在に設けられ、摺動過程にてプラグ６３１の端子を妨害することによって、毎回ケース１０から多くて一つのプラグ６３１が第１貫通孔２１から引き出されるようにプラグ６３１を提供する摺動バッフル６１３と、をさらに含む。
【０１８６】
前記技術案において、ケース１０は、一般的に一つのケース１０の構造であってよく、引き出し面６１１はケース１０構造の縁輪郭であり、またはケース１０の構造に人為的に定義される論理ラインによって確定される仮想平面であってもよい。図６１と図７４に示されるように、前記実施形態において、ケース１０を構成するケース１０構造は、囲んでケース１０を構成する側壁、及びプラグ６３１から引き出される一面に対向する底面のみを含む。カバープレート６１２はケース１０に設けられた設プラグ６３１が引き出される一面を覆う、即ち前記実施形態では引き出し面６１１が省略され、摺動バッフル６１３は摺動自在にカバープレート６１２に固定される。或は、実際の物理的構造によって形成されることもできる。図６１〜７３に示される実施形態において、引き出し面６１１はパネル構造によって形成され、当該パネル構造には、プラグ６３１の端子が貫通する貫通孔が形成される。
【０１８７】
プラグ６３１は独立的な伸縮構造を介して引き出し面６１１から引き出され、又はケース１０内に収納される。伸縮構造は引き出し面６１１に直交するガイドレールによって実現され、ケース１０から引き出す操作ハンドル（図示せず）に合わせてプラグ６３１の引き出しと収納を実現する。当該伸縮構造は先行技術であるため、ここでの説明を省略する。
【０１８８】
摺動バッフル６１３は、摺動過程において、プラグ６３１の端子の引き出し方向をブロックすることによって、同時に一つのプラグ６３１の端子しか第１貫通孔２１を貫通してカバープレート６１２から引き出されるようにしない。したがって、プラグ６３１間のインターロックを実現し、摺動バッフル６１３が変換装置のほかの構造と連動せず、構造的にも相対的に独立しているため、先行技術における磨耗し易さ、伸縮構造が動かなくなる、または破損するという欠陥が存在しない。摺動バッフル６１３は、摺動過程において、プラグ６３１の端子の引き出し方向をブロックするため、ユーザーはブロックされたプラグ６３１に対応する第１貫通孔２１が摺動バッフル６１３によって全体または一部が覆われていることを肉眼で観察することができ、したがって、現在ブロックされているプラグ６３１及びカバープレート６１２から引き出されることができるプラグ６３１を決定することができる。
【０１８９】
実施形態１９
前記技術案に基づいて、前記旅行用変換装置は位置決め構造をさらに含み、位置決め構造は、プラグ６３１の数に対応する位置決めポイント６１７を含む。位置決め構造は、摺動バッフル６１３を一つの位置決めポイント６１７に位置決めするように操作可能である。位置決めポイント６１７は異なるプラグ６３１にそれぞれ関連づけられる。摺動バッフル６１３が位置決めポイント６１７に位置する場合、位置決めポイント６１７に関連づけられないプラグ６３１に対応する第１貫通孔２１をブロックする。
【０１９０】
前記技術案では、位置決め構造及びプラグ６３１の数に対応する位置決めポイント６１７を設けることによって、ユーザーが変換装置を使用する時に有効に摺動バッフル６１３を操作することができ、摺動バッフル６１３を位置決め構造を介して所望の位置決めポイント６１７に位置決めできる。したがって、現在ブロックされているプラグ６３１及びカバープレート６１２から引き出されることができるプラグ６３１を肉眼で観察して決定する必要がない。
【０１９１】
さらに、各位置決めポイント６１７に当該位置決めポイント６１７に対応するプラグ６３１のマークを追加することによって、ユーザが操作をより選択し易くすることができる。
【０１９２】
実施形態２０
前記技術案に基づいて、前記摺動バッフル６１３には異なるプラグ６３１に対応する第２貫通孔６１５を設けることができ、摺動バッフル６１３が位置決めポイント６１７に位置する場合、第２貫通孔６１５は、位置決めポイント６１７に関連付けられるプラグ６３１に対応する第１貫通孔２１と協働して、位置決めポイント６１７に関連付けられて対応するプラグ６３１の端子が引き出される。
【０１９３】
プラグ６３１の間のレイアウトに合わせるために、摺動バッフル６１３の形状を複雑にするとし、摺動バッフル６１３の摺動に影響を与える恐れがある。したがって、摺動バッフル６１３の形状を設定する際に第２貫通孔６１５をも合わせて設定して、摺動バッフル６１３の形状を簡素化する。そうすると、摺動バッフル６１３の摺動に有利であるだけでなく、摺動バッフル６１３のサイズを小さくすることにも有利であり、したがって、プラグ６３１のインターロック構造の全体のサイズは、変換装置を持ち運ぶことに影響を与えるほど大きくならない。
【０１９４】
実施形態２１
前記技術案に基づいて、位置決め構造は、摺動バッフル６１３に設けられた突起４２、及び複数の凹溝６１９を含む。複数の凹溝６１９は、それぞれカバープレート６１２に設けられ、突起４２の位置に対応し、摺動バッフル６１３の移動を制限する。各凹溝６１９と位置決めポイント６１７とは一対一に対応する。
【０１９５】
さらに、突起４２は円弧状の突起であってもよく、同時に凹溝６１９は円弧状突起に合わせる円弧状凹溝であってもよい。突起４２とそれに対応する凹溝６１９とを円弧状に設けることにより、摺動バッフル６１３が位置決めポイント６１７に位置した後に、一定の外力によって、突起４２が凹溝６１９から外れるため、ユーザーの操作が容易になる。本発明の他の実施形態において、突起４２は、頂部に円弧または面取りを有する三角形の突起であってもよく、対応する凹溝６１９は、対応する形状に設けられてもよい。
【０１９６】
実施形態２２
図６１及び図６３〜６７に示されるように、カバープレート６１２には、摺動バッフル６１３に対応する開口６３２をさらに設けてもよい。開口６３２は、少なくとも一つのプラグ６３１に対応する第１貫通孔２１と重畳し、凹溝６１９は開口６３２の内壁に設けられる。摺動バッフル６１３は、摺動バッフル６１３の摺動を操作する操作部６１６をさらに含み、操作部６１６は、摺動バッフル６１３のカバープレート６１２に対向する面に設けられ、開口６３２内に位置する。
【０１９７】
前記技術案において、開口６３２を設置し、操作部６１６を開口６３２内に設けることによって、ユーザが摺動バッフル６１３を操作し易くする。さらに、開口６３２は、少なくとも一つのプラグ６３１に対応する少なくとも一つの貫通孔と重畳する、またはプラグ６３１の配列に応じて複数のプラグ６３１にそれぞれ対応する少なくとも一つの貫通孔と重畳し、摺動バッフル６１３の摺動空間を十分に活用することにより、カバープレート６１２の面積を小さくし、変換装置全体の体積をさらに小さくすることができ、したがって変換装置の持ち運びが容易になる。
【０１９８】
さらに、操作部６１６は、摺動バッフル６１３から突出し、互いに平行な長尺状の歯であってもよい。
【０１９９】
実施形態２３
前記技術案に基づいて、図６２及び図６８〜７３に示されるように、摺動バッフル６１３の一側には突出部６２１が設けられ、突出部６２１は、引き出し面６１１の延び方向に沿って引き出し面６１１及びカバープレート６１２から引き出される。引き出し面６１１及びカバープレート６１２から引き出された突出部６２１の一側には、カバープレート６１２に対向する凸型ブロック６２２が設けられる。突起４２は、凸型ブロック６２２のカバープレート６１２に対向する一側に設けられ、凹溝６１９はカバープレート６１２の凸型ブロック６２２に対向する一辺に設けられる。
【０２００】
摺動バッフル６１３は、摺動バッフル６１３を摺動させる操作部６１６を含み、操作部６１６は凸型ブロック６２２に設けられる。
【０２０１】
本実施形態において、操作部６１６を引き出し面６１１とカバープレート６１２から引き出された凸型ブロック６２２に設けるため、開口６３２を設置する必要がない。
【０２０２】
さらに、前記操作部６１６は操作ハンドルであってもよい。
【０２０３】
実施形態２４
前記技術案に基づいて、図６７に示されるように、引き出し面６１１が実際の物理的構造で形成された場合、摺動バッフル６１３は、ガイド構造を介して摺動自在に引き出し面６１１に接続され、当該ガイド構造は、
摺動バッフル６１３の摺動方向に沿って引き出し面６１１に設けられるスライド溝３０２と、
摺動バッフル６１３の引き出し面６１１に対向する面に設けられ、摺動自在にスライド溝３０２内に嵌め込まれる摺動突起６７１と、を含む。
【０２０４】
前記技術案において、ガイド構造を介して、摺動バッフル６１３は、摺動する時に摺動方向から外れることなく、同時に引き出し面６１１に簡単に設けられた摺動突起６７１とスライド溝３０２との係合により摺動を実現することで、プラグ６３１のインターロック構造全体においてガイド構造が占める空間を減少させることができる。
【０２０５】
実施形態２５
前記技術案に基づいて、図７４に示されるように、引き出し面６１１がケース１０を形成するケース１０構造の縁輪郭またはケース１０構造に人為的に定義される論理ラインによって確定される仮想平面である場合、摺動バッフル６１３はガイド構造を介して摺動自在にカバープレート６１２に接続されることができる。ガイド構造は一対の位置制限溝７４１を含み、対向して設けられた一対の位置制限溝７４１は、摺動バッフル６１３の摺動方向に対応して、カバープレート６１２に平行に設けられる。摺動バッフル６１３は、摺動方向の両側縁に沿って、摺動自在に一対の位置制限溝７４１に嵌め込まれる。
【０２０６】
無論、前記技術案は、引き出し面６１１が実際の物理的構造である場合にも実施できる。
【０２０７】
実施形態２６
前記技術案に基づいて、代替実施形態として、図１３に示されるように、操作部６１６が凸型ブロック６２２に配置される場合、摺動バッフル６１３はガイド構造を介して摺動自在にカバープレート６１２に接続され、ガイド構造はカバープレート６１２に設けられた溝７２１によって形成されてもいい。
【０２０８】
実施形態２７
前記技術案に基づいて、前記プラグ６３１を４つ設けてもよい。異なる国の電源プラグ６３１の標準は、アメリカ電源プラグ６３１標準、イギリス電源プラグ６３１標準、ヨーロッパ電源プラグ６３１標準及びオーストラリア電源プラグ６３１標準を含む。
【０２０９】
下記の説明は、具体的な実施形態を介して前記技術案における旅行用変換装置のプラグ６３１のインターロックのメカニズムを説明するものである。無論、下記の説明は本発明技術案の実現可能性を説明することを意図するものであり、本発明の保護範囲を限定するものではない。
【０２１０】
図６３と図６８に示されるように、摺動バッフル６１３は、突起４２を介して位置決めポイント６１７（１）に位置決めされ、この時、プラグ６３１（１）に対応する第１貫通孔は、摺動バッフル６１３の右端によって一部が覆われ、プラグ６３１（１）の端子を引き出せない。プラグ６３１（２）に対応する第１貫通孔の内、開口６３２に重なる第１貫通孔は、摺動バッフル６１３の第２貫通孔６１５（１）と位置が対応し、プラグ６３１（２）の端子を引き出せる。プラグ６３１（３）に対応する第１貫通孔の内、開口６３２に重なる第１貫通孔は、摺動バッフル６１３によって一部が覆われ、プラグ６３１（３）の端子を引き出せない。プラグ６３１（４）に対応する第１貫通孔の内、開口６３２に重なる第１貫通孔は、摺動バッフル６１３の左端によって一部が覆われ、プラグ６３１（４）の端子を引き出せない。したがって、この時、プラグ６３１（２）の端子のみがカバープレート６１２から引き出される。
【０２１１】
図６４と図６９に示されるように、摺動バッフル６１３は突起４２を介して位置決めポイント６１７（２）に位置決めされ、この時、プラグ６３１（１）に対応する第１貫通孔は、摺動バッフル６１３の右端によって一部が覆われ、プラグ６３１（１）の端子は引き出せない。プラグ６３１（２）に対応する第１貫通孔の内、開口６３２に重なる第１貫通孔が摺動バッフル６１３によって一部が覆われ、プラグ６３１（２）の端子は引き出せない。プラグ６３１（３）に対応する第１貫通孔の内、開口６３２に重なる第１貫通孔と、摺動バッフル６１３の第２貫通孔６１５（２）の右下部の位置は対応しており、プラグ６３１（３）の端子は引き出せる。プラグ６３１（４）に対応する第１貫通孔の内、開口６３２に重なる第１貫通孔は、摺動バッフル６１３の左端によって一部が覆われ、プラグ６３１（４）の端子は引き出せない。したがって、この時、プラグ６３１（３）の端子のみがカバープレート６１２から引き出される。
【０２１２】
図６５と図７０に示されるように、摺動バッフル６１３は、突起４２を介して位置決めポイント６１７（３）に位置決めされ、この時、プラグ６３１（１）に対応する第１貫通孔は摺動バッフル６１３の右端によって一部が覆われ、プラグ６３１（１）の端子は引き出せない。プラグ６３１に対応する第１貫通孔の内、開口６３２に重なる第１貫通孔は、摺動バッフル６１３によって一部が覆われて、プラグ６３１（２）の端子は引き出せない。プラグ６３１（３）に対応する第１貫通孔の内、開口６３２に重なる第１貫通孔は、摺動バッフル６１３によって一部が覆われ、プラグ６３１（３）の端子は引き出せない。プラグ６３１（４）に対応する第１貫通孔の内、開口６３２に重なる第１貫通孔は、摺動バッフル６１３の第２貫通孔６１５（２）の左上部の位置に対応し、プラグ６３１（４）の端子は引き出せる。したがって、この時、プラグ６３１（４）の端子のみがカバープレート６１２から引き出される。
【０２１３】
図６６と図７１に示されるように、摺動バッフル６１３は、突起４２を介して位置決めポイント６１７（４）に位置決めされ、この時、摺動バッフル６１３の右端はプラグ６３１（１）に対応する第１貫通孔を覆わず、プラグ６３１（１）の端子は引き出せる。プラグ６３１（２）に対応する第１貫通孔の内、開口６３２に重なる第１貫通孔は、摺動バッフル６１３によって一部が覆われ、プラグ６３１（２）の端子は引き出せない。プラグ６３１（３）に対応する第１貫通孔の内、開口６３２に重なる第１貫通孔は、摺動バッフル６１３によって一部が覆われ、プラグ６３１（３）の端子は引き出せない。プラグ６３１（４）に対応する第１貫通孔の内、開口６３２に重なる第１貫通孔は、摺動バッフル６１３によって一部が覆われ、プラグ６３１（４）の端子を引き出せない。したがって、この時、プラグ６３１（１）の端子のみがカバープレート６１２から引き出される。
【０２１４】
実施形態２８
前記技術案に基づいて、図７５〜７８に示されるように、前記旅行用変換装置は、
ケース１０の側面にそれぞれ設けられ、上下に延びる複数の第１摺動路５２１と、
ケース１０の内部にそれぞれ設けられ、対応する第１摺動路５２１に沿って伸縮自在であり、第１摺動路５２１と一対一に対応する複数のプラグ７６２であって、各プラグ１０には対応するプローブ７７１が設けられる複数のプラグ７６２と、
ケース１０の内部に設けられ、プラグ７６２とそれに対応する第１摺動路５２１との間に位置し、プローブ７７１が第１摺動路５２１から伸ばされることを防止する感電防止遮断部材と、をさらに含む。
【０２１５】
本実施形態のプラグ７６２の数は４つであり、第１摺動路５２１の数も四本であり、第１摺動路５２１とプラグ７６２とは一対一で対応している。
【０２１６】
本実施形態における第１摺動路５２１は、好ましくは直線摺動路である。プラグ７６２にはスライドボタン１９が設けられる。当該スライドボタン１９は第１摺動路５２１を貫通し、スライドボタン１９はプラグ７６２をガイドして第１摺動路５２１に沿って移動できる。
【０２１７】
前記ケース１０内には、プローブ７７１が第１摺動路５２１から延びることを防止するための、第１摺動路５２１に対応する感電防止遮断構造が設けられる。第１感電防止遮断部材は、プラグ７６２と第１摺動路５２１との間に位置し、具体的には、第１感電防止遮断部材は、プラグ７６２とケース１０の第１摺動路５２１が位置する側面との間に位置する。
【０２１８】
感電防止遮断部材は、ケース１０内に設けられ且つ摺動路を遮断するための４つの遮断ガイドピラー７６１を含む。前記遮断ガイドピラー７６１はケース１０の内側底面に設けられ、第１摺動路５２１と一対一で対応している。また、遮断ガイドピラー７６１は、対応するプラグ７６２と第１摺動路５２１との間に位置し、遮断ガイドピラー７６１は第１摺動路５２１に近接して、第１摺動路５２１に沿って延びる。前記スライドボタン１９には、遮断ガイドピラー７６１に合わせるガイド貫通孔が設けられ、前記遮断ガイドピラー７６１はガイド貫通孔内に挿入される。
【０２１９】
図７７に示されるように、前記第１摺動路５２１が位置するケース１０の側面は平面である。
【０２２０】
図７８に示されるように、前記ケース１０の側面には、ケース１０の内側に向かって突出する帯状の突起７８１が設けられる。帯状突起７８１の数は四つである。帯状突起７８１は上下に延び、前記第１摺動路５２１と一対一で対応している。さらに、前記第１摺動路５２１は、対応する帯状突起７８１に設けられる。
【０２２１】
図７７〜７８に示されるように、本実施形態において、感電防止遮断部材の遮断ガイドピラー７６１を介して、プローブ７７１が第１摺動路５２１から旅行用変換装置の内部に延びることが防止され、プラグ７６２を伸ばして使用する際に、プローブ７７１が容易に第１摺動路５２１を介して変換装置の内部に入り、通電部品に接触して感電、短絡などの安全問題を引き起こすという問題を有効的に解決することができる。
【０２２２】
実施形態２９
前記技術案に基づいて、図７９〜８０に示されるように、前記旅行用変換装置におけるラッチモジュールは、同じくラッチベース１３及びラッチを含み、ラッチは、ラッチベース１３とケース１０の底面との間に設けられる。前記遮断ガイドピラー７６１は、ラッチベース１３とケース１０の底面との間に設けられる。本実施形態において、複数の遮断ガイドピラー７６１の内、一つの遮断ガイドピラー７６１はラッチベース１３上に設けられ、他の遮断ガイドピラー７６１は、ケース１０の内側の底面に設けられる。
【０２２３】
本実施形態において、ラッチベース１３に設けられる遮断ガイドピラー７６１の端部には、ボルト孔が設けられ、当該遮断ガイドピラー７６１は、ラッチベース１３とケース１０の底面に接続されるボルトピラーとして機能することができる。
【０２２４】
実施形態３０
前記技術案に基づいて、図８１〜８２に示されるように、前記感電防止遮断部材は、第１摺動路５２１を受け止めるためにケース１０内に設けられる三つの遮断ガイドピラー７６１及びケース１０内に設けられる一つのプローブ７７１のバッフルプレートを含む。四本の第１摺動路５２１の中、三本の第１摺動路５２１は、遮断ガイドピラー７６１と一対一で対応し、残りの一本の第１摺動路５２１はプローブ７７１のバッフルプレートに対応する。
【０２２５】
前記遮断ガイドピラー７６１は、対応するプラグ７６２と第１摺動路５２１との間に位置し、且つ遮断ガイドピラー７６１は第１摺動路５２１に近接して第１摺動路５２１に沿って延びる。遮断ガイドピラー７６１と一対一で対応する第１摺動路５２１のスライドボタン１９には、遮断ガイドピラー７６１に合ったガイド貫通孔が設置され、当該遮断ガイドピラー７６１は、対応するガイド貫通孔内に挿入される。
【０２２６】
図８１と図８３〜８４に示されるように、プローブ７７１のバッフルプレートは、対応するプラグ７６２と第１摺動路５２１との間に位置し、且つプローブ７７１のバッフルプレートは第１摺動路５２１に近接する。ケース１０内には、第１摺動路５２１に直交するスライド溝３０２が設けられる。
【０２２７】
本実施形態において、前記スライド溝３０２は、好ましくは直線スライド溝３０２である。前記スライド溝３０２は、第１摺動路５２１が位置するケース１０の側面に平行であり、左右方向に延びている。プローブ７７１のバッフルプレートは、スライド溝３０２内に設けられ、スライド溝３０２に沿って移動できる。プローブ７７１のバッフルプレートには、スライド溝３０２と係合される摺動調整アーム８３１がさらに設けられる。プローブ７７１のバッフルプレートには、第１摺動路５２１に対応する第２摺動路５４１が設けられる。当該第２摺動路５４１は、上から下に順に上摺動路、斜面摺動路及び下摺動路を含む。上摺動路及び下摺動路は摺動路に平行である。斜面摺動路は第１摺動路５２１と交差する。プローブ７７１のバッフルプレートに対応する第１摺動路５２１のスライドボタン１９は、対応する第２摺動路５４１を貫通し、且つ対応する第２摺動路５４１を貫通したスライドボタン１９は第２摺動路５４１に沿って上下に摺動し、同時にプローブ７７１のバッフルプレートを左右に摺動させることができる。
【０２２８】
前記構造に支持されることにより、本実施形態における感電防止遮断部材のプローブ７７１のバッフルプレートの具体的な操作手順は以下のようである。
プローブ７７１のバッフルプレートに対応するスライドボタン１９がプラグ７６２をガイドして第１摺動路５２１に沿って有効位置まで下に引き出す際、スライドボタン１９は第２摺動路５４１に沿って下に摺動し、同時にプローブ７７１のバッフルプレートをガイドして右に摺動させ、第２摺動路５４１と対応する第１摺動路５２１とをずらして配置する。したがって、プローブ７７１のバッフルプレートが第１摺動路５２１を遮断することで、プローブ７７１が第１摺動路５２１を介して変換装置内に延びることを防止し、通電部品に接触して感電、短絡など安全問題を引き起こすことを防止する。
【０２２９】
実施形態３１
前記技術案に基づいて、図８５〜８６に示されるように、前記感電防止遮断部材は、ケース１０内に設けられる４つのプローブ７７１のバッフルプレートを含む。プローブ７７１のバッフルプレートと第１摺動路５２１とは一対一で対応する。プローブ７７１バッフルプレートは、対応するプラグ７６２と第１摺動路５２１との間に位置し、且つプローブ７７１のバッフルプレートは第１摺動路５２１に近接する。ケース１０内には、第１摺動路５２１に直交するスライド溝３０２が設けられる。本実施形態のスライド溝３０２は、好ましくは直線スライド溝３０２である。スライド溝３０２は、ケース１０の第１摺動路５２１が位置する側面に平行である。スライド溝３０２は、左右方向に延びる。プローブ７７１のバッフルプレートはスライド溝３０２内に設けられ、且つプローブ７７１のバッフルプレートはスライド溝３０２に沿って移動できる。プローブ７７１のバッフルプレートには、第１摺動路５２１に対応する第２摺動路５４１が設けられる。第２摺動路５４１は、上から下に順に上摺動路、斜面摺動路及び下摺動路を含む。上摺動路及び下摺動路は第１摺動路５２１に平行である。斜面摺動路は第１摺動路５２１と交差する。スライドボタン１９は、対応するプローブ７７１のバッフルプレートの第２摺動路５４１を貫通する。スライドボタン１９は、第２摺動路５４１に沿って上下に摺動し、同時にプローブ７７１のバッフルプレートをガイドして左右に摺動させることができる。本実施例の具体的な構造について、図８４を参照する。
【０２３０】
実施形態３２
前記技術案に基づいて、図８７〜９３に示されるように、前記旅行用変換装置のケース１０は、プラグ分布面をさらに有し、当該ケース１０の内部には伸縮自在なプラグが設けられ、当該伸縮自在なプラグは前記プラグ分布面を介してケース１０内外で伸縮される、即ち、プラグ分布面を介してケース１０外に引き出される、或はケース１０の内部に引き込まれて収納される。
【０２３１】
本実施形態において、前記伸縮自在なプラグは、具体的には接地極端子８７３を有するイギリス標準プラグ５１５を含み、接地極端子８７４を有するアメリカ標準プラグ５１４または接地極端子８７５を有するオーストラリア標準プラグ５１６をさらに含み、アメリカ標準プラグ５１４またはオーストラリア標準プラグ５１６は、全体的にイギリス標準プラグ５１５の接地極端子８７３とＬＮ極端子との間に配置される。
【０２３２】
本実施形態において、
アメリカ標準プラグ５１４が、全体的にイギリス標準プラグ５１５の接地極端子８７３とＬＮ極端子との間に配置されている場合、アメリカ標準プラグ５１４の接地極端子８７４とイギリス標準プラグ５１５の接地極端子８７３とは背向して設けられる。
【０２３３】
オーストラリア標準プラグ５１６が、全体的にイギリス標準プラグ５１５の接地極端子８７３とＬＮ極端子との間に配置されている場合、オーストラリア標準プラグ５１６の接地極端子８７５とイギリス標準プラグ５１５の接地極端子８７３とは背向して設けられる。
【０２３４】
これに対応して、アメリカ標準プラグ５１４またはオーストラリア標準プラグ５１６の接地極端子とイギリス標準プラグ５１５の接地極端子８７３とは、反対方向に背向して設けられる。
【０２３５】
本実施形態において、前記ケース１０の外形は全体的に矩形柱状の構造であり、オーストラリア標準プラグ５１６、イギリス標準プラグ５１５、アメリカ標準プラグ５１４及びヨーロッパ標準プラグ５１３は、順にケース１０の同じプラグ分布平面８７１内に平行に配列され、プラグ分布平面８７１におけるアメリカ標準プラグ５１４が全体的にイギリス標準プラグ５１５の接地極端子８７３とＬＮ極端子との間に位置する場合、オーストラリア標準プラグ５１６とヨーロッパ標準プラグ５１３は、それぞれイギリス標準プラグ５１５に対向する両側に配置され、イギリス標準プラグ５１５は、オーストラリア標準プラグ５１６に近接する内側に取り付けられ、且つイギリス標準プラグ５１５の接地極端子８７３とオーストラリア標準プラグ５１６の接地極端子８７５とは背向して設けられる。イギリス標準プラグ５１５の接地極端子８７３はオーストラリア標準プラグ５１６に背向し、且つヨーロッパ標準プラグ５１３の方向に面する位置に設けられ、イギリス標準プラグ５１５の接地極端子８７３とＬＮ極端子接続との間は垂直的な分布構造であり、アメリカ標準プラグ５１４の接地極端子８７４はオーストラリア標準プラグ５１６に向いて設けられ、且つオーストラリア標準プラグ５１６、イギリス標準プラグ５１５、アメリカ標準プラグ５１４とこの三つのプラグの接地極端子とは同じ直線位置に設けられ、プラグ分布平面８７１の長手方向の中心位置線に位置する、即ちオーストラリア標準接地極端子８７５、イギリス標準接地極端子８７３、アメリカ標準接地極端子８７４という多くの種類のプラグの接地極端子は、同じ直線位置に設けられる。プラグ分布平面８７１には、多種のプラグのガイド孔溝８９１が設けられ、ケース１０の同じ側面８８１には四つのスライド溝３０２が設けられる。各スライド溝３０２には、各プラグに対応して接続されるスライドバーがそれぞれ設けられ、スライドバーの尾端にはスライドボタン１９が設けられ、各スライドバーは、一つのプラグの端子の引き出し及び収納を接続制御し、スライドボタン１９は、ケース１０の側面８８１のスライド溝３０２の外部に突出して設けられる。プラグ分布平面８７１の方向にスライドボタン１９を摺動させ、対応する収納されたプラグ端子はプラグ分布平面８７１外に引き出され（図９１〜９４に示されるように）る。プラグ分布平面８７１に背向する変換装置底部平面９０１には、コンセントラッチ孔９０２（図９０を参照）が設けられ、ケース１０の内部においてコンセントラッチ孔９０２と四種類のプラグとの電気的な接続が変換される。
【０２３６】
本実施形態において、前記プラグ分布平面８７１には安全カバー９４１が設けられ、安全カバー９４１には、旅行用変換装置の操作電源の安全素子としての安全チューブまたはヒューズが設けられる。前記安全カバー９４１はオーストラリア標準プラグ５１６の接地極端子８７５の側に設けられ、使用の安全性及びユーザが自分で交換及びメンテナンスのための利便性を向上させ、寿命を改善し、コストを低減する。
【０２３７】
本実施形態において、ケース１０の側面８８１には、ＵＳＢソケット８８２が設けられ、且つ伸縮自在なプラグに垂直に設けられる。アメリカ標準プラグ５１４が全体的にイギリス標準プラグ５１５の接地極端子８７３とＬＮ極端子との間に配置されている場合、アメリカ標準プラグ５１４の接地極端子８７４とイギリス標準プラグ５１５の接地極端子８７３とを背向して設けられているとき、ＵＳＢソケット８８２は、ケース１０のオーストラリア標準プラグ５１６の接地極端子８７５の一側に近接する側面８８１に設けられ、且つオーストラリア標準プラグ５１６の接地極端子８７５に垂直して設けられる。
【０２３８】
さらに、前記ＵＳＢソケット８８２は、使用及び操作を容易にするために、三つのスライド溝３０２と共にケース１０の同じ側面８８１に配置される。多種のプラグの接地極端子は同じ直線位置線上に設けられ、内部の電気的接続及び電気変換構造の取り付けにさらに有利であるため、旅行用変換装置のプラグを変換して使用するときの安全性及び信頼性が向上される。同時に、多種のプラグを同じプラグ分布平面８７１内の前記位置に配置して装着することがより合理的である。
【０２３９】
実施形態３３
前記技術案に基づいて、前記伸縮自在なプラグは、ヨーロッパ標準プラグ５１３をさらに含み、ヨーロッパ標準プラグ５１３はイギリス標準プラグ５１５の接地極端子８７３が位置する一側に設けられ、且つヨーロッパ標準プラグ５１３のプラグアセンブリ３０１には、イギリス標準プラグ５１５の前記接地極端子８７３に対応する凹溝ノッチが設けられ、イギリス標準プラグ５１５の接地極端子８７３の少なくとも一部が当該凹溝ノッチ内に嵌め込まれる。またオーストラリア標準プラグ５１６、イギリス標準プラグ５１５、アメリカ標準プラグ５１４及び前記４つのプラグの接地極端子は同じ直線位置に設けられる、即ちオーストラリア標準接地極端子８７５、イギリス標準接地極端子８７３、アメリカ標準接地極端子８７４及びヨーロッパ標準接地極端子８７２という四種類のプラグのプラグ接地極端子は、同じ直線位置上に設けられる。
【０２４０】
本実施形態において、プラグ分布平面８７１において、アメリカ標準プラグ５１４が全体的にイギリス標準プラグ５１５の接地極端子８７３とＬＮ極端子との間に設けられている場合、オーストラリア標準プラグ５１６とヨーロッパ標準プラグ５１３とは、それぞれ対向的にイギリス標準プラグ５１５の両側に設けられ、オーストラリア標準プラグ５１６の接地極端子８７５は最も外側に設けられる。オーストラリア標準プラグ５１６の接地極端子８７５とヨーロッパ標準プラグ５１３は、プラグ分布平面８７１の二つの外端部位置に最も近接する所に設けられる。ヨーロッパ標準プラグ５１３にはプラグアセンブリ３０１が設けられ、プラグピンは同じプラグアセンブリ３０１に設けられ、プラグアセンブリ３０１とスライドバーとは接続されることで、ヨーロッパ標準プラグ５１３の使用時の全体的な協調性と安定性を向上させる。
【０２４１】
本実施形態において、ヨーロッパ標準プラグ５１３のプラグアセンブリ３０１には垂直の凹溝ノッチが設けられ、凹溝ノッチの開口はイギリス標準プラグ５１５に面し、イギリス標準プラグ５１５の接地極端子８７３は一部が垂直の凹溝内に嵌め込まれて、イギリス標準プラグ５１５の接地極端子８７３とヨーロッパ標準プラグ５１３のプラグアセンブリ３０１の一部の空間が交差する取り付け構造を形成する。
【０２４２】
本実施形態において、ヨーロッパ標準プラグ５１３に対応するスライド溝３０２は他の三つのスライド溝３０２より長く、そのスライドバーのスライドボタン１９がスライド溝３０２の最底部に摺動すると、ヨーロッパ標準プラグ５１３のプラグピンのヘッドとプラグアセンブリ３０１はプラグ分布平面８７１に収納されて、ヨーロッパ標準プラグ５１３に対する摺動調整操作の信頼性及び便利性を向上させる。
【０２４３】
本実施形態において、ヨーロッパ標準プラグ５１３に対応するスライド溝３０２の底部は、他の三つのスライド溝３０２の底部より低く、したがって、旅行変換装置内の多国のプラグ間の構造のコンパクト性をさらに向上させ、多国のプラグの全体的なサイズを小さくし、使用及び持ち運びの利便性を向上させる。
【０２４４】
実施形態３４
前記技術案に基づいて、前記伸縮自在なプラグはヨーロッパ標準プラグ５１３をさらに含み、ヨーロッパ標準プラグ５１３は、イギリス標準プラグ５１５のＬＮ極端子が位置する一側に設けられ、ヨーロッパ標準プラグ５１３のプラグアセンブリ３０１にはイギリス標準ＬＮ極端子に対応する凹溝ノッチが設けられ、イギリス標準ＬＮ極端子の少なく一部は当該凹溝ノッチ内に嵌め込まれる。
【０２４５】
好ましい具体的な実施形態として、前記オーストラリア標準プラグ５１６が全体的にイギリス標準プラグ５１５の接地極端子８７３とＬＮ極端子との間に位置する場合、アメリカ標準プラグ５１４とヨーロッパ標準プラグ５１３とは、イギリス標準プラグ５１５の対向する両側にそれぞれ設けられる。アメリカ標準プラグ５１４と安全カバー９４１とは、同じ側に設けられる。
【０２４６】
実施形態３５
前記技術案に基づいて、前記ヨーロッパ標準プラグ５１３は、イギリス標準プラグ５１５のＬＮ極端子が位置する一側に設けられ、ヨーロッパ標準プラグ５１３のプラグアセンブリ３０１にはイギリス標準ＬＮ極端子に対応する凹溝ノッチが設けられ、イギリス標準ＬＮ極端子の少なくとも一部が当該凹溝ノッチ内に嵌め込まれる。
【０２４７】
実施形態３６
前記技術案に基づいて、図１０４に示されるように、前記旅行用変換装置に含まれるラッチモジュールは、具体的にはラッチベース及びラッチを含み、ラッチはラッチベースに設けられる。
【０２４８】
前記旅行用変換装置は、挿入及び抜き出し方向に沿って摺動自在に設けられたアメリカ標準プラグ５１４及びヨーロッパ標準プラグ５１３をさらに含む。アメリカ標準プラグ５１４の接地極部分は伸縮式のアメリカ標準接地極ラッチ９７１を含み、ヨーロッパ標準プラグ５１３の接地極部分は伸縮式のヨーロッパ標準接地極ラッチ９８１を含み、前記アメリカ標準接地極ラッチ９７１とヨーロッパ標準接地極ラッチ９８１は前記ラッチモジュールに含まれるラッチである。
【０２４９】
前記二種類の伸縮式の接地極ラッチは、共に導電ピラー１０４１（接地極プラグブッシュ１０１３に固定される固定部）と伸縮自在のラッチヘッド１０４２とを含み、導電ピラー１０４１は、ねじを介して接地極プラグブッシュ１０１３との物理的な固定接続及び電気的接続を実現し、導電ピラー１０４１に弾性ビードを設けることによって前記ラッチヘッド１０４２の内壁と過剰係合させ、前記ラッチヘッド１０４２は導電ピラー１０４１を介して接地極プラグブッシュ１０１３との電気的な接続を実現する。
【０２５０】
本実施形態において、伸縮自在な接地極ラッチにより、アメリカ標準プラグ５１４とヨーロッパ標準プラグ５１３との接地極ラッチを引き出しと収納という二つの状態の間で随時切り替えるため、接地極プラグ孔９６１ありと接地極プラグ孔９６１なしの二種類の異なるコンセントにそれぞれ適合させることができる。
【０２５１】
実施形態３７
前記技術案に基づいて、図１０５に示されるように、前記旅行用変換装置のアメリカ標準接地極ラッチ９７１とヨーロッパ標準接地極ラッチ９８１において、それぞれ接地極プラグブッシュ１０１３と固定接続される固定部分はそれぞれ導電チューブ１０５１であり、ラッチヘッド１０４２は導電チューブ１０５１内にソケット接続され、導電チューブ１０５１はねじによって接地極プラグブッシュ１０１３に固定される。本実施形態において、同様にラッチヘッド１０４２の外壁に弾性ビードを設け、導電チューブ１０５１の内壁と過剰係合させて、ラッチヘッド１０４２が導電チューブ１０５１を介して接地極プラグブッシュ１０１３と電気的な接続を実現するようにする。本実施形態において、アメリカ標準接地極ラッチ９７１またはヨーロッパ標準接地極ラッチ９８１に弾性位置制限構造を設けることにより、アメリカ標準接地極ラッチ９７１又はヨーロッパ標準接地極ラッチ９８１が独立した伸縮性を有すると同時に電源コンセントのプラグ孔９６１に挿入できる十分な強度を有する。
【０２５２】
実施形態３８
前記技術案に基づいて、図９５〜９６に示されるように、前記旅行用変換装置のケースは、具体的には前面カバー９５１と背面カバー９５２とを含み、背面カバー９５２には中国標準に適合したプラグ孔９６１が設けられ、前面カバー９５１と背面カバー９５２は係合して空洞を形成し、当該空洞には、それぞれ摺動自在にアメリカ標準プラグ５１４（図９７に示す）、ヨーロッパ標準プラグ５１３（図９８に示す）、オーストラリア標準プラグ５１６（図９９に示す）及びイギリス標準プラグ５１５（図１００に示す）が設けられる。
【０２５３】
本実施形態において、前記前面カバー９５１には、前記４つの異なる標準のプラグに適合するプラグ貫通孔９５４が設けられ、且つそれぞれのプラグの挿入及び引き出し方向に平行な四つのスライド溝３０２が設けられている。各プラグは接続部を介してスライド溝３０２外の各スライドボタン１９に接続され、当該スライドボタン１９の接続ハンドルとスライド溝３０２との間は摺動自在に接続されている。ここで、最上部のヨーロッパ標準プラグ５１３のスライドボタン１９の接続ハンドルは比較的長く、それに応じてヨーロッパ標準プラグ５１３のスライド溝３０２は背面カバー９５２に向かって後ろまで延びる。
【０２５４】
本実施形態において、前記旅行用変換装置にはヒューズ９５３がさらに設けられ、当該ヒューズ９５３はＬ極の出力回路の間に接続される。
【０２５５】
本実施形態において、図１０４に示されるように、前記アメリカ標準プラグ５１４の接地極部分は伸縮式のアメリカ標準接地極ラッチ９７１を含み、ヨーロッパ標準プラグ５１３の接地極部分は伸縮式のヨーロッパ標準接地極ラッチ９８１を含み、前記アメリカ標準接地極ラッチ９７１とヨーロッパ標準接地極ラッチ９８１は何れも前記ラッチモジュールに含まれるラッチである。
【０２５６】
前記二種類の伸縮式の接地極ラッチは、何れも導電ピラー１０４１及び伸縮自在なラッチヘッド１０４２を含む。第１伸長アーム１０１５は接地極プラグブッシュ１０１３８に延長するように設けられ、アメリカ標準接地極ラッチ９７１の導電ピラー１０４１はねじによって接地極プラグブッシュ１０１３と物理的な固定接続及び電気的接続を実現し（したがって、接地極プラグブッシュ１０１３と固定接続された固定部分が形成される）、ヨーロッパ標準接地極ラッチ９８１の導電ピラー１０４１はねじによって第１伸長アーム１０１５と物理的な固定接続及び電気的接続を実現する（同じく、接地極プラグブッシュ１０１３と固定接続された固定部分が形成される）。
【０２５７】
導電ピラー１０４１には弾性ビードが設けられ、ラッチヘッド１０４２の内壁と過剰係合し、前記ラッチヘッド１０４２は導電ピラー１０４１を介して接地極プラグブッシュ１０１３との電気的な接続を実現する。
【０２５８】
本実施形態において、図１０１に示されるように、前記空洞内には導電板１０１１がさらに固定される。本実施形態では、導電性PＣＢプレートを使用する。導電板１０１１上には接続銅箔１０１２が設けられ、接続銅箔１０１２上には接地極プラグブッシュ接続弾性片１０１４が弾性的に挟まれる。前記接地極プラグブッシュ１０１３は第２伸長アーム１０１６をさらに延長し、接地極プラグブッシュ接続弾性片１０１４を第２伸長アーム１０１６の端部に設けることで、接地極プラグブッシュ１０１３と導電板１０１１との電気的な接続を実現する。
【０２５９】
図１０２に示されるように、イギリス標準プラグ５１５の接地極部分は、イギリス標準グランドラッチ１００１を含む。イギリス標準グランドラッチ１００１は、イギリス標準グランドラッチ１００１は非伸縮式接地極ラッチであり、銅製の第２接続弾性片１０２１を介してアメリカ標準接地極ラッチ９７１に接続され、アメリカ標準接地極ラッチ９７１の接地極との相互接続を実現する。アメリカ標準接地極ラッチ９７１は、ネジによって接地極プラグブッシュ１０１３に電気的に接続される。第２接続弾性片１０２１は、変位を防止するために導電板１０１１に固定される。
【０２６０】
図１０３に示されるように、オーストラリア標準プラグ５１６の接地極部分はオーストラリア標準接地極ラッチ９９１を含み、オーストラリア標準接地極ラッチ９９１は非伸縮式接地極ラッチであり、銅製の第１接続弾性片１０３１を介して導電板１０１１の接続銅箔１０１２に弾性的に挟まれ、接地極プラグブッシュ１０１３の接地極との相互接続を実現する。第１接続弾性片１０３１も変位を防止するために導電板１０１１に固定される。
【０２６１】
前記実施形態に基づいて、前記異なる国の標準に準拠する複数のプラグを含む旅行用変換装置は、使用される時に、まず、コンセントはどの国の標準に準じ、接地極プラグ孔を有するかを確認し、次に、必要に応じて利用するプラグに対応するスライドボタン１９を摺動し、当該プラグを電源コンセントに合わせるために、旅行用変換装置から摺動させる。電源コンセントに対応する接地極プラグ孔が設けられている場合、前記旅行用変換装置は対応する接地極ラッチを通じて確実な接地保護を提供できるが、接地極プラグ孔の部分が設置されていないコンセント（例えば、日本標準、フランス標準、またはドイツ標準のコンセント）の場合、対応する伸縮式接地極ラッチを摺動させて、接地極ラッチを変換装置内に引っ込め、Ｌ極とＮ極ラッチのみを残して適用すると、同様にスムーズに給電及び変換をすることができる。
【０２６２】
前記旅行用変換装置に四つのプラグを設置し、アメリカ、ヨーロッパ、オーストラリア、イギリスという四つの標準の設置コンセントを直接的に適合し、グランドラッチを引っ込めることで日本、フランス、ドイツ等のグランドのないコンセントにも対応でき、世界の主な国のコンセント標準をカバーできる。また、コンセントに接地極プラグ孔が設けられている限り、前記旅行用変換装置は、接続された電気器具に設置保護を提供することができる。
【０２６３】
実施形態３９
前記技術案に基づいて、図１０６に示されるように、前記ケースは、互いに嵌合された上部ハウジング１０６１と下部ハウジング１０６５とで構成され、上部ハウジング１０６１と下部ハウジング１０６５の外接面には、各極端子に対応するソケットがそれぞれ設けられ、下部ハウジング１０６５の側壁の一面には、旅行用変換装置のコントロールキー１０６３と係合するボタンノッチ部が設けられ、他面にはケースの内部に設けられたプラグベース１０６４のスライドボタン１９と係合するスライド溝が設けられる。前記プラグベース１０６４は接地極ベースの下に設けられる。
【０２６４】
図１０９に示されるように、上部ハウジング１０６１１の一端にラッチベース１３が設けられ、ラッチベース１３にはラッチが設けられ、ラッチはガイドピラー１０６２とラッチ１４からなる。
【０２６５】
本実施形態において、具体的には、前記ラッチベース１３には一つのプラグブッシュシートが設けられ、プラグブッシュシート内には接地極プラグブッシュ１０１３が設けられ、前記ガイドピラー１０６２の上端中心のネジ穴は、接地極プラグブッシュ１０１３に設けられたねじによって固定される。前記ガイドピラー１０６２の底端には弾性凸点１１０１（図１１０に示されるように）が設けられる。前記ラッチ１４には中心孔が設けられ、当該中心孔の直径はガイドピラー１０６２のピラーの直径よりも大きい。前記ラッチ１４の上端には、プラグベース１０６４のバックルと係合するジャーナル１１１１（図１１１に示す）が設けられ、ジャーナル１１１１の下端（即ち、ジャーナル１１１１とラッチ１４のピラーとの接続部）には、テーパ状のガイド面が設けられ、当該テーパ状のガイド面の角度は好ましくは４５度であり、前記ラッチ１４はガイドピラー１０６２にスリーブされる。
【０２６６】
本実施形態において、前記テーパ状のガイド面の角度とは、ラッチ１４に対するテーパ状のガイド面の角度であり、当該角度は通常３０度乃至６０度の範囲である。具体的には、当該角度が３０度より小さい場合、ラッチ１４を押し込む力が小さすぎて、ラッチ１４が正常にコンセント内に挿入されず、当該角度が６０度より大きい場合、ユーザがラッチ１４をコンセント内に押し込みづらく、使用に不便になる。
【０２６７】
本実施形態において、前記プラグベース１０６４はラッチベース１３の下に位置し、その上に固定されたＬＮ極端子１０８１を有する。プラグベース１０６４とラッチベース１３との間の最大距離は、ラッチがケース内に完全に収納されるよう保証するために一つのラッチの長さにほぼ等しい。
【０２６８】
実施形態４０
前記技術案に基づいて、図１１２に示されるように、前記プラグベース１０６４にはラッチ１４と係合するバックルが設けられ、当該バックルは包囲式弾性バックル１１３１であり、当該包囲式弾性バックル１１３１は２つの整合するフェルールを備え、ラッチ１４の形状を形成するために、その上端口にはテーパ状のガイド面が設けられる。プラグベース１０６４が下から上に戻る場合、当該テーパ状のガイド面によってラッチ１４はスムーズに戻る。
【０２６９】
実施形態４１
前記技術案に基づいて、図１１３に示されるように、前記プラグベース１０６４には、ラッチ１４と係合するバックルが設けられ、前記バックルは包囲式弾性バックル１１３１であり、当該包囲式弾性バックル１１３１は互いに隙間が空いた四つの円弧状片で形成される円筒欠落構造であり、「欠落」によって弾性体を形成する。前記包囲式弾性バックル１１３１の上端口には、同じくテーパ状のガイド面が設けられる。
【０２７０】
実施形態４２
前記技術案に基づいて、図１１４に示されるように、前記プラグベース１０６４のラッチ１４と係合する部分には弾性片シートが設けられ、当該弾性片シートには「Ｕ」字状の位置制限弾性片１１４１が取り付けられる。当該位置制限弾性片１１４１は、二つの対称的な動作弾性片を有し、複数の折り曲げ体によって一体的に接続されることで、十分な構造強度を実現する。
【０２７１】
実施形態４３
前記技術案に基づいて、前記プラグベース１０６４とラッチ１４とのインターロック構造は、前記ジャーナル１１１１をボスとして形成し、ボスの下端に４５度のテーパ状のガイド面を設けるようなものである。これに対応して、プラグベース１０６４のバックルには、前記ボスに対応する凹部が設けられ、ボスと凹部の相互係合によって、インターロックされる位置決め構造を形成する。
【０２７２】
本発明の好ましい実施形態において、前記実施形態に基づいて、前記旅行用変換装置を使用する場合、
プラグベース１０６４を、変換装置から引き出し、ＬＮ極端子１０８１及びラッチを所定位置に押し出して、固定し、接地極プラグ孔を備えるコンセントとして使用する（図１０７に示す）。
【０２７３】
ラッチを必要としない場合、ラッチ１４を押してジャーナル１１１１とプラグベース１０６４のバックルを無効化し、これによりラッチ１４を変換装置の内部に引き込み、この時、二極プラグとして、対応する国家標準に適合させて利用することができる（図１０８に示す）。
【０２７４】
プラグベース１０６４が変換装置の内部に摺動されると、プラグ１４のバックルが再びプラグベース１０６４のバックルと係合し、ラッチをプラグベース１０６４に固定する。次回にプラグベース１０６４を変換装置から外へ摺動する時、ユーザがラッチを備えるために再度操作する必要がない。
【０２７５】
前記過程を往復操作することにより、前記変換装置を正常に動作させることができる。
【０２７６】
実施形態４４
前記技術案に基づいて、前記ケースのハウジングの内部には、上下二つの収容空間が設けられ、当該ケースの上部の収容空間にはコンセントモジュールが設けられ、下部の収容空間には複数の異なる国の規格に対応するプラグモジュールが設けられる。
【０２７７】
ここで、前記コンセントモジュールは、プラグブッシュシートと、プラグブッシュシートに設けられたプラグブッシュと、を含み、ケースにおいて前記プラグブッシュに対応するようにプラグを挿入するためのプラグ孔が設けられる。前記プラグモジュールはプラグベース１０６４を含み、且つプラグベース１０６４にはＬＮ極端子１０８１とスライドボタン１９とが固定される。ケースにおいてプラグモジュールに対応するように、同様にプラグモジュールのラッチを内部から引き出せるためのプラグ孔が設けられ、前記スライドボタン１９は、ユーザがプラグベース１０６４を摺動させ、ラッチを内部から引き出すことを可能にするためのものである。
【０２７８】
前記実施形態に基づいて、前記ラッチベース１３は、独立的に設けられてもよく、プラグブッシュシートをラッチベース１３として使用してもよい。
【０２７９】
具体的には、使用する際に、前記プラグモジュールは、最初はケースの内部の下部の収容空間に完全に収容されており、必要に応じてユーザがスライドボタン１９を摺動することによりプラグモジュールを下に移動させて、ラッチを内部から引き出せるようにし、引き出した後、同時にＬＮ極端子１０８１とラッチとを備える。
【０２８０】
ラッチが必要でない時は、ラッチを押して、ラッチ１４のジャーナル１１１１とプラグベース１０６４のバックルが無効化され、ラッチ１４はプラグの内部に引き込まれ、両極プラグとなる。
【０２８１】
ユーザーがラッチ付きプラグを使用したい場合、スライドボタン１９を摺動することでプラグモジュールをハウジングの内部空間内に引き込むだけで、ジャーナル１１１１とバックル位置制限とが接続され、その後スライドボタン１９を再び摺動してプラグモジュールを下に押し出して、ラッチとＬＮ極端子１０８１とを内部から同時に引き出せるようにすることにより、同時にＬＮ極端子１０８１とラッチを備えることができる。
【０２８２】
実施形態４５
前記技術案に基づいて、図１１５ａ、図１１６ａ、図１１７ａ及び図６１２０〜１２１、図１２７〜１２９に示されるように、前記旅行用変換装置のケース１０にはプラグが設けられる。
前記プラグは、着脱自在な接地極モジュール１１５０ａとＬＮ極モジュール１１５１Ａとを含み、前記接地極モジュールは接地極ベース１１５２ａ及び接地極ベース１１５２ａに固定されるラッチ１４を含む。ＬＮ極モジュール１１５１ａはＬＮ極ベース１１５３ａ及びＬＮ極ベース１１５３ａに固定されるＬＮ極ラッチ１１５５ａ具体的に、Ｌ極ラッチ１１５４ａとＮ極ラッチ１１５５ａ）を含み（、接地極ベース１１５２ａはＬＮ極ベース１１５３ａの上に重ねられている。ここで、接地極ベースがＬＮ極ベース１１５３ａの上に重なった状態（図１２２〜１２３及び図１３０〜１３１に示す）では、ＬＮ極ベース１１５３ａには接地極ベース１１５２ａと係合するスロットが設けられてもよく、接地極ベース１１５２ａは少なくとも一部が当該スロットに収容され、接地極ベース１１５２ａがＬＮ極ベース１１５３ａの上に重なるようにして、連動引き出しと連動引き込みを実現することができる。連動引き出しと連動引き込みのメカニズムについては以下で詳しく説明する。
【０２８３】
プラグが第１使用状態にある場合、ＬＮ極モジュール１１５１ａは独立的にケース１０から引き出される。
プラグが第２使用状態にある場合、接地極モジュール１１５０ａは前記ＬＮ極モジュール１１５１ａをガイドしてケース１０から引き出す。ここで、接地極ベース１１５２ａがＬＮ極ベース１１５３ａの上に重なって連動を実現することにより、接地極モジュール１１５０ａが下にスライドしてケース１０から引き出される場合、ＬＮ極モジュール１１５１ａと一緒に摺動してケース１０から引き出され、これにより連動引き出しが実現される。
プラグが収納状態にある場合、ＬＮ極モジュール１１５１ａは接地極モジュールをガイドしてケース１０に引き込まれる。ここで、接地極ベースがＬＮ極ベース１１５３ａの上に重なって連動を実現することにより、ＬＮ極モジュール１１５１ａが上にスライドしてケース１０１に引き込まれる場合、接地極モジュール１１５０ａと一緒に摺動してケース１０に引き込まれ、これにより連動引き込みが実現される。
【０２８４】
本実施形態において、前記旅行用変換装置は、図１１８に示されるロックモジュール１１５０ｂをさらに含み、ロックモジュール１１５０ｂは、プラグが第１使用状態にある場合、前記接地極モジュール１１５０ａを引き込み位置（引き込み位置とは、ケース１０に引き込まれた位置を指す）にロックし、ＬＮ極モジュール１１５１ａを引き出し位置（引き出し位置とは、ケース１０から引き出した位置を指す）にロックする。プラグが第２使用状態にある場合、接地極モジュール１１５０ａとＬＮ極モジュール１１５１ａとを共に引き出し位置にロックし、一方、プラグが収納状態にある場合、接地極モジュール１１５０ａとＬＮ極モジュール１１５１ａとを共に引き込み位置にロックする。
【０２８５】
本実施形態において、プラグの接地極モジュール１１５０ａとＬＮ極モジュール１１５１ａとは摺動自在に接続されて着脱自在な二つのモジュールとしてそれぞれ設けられる。具体的には、接地極ベース１１５２ａをＬＮ極ベース１１５３ａの上に重ねることで、連動引き出しと連動引き込みを実現し、したがってプラグの三つの異なる状態を実現することができる。
第１使用状態の際に、ＬＮ極モジュール１１５１ａを独立的にケース１０から引き出す。この時、ロックモジュール１１５０ｂによって、接地極モジュール１１５０ａは引き込み位置にロックされ、ＬＮ極モジュール１１５１ａは引き出し位置にロックされる。
第２使用状態の際に、接地極モジュール１１５０ａはＬＮ極モジュール１１５１ａをガイドしてケース１０から引き出すように摺動する。この時、ロックモジュール１１５０ｂによって、接地極モジュール１１５０ａとＬＮ極モジュール１１５１ａとは共に引き出し位置にロックされる。
収納状態の際に、ＬＮ極モジュール１１５１ａは接地極モジュールをガイドしてケース１０に引き込むように摺動する。この時、ロックモジュール１１５０ｂによって、接地極モジュール１１５０ａとＬＮ極モジュール１１５１ａとは共に引き込み位置にロックされる。したがって、旅行用変換装置の同一プラグ構造で、同時に接地極モジュール１１５０ａとＬＮ極モジュール１１５１ａとを使用することができ、またはＬＮ極モジュール１１５１ａのみを使用することもできる。
【０２８６】
実施形態４６
前記技術案に基づいて、前記ロックモジュール１１５０ｂは、図１１８に具体的に示されるように、水平方向に操作可能で移動可能な移動スタンド１１５６ａ及び少なくとも一つの弾性部を含む。前記少なくとも一つの弾性部は、ケース１０と移動スタンド１１５６ａとの間に接続され、移動スタンド１１５６ａが水平方向の力を受けて水平方向に移動すると、弾性部は弾性変形し、ロックモジュール１１５０ｂが接地極モジュール１１５０ａとＬＮ極モジュール１１５１ａとに対するロックを解除することで、接地極モジュール１１５０ａとＬＮ極モジュール１１５１ａとが第１使用状態と、第２使用状態と収納状態との間で切り替えられる。水平方向の力が消えると、移動スタンド１１５６ａが弾性部の弾性復元力によって押され、ロックモジュール１１５０ｂが接地極モジュール１１５０ａとＬＮ極モジュール１１５１ａとに対するロックを再開する。
【０２８７】
好ましい実施形態として、前記弾性部は少なくとも一つのばね１１５７ａを含み、当該少なくとも一つのばね１１５７ａは、移動スタンド１１５６ａに設置された少なくとも一つの突起１１８１によってケース１０に接続される。
【０２８８】
本実施形態において、前記ロックモジュール１１５０ｂは、移動スタンド１１５６ａに垂直に接続する第１位置制限ピラー１１８４を含む。前記第１位置制限ピラー１１８４は、移動スタンド１１５６ａがロック位置に位置し、且つプラグが第１使用状態にある場合、接地極モジュール１１５０ａを引き込み位置に位置決めし、一方、移動スタンド１１５６ａがロック位置に位置し、且つプラグが第２使用状態にある場合、接地極モジュール１１５０ａとＬＮ極モジュール１１５１ａとを引き出し位置に位置決めする。
【０２８９】
さらに、前記第１位置制限ピラー１１８４は頂部に位置する第１ロック面１１８４ａを含む。当該第１ロック面１１８４ａは接地極ベースの下方に当接し、接地極モジュール１１５０ａを引き込み位置に位置決めする。前記第１位置制限ピラー１１８４は底部に位置する第２ロックロック面１１８４ｂを含む。当該第２ロック面１１８４ｂは接地極ベース１１５２ａの上方に当接し、接地極モジュール１１５０ａを引き出し位置に位置決めする。
【０２９０】
本実施形態において、ロックモジュール１１５０ｂは、移動スタンド１１５６ａに垂直に接続する第２位置制限ピラー１１８５を更に含む。前記第２位置制限ピラー１１８５は、移動スタンド１１５６ａがロック位置に位置し、且つプラグが前記第１使用状態にある場合、ＬＮ極モジュール１１５１ａを引き出し位置に位置決め、一方、移動スタンド１１５６ａがロック位置に位置し、且つプラグが収納状態にある場合、ＬＮ極モジュール１１５１ａと接地極モジュールとを引き込み位置に位置決める。
【０２９１】
さらに、前記第２位置制限ピラー１１８５は頂部に位置する第１ロッキング面１１８５ａを含む。当該第１ロック面１１８５ａはＬＮ極ベース１１５３ａの下方に当接し、ＬＮ極モジュール１１５１ａを引き込み位置に位置決めする。前記第２位置制限ピラー１１８５は底部に位置する第２ロッキング面１１８４ｂを含む。当該第２ロッキング面１１８４ｂはＬＮ極ベース１１５３ａの上方に当接し、ＬＮ極モジュール１１５１ａを引き出し位置に位置決めする。尚、ロックモジュール１１５０ｂのロック位置について以下に説明する。
【０２９２】
本実施形態において、図１２１に示されるように、前記第１位置制限ピラー１１８４の第１ロック面１１８４ａは、プラグが第１使用状態にある場合、接地極モジュール１１５０ａを個別に引き込み位置に位置決め、この時、第２位置制限ピラー１１８５の第２ロック面１１８５ｂは、ＬＮ極モジュール１１５１ａを個別に引き出し位置に位置決める。プラグが第２使用状態にある場合、第１位置制限ピラー１１８４の第２ロック面１１８４ｂは接地極モジュール１１５０ａ（ＬＮ極モジュール１１５１ａは接地極モジュール１１５０ａの引き出しに連動して引き出されるため、ＬＮ極モジュール１１５１ａを伴う）を引き出し位置に位置決めし、同時に第２位置制限ピラー１１８５の第２ロック面１１８５ｂもＬＮ極モジュール１１５１ａを引き出し位置に位置決めする。
【０２９３】
図１２０に示されるように、プラグが収納状態にある場合、第２位置制限ピラー１１８５の第１ロック面１１８５ａはＬＮ極モジュール１１５１ａ（接地極モジュール１１５０ａはＬＮ極モジュール１１５１ａの引き込みに連動して引き込まれるため、接地極モジュール１１５０ａを伴う）を引き込み位置に位置決めし、同時に第１位置制限ピラー１１８４の第１ロック面１１８４ａも接地極モジュール１１５０ａを引き込み位置に位置決めする。
【０２９４】
実施形態４７
前記技術案基づいて、前記実施形態４６と共存可能な実施形態として、図１１８に示されるように、ロックモジュール１１５０ｂは、前記第１位置制限ピラー１１８４とは異なる別の第１位置制限ピラー１１８２を含み、当該第１位置制限ピラー１１８２は移動スタンド１１５６ａに垂直に接続し、移動スタンド１１５６ａがロック位置に位置し、且つプラグが第１使用状態にある場合、接地極モジュール１１５０ａを引き込み位置に位置決めし、一方、移動スタンド１１５６ａがロックロ位置に位置し、且つプラグが第２使用状態にある場合、接地極モジュール１１５ａとＬＮ極モジュール１１５１ａとを引き出し位置に位置決めする。
【０２９５】
さらに、前記第１位置制限ピラー１１８２は頂部の一側面に設けられた第１ノッチ１１８２ａを含む。当該第１ノッチ１１８２ａは接地極ベース１１５２ａの下に当接し、接地極モジュール１１５０ａを引き込み位置に位置決めする。前記第１位置制限ピラー１１８２は底部に設けられ且つ第１ノッチ１１８２ａと同じ側面に設けられた第２ノッチ１１８２ｂを含む。当該第２ノッチ１１８２ｂは接地極ベース１１５２ａの上に当接し、接地極モジュール１１５０ａを引き出し位置に位置決めする。
【０２９６】
前記技術案に基づいて、ロックモジュール１１５０ｂは、前記第２位置制限ピラー１１８５とは異なる第２位置制限ピラー１１８３を含む。第２位置制限ピラー１１８３は、移動スタンド１１５６ａに垂直に接続する。前記第２位置制限ピラー１１８３は、移動スタンド１１５６ａがロック位置に位置し、且つプラグが前記第１使用状態にある場合、ＬＮ極モジュール１１５１Ａを引き出し位置に位置決めし、一方、移動スタンド１１５６ａがロック位置に位置し、且つプラグが収納状態にある場合、ＬＮ極モジュール１１５１ａと接地極モジュール１１５０ａとを引き込み位置に位置決めする。
【０２９７】
さらに、第２位置制限ピラー１１８３は、頂部の一側面に設けられた第１ノッチ１１８３ａを含む。前記第１ノッチ１１８３ａはＬＮ極ベース１１５３ａの下に当接し、ＬＮ極モジュール１１５１ａを引き込み位置に位置決めする。第２位置制限ピラー１１８３は、底部に設けられ且つ第１ノッチ１１８３ａと同じ側面に設けられた第２ノッチ１１８３ｂを含む。前記第２ノッチ１１８３ｂはＬＮ極ベース１１５３ａの上に当接し、ＬＮ極モジュール１１５１ａを引き出し位置に位置決めする。
【０２９８】
本実施形態において、第１位置制限ピラー１１８２の第１ノッチ１１８２ａは、プラグが第１使用状態にある場合、接地極モジュール１１５０ａを個別に引き込み位置に位置決めすることができ、この時、第２位置制限ピラー１１８３の第２ノッチ１１８３ｂは、ＬＮ極モジュール１１５１ａを個別に引き出し位置に位置決めする。プラグが第２使用状態にある場合、第１位置制限ピラー１１８２の第２ノッチ１１８２ｂは接地極モジュール１１５０ａ（ＬＮ極モジュール１１５１ａは接地極モジュール１１５０ａの引き出しに連動して引き出されるため、ＬＮ極モジュール１１５１ａを伴う）を引き出し位置に位置決めし、同時に第２位置制限ピラー１１８３の第２ノッチ１１８３ｂもＬＮ極モジュール１１５１ａを引き出し位置に位置決めする。プラグが収納状態にある場合、第２位置制限ピラー１１８３の第１ノッチ１１８３ａはＬＮ極モジュール１１５１ａ（接地極モジュール１１５０ａはＬＮ極モジュール１１５１ａの引き込みに連動して引き込まれるため、接地極モジュール１１５０ａを伴う）を引き込み位置に位置決めし、同時に第１位置制限ピラー１１８２の第１ノッチ１１８２ａは接地極モジュール１１５０ａを引き込み位置に位置決めする。
【０２９９】
尚、本実施形態では、異なる標準のプラグに対応するマッチング設計により、位置制限ピラーのロックするための部品（ノッチ）を実施形態２のロック面と異なるように設定されている。実施形態２のロック面は図１１９〜１２５に示されるイタリア標準プラグをロックするために使用するが、本実施形態のノッチは、図１２６〜１３２に示されるアメリカ標準プラグをロックするために使用される。
【０３００】
実施形態４８
前記技術案に基づいて、図１２２〜１２３に示されるように、前記接地極モジュール１１５０ａおよび/またはＬＮ極モジュール１１５１ａには、第１位置制限ピラー１１８４と第２位置制限ピラー１１８５と係合するガイド溝１２２１が設けられ、移動スタンド１１５６ａが操作位置に位置する場合、第１位置制限ピラー１１８４と第２位置制限ピラー１１８５の位置がガイド溝１２２１の位置に対応することにより、接地極モジュール１１５０ａとＬＮ極モジュール１１５１ａとが上下に摺動するようにガイドし、第１使用状態と、第２使用状態と収納状態との間を切り替えることができる。移動スタンド１１５６ａがロック位置に位置する場合、第１位置制限ピラー１１８４と第２位置制限ピラー１１８５の位置がガイド溝１２２１の位置が対応しないことにより、接地極モジュール１１５０ａと前記極モジュール１１５１ａとが摺動することを防止し、ロックを実現する。
【０３０１】
前記技術案に基づいて、共存する実施形態として、図１３０〜１３１に示されるように、接地極モジュール１１５０ａとＬＮ極モジュール１１５１ａには、第１位置制限ピラー１１８２と第２位置制限ピラー１１８３とが貫通するガイド孔１３０１が設けられる。移動スタンド１１５６ａが操作位置に位置する場合、第１位置制限ピラー１１８２と第２位置制限ピラー１１８３の位置にガイド孔１３０１の位置が対応することにより、接地極モジュール１１５０ａとＬＮ極モジュール１１５１ａとが上下に摺動するようにガイドし、第１使用状態と、第２使用状態と収納状態との間を切り替えることができるよ。移動スタンド１１５６ａがロック位置に位置する場合、第１位置制限ピラー１１８２と第２位置制限ピラー１１８３との位置にガイド孔１３０１の位置が対応しないことにより、接地極モジュール１１５０ａと前記ＬＮ極モジュール１１５１ａとが摺動することを防止し、ロックを実現する。
【０３０２】
したがって、ロックモジュール１１５０ｂの操作位置は、第１位置制限ピラー１１８４と第２位置制限ピラー１１８５との位置がガイド溝１２２１の位置に対応する、または第１位置制限ピラー１１８２と第２位置制限ピラー１１８３との位置がガイド孔１３０１の位置に対応することにより、接地極モジュール１１５０ａとＬＮ極モジュール１１５１ａとを上下に摺動するようにガイドするということを指す。ロックモジュール１１５０ｂのロック位置は、第１位置制限ピラー１１８４と第２位置制限ピラー１１８５との位置がガイド溝１２２１との位置に対応しない、または第１位置制限ピラー１１８２と第２位置制限ピラー１１８３との位置がガイド孔１３０１の位置に対応しないことにより、接地極モジュール１１５０ａとＬＮ極モジュール１１５１ａとをロックするということを指す。
【０３０３】
本実施形態において、異なる国の規格のプラグ（例えば、図１２２〜１２３に示されるイタリア標準プラグ、及び図１３０〜１３１に示されるアメリカ標準プラグ）構造において、プラグに、位置制限ピラーと対応するガイド溝１２２１、ガイド孔１３０１または類似するガイド構造を設け、当該ガイド構造を位置制限ピラーと係合することにより、プラグを上下に摺動させる、またはプラグをロックすることができ、非常に自由度が高く便利である。
【０３０４】
実施形態４９
前記技術案に基づいて、同じく図１２２〜１２３に示されるように、前記イタリア標準プラグにおいて、接地極モジュール１１５０ａの接地極ベース１１５２ａの形状は、ＬＮ極モジュール１１５１ａのＬＮ極ベース１１５３Ａに形成されたスロットと一致する。接地極ベース１１５２ａは当該スロットに収容され、接地極モジュール１１５０ａが接地極ベース１１５２ａを介してＬＮ極モジュール１１５１ａのＬＮ極ベース１１５３ａに重ねられ、且つＬＮ極ベース１１５３ａには接地極モジュール１１５０ａのラッチ１４を貫通させる一つの貫通孔１２２２が開口される。接地極ベース１１５２ａとＬＮ極ベース１１５３ａとが重ねられた後に嵌合されている、接地極モジュール１１５０ａとＬＮ極モジュール１１５１ａとが連動された引き出し及び引き込みが実現される。
【０３０５】
さらに、接地極ベース１１５２ａには簡単に操作できる接地極操作ボタン１１５８ａが設けられ、ＬＮ極ベース１１５３ａには簡単に操作できるＬＮ極操作ボタン１１５９ａが設けられ、当該接地極操作ボタン１１５８ａと当該ＬＮ極操作ボタン１１５９とを組み合わせた状態では、視覚的に美しい全体操作ボタン(即ち、上述したスライドボタン)になる。
【０３０６】
前記技術案に基づいて、共存する実施形態として、図１３０〜１３１に示されるように、前記アメリカ標準プラグにおいて、接地極モジュール１１５０ａの接地極ベース１１５２ａ形状が、ＬＮ極モジュール１１５１ａのＬＮ極ベース１１５３ａのスロット形状と一致され、接地極ベース１１５２ａは一部がＬＮ極ベース１１５３ａのスロットに収容されることができ、接地極モジュール１１５０ａは接地極ベース１１５２ａを介してＬＮ極モジュール１１５１ａのＬＮ極ベース１１５３ａに重ねられる。当該アメリカ標準プラグにおいて、ＬＮ極ベース１１５３ａに凹部を設け、接地極ベース１１５２ａに突出部を設け、接地極ベース１１５２ａの突出部をＬＮ極ベース１１５３ａの凹部に重ねることにより嵌合し、接地極モジュール１１５０ａとＬＮ極モジュール１１５１ａとの連動された引き出し及び引き込みを実現する。突出部と凹部とが嵌合することにより、作業ミスの防止を実現し、プラグモジュールのスプライシングの正確性及び安全性を実現する。
【０３０７】
さらに、当該アメリカ標準プラグの接地極ベース１１５２ａにも簡単に操作できる接地極操作ボタン１１５８ａが設けられ、ＬＮ極ベース１１５３ａにも簡単に操作できるＬＮ極操作ボタン１１５９ａが設けられ、当該接地極操作ボタン１１５８ａとＬＮ極操作ボタン１１５９ａとを組み合わせた状態では、視覚的に美しい全体操作ボタン(即ち、上述したスライドボタン)になる。
【０３０８】
実施形態５０
前記技術案に基づいて、図１１５ａ〜１１７ｂに示されるように、比較的に詳しくプラグをケース１０から引き出しまたはケース１０に収納する過程を示した。
【０３０９】
図１１５ａと１１５ｂに示されるように、前記プラグは収納状態にある、即ち接地極モジュール１１５０ａとＬＮ極モジュール１１５１ａとはケース１０に引き込まれた引き込み位置に位置する。この時、ロック構造の移動スタンド１１５６ａは、ロック位置に位置し、接地極モジュール１１５０ａとＬＮ極モジュール１１５１ａとを引き込み位置に位置決めする。
【０３１０】
プラグを使用する必要がある時は、図１１６ａと１１６ｂに示されるように、移動スタンド１１５６ａに設けられた簡単に操作できるボタン１８によって、移動スタンド１１５６ａは水平方向の力を受けて移動し、ロック位置から操作位置まで移動し、移動スタンド１１５６ａは移動過程で弾性部を圧縮する。移動スタンド１１５６ａが操作位置まで移動すると、接地極モジュール１１５０ａ及びＬＮ極モジュール１１５１ａに対するロックが解除され、接地極モジュール１１５０ａ及びＬＮ極モジュール１１５１ａは上下に摺動できる。図１１６ａと１１６ｂに示されるように、接地極モジュール１１５０ａ及びＬＮ極モジュール１１５１ａは下に摺動する、即ちＬＮ極モジュール１１５１ａが接地極モジュール１１５０ａによって連動して引き出される。この実現形態は、外力で接地極モジュール１１５０ａの接地極操作ボタン１１５８ａとＬＮ極モジュール１１５１ａのＬＮ極操作ボタン１１５９ａを押し、ラッチ１４、Ｌ極ラッチ１１５４ａ及びＮ極ラッチ１１５５ａが一緒に下に摺動させることを実現する。
【０３１１】
ラッチ１４、Ｌ極ラッチ１１５４ａ及びＮ極ラッチ１１５５ａが完全にケース１０から引き出された後、図１１７ａと１１７ｂに示されるように、ボタン１８を放し、弾性部の弾性復元力は、移動スタンド１１５６ａをロック位置に戻し、ラッチ１４、Ｌ極ラッチ１１５４ａ及びＮ極ラッチ１１５５ａをそれぞれに引き出し位置に位置決めし、プラグを第２使用状態にする。
【０３１２】
図１１７ａと１１７ｂに示されるプラグが第２使用状態にあることに基づいて、別の実施形態（メカニズムが似ているため、図示せず）として、プラグのＬ極ラッチ１１５４ａ及びＮ極ラッチ１１５５ａのみを使用する場合、ボタン１８を押すことにより弾性部を圧縮して、移動スタンド１１５６ａを操作位置まで移動させる。この時、Ｌ極ラッチ１１５４ａ及びＮ極ラッチ１１５５ａは動かさずに、接地極操作ボタン１１５８ａのみを押して、ラッチ１４を上に移動させるため、ラッチ１４はケース１０から引き出された状態からケース１０に収納された状態に変化する、即ちラッチ１４が引き出し位置から収納位置に変化する。ラッチ１４がケース１０に完全に収納されると、ボタン１８を放し、弾性部が移動スタンド１１５６ａを押してロックに戻し、Ｌ極ラッチ１１５４ａ及びＮ極ラッチ１１５５ａを引き出し位置にロック、ラッチ１４を収納位置にロックする、即ちプラグを第１使用状態にする目的を実現する。
【０３１３】
勿論、図１１５ａと１１５ｂに示される収納状態から直接前記第１使用状態に転換することもできる。即ち外力で移動スタンド１１５６ａを操作位置まで押した後、ＬＮ極操作ボタン１１５９ａを介してＬＮ極モジュール１１５１ａを下に摺動させ、接地極モジュール１１５０ａを動かさずに、ＬＮ極モジュール１１５１ａのＬ極ラッチ１１５４ａ及びＮ極ラッチ１１５５ａをケース１０から完全に引き出した後、弾性部により移動スタンド１１５６ａをロック位置に戻す、即ちＬ極ラッチ１１５４ａ及びＮ極ラッチ１１５５Ａを引き出し位置にロックし、ラッチ１４を収納位置にロックする。
【０３１４】
前記技術案において、プラグを、二つの摺動接続に分けられ、接地極モジュール１１５０ａとＬＮ極モジュール１１５１ａとｈｓ分離操作可能であり、ロックモジュール１１５０ｂにより別々に制御されることによって、同一プラグ構造で同時に接地極とＬＮ三極を使用する、またはＬＮ両極のみを使用するという目的を柔軟に実現する。
【０３１５】
以下の説明は、二つの具体的な実施形態に基づいて前記技術案の旅行用変換装置のプラグ構造の動作メカニズムについてさらに説明する。勿論、以下の説明は本発明技術案の実現可能性を説明することを意図しているに過ぎず、本発明の保護範囲を限定するものではない。
【０３１６】
実施形態５１
図１１９〜１２５に示されたのは、使用中のイタリア標準プラグの模式図である。図５〜７に示されるように、当該イタリア標準プラグは、ケース１０と、ケース１０に設けられた接地極モジュール１１５０ａと、ＬＮ極モジュール１１５１ａと、ロックモジュール１１５０ｂと、を含む。
【０３１７】
図１２２〜１２３に示されるように、当該イタリア標準プラグは独立的に設けられた接地極モジュール１１５０ａとＬＮ極モジュール１１５１ａとを含み、その具体的な接続方法は前記実施形態で説明した通りであり、ここでの詳細な説明を省略する。また、当該イタリア標準プラグは図１１８に示されるロックモジュール１１５０ｂをさらに含み、そのメカニズムも上記と同様である。さらに、イタリア標準プラグの内部斜視図である図１２４〜１２５に示されるように、ここで、ＬＮ極モジュール１１５１ＡのＬＮ極ベース１１５３Ａの両側にはそれぞれ突起１２３１が設けられ、当該突起１２３１は、ケース１０内側壁に設けられたガイドプレート１２４１の軌道内に嵌め込まれており、ＬＮ極モジュール１１５１Ａが接地極モジュール１１５０ａを軌道に沿って上下に摺動するために、摺動をさらに自由に制御可能にする。さらに、ラッチ１４は中空構造であり、接地極モジュール１１５０ａは接地極コア１２５１を含み、ラッチブッシュは、接地極コア１２５１を介して導電されるように、接地極コア１２５１外にスリーブされる。
【０３１８】
当該イタリア標準プラグにおいて、第２使用状態、即ち、接地極モジュール１１５０ａとＬＮ極モジュール１１５１Ａとを同時に使用する模式図は図１２０に示される。接地極モジュール１１５０ａのラッチ１４、ＬＮ極モジュール１１５１ＡのＬ極ラッチ１１５４Ａ及びＮ極ラッチ１１５５ａは、全てケース１０から完全に引き出され、この時、ロックロモジュール１１５０ｂの移動スタンド１１５６ａはロック位置に位置し、接地極モジュール１１５０ａとＬＮ極モジュール１１５１ａとをロックする。具体的には、第１位置制限ピラー１１８４の第２ロック面１１８４ｂにより、接地極モジュール１１５０ａ（ＬＮ極モジュール１１５１ａは接地極モジュール１１５０ａの引き出しによって連動して引き出されるため、ＬＮ極モジュール１１５１ａを伴う）を引き出し位置に位置決めし、同時に第２位置制限ピラー１１８５の第２ロック面１１８５ｂもＬＮ極モジュール１１５１ａを引き出し位置に位置決めする。
【０３１９】
当該イタリア標準プラグの第１使用状態、即ちＬＮ極モジュール１１５１ａのみを用いた模式図は図１２１に示される。この時、接地極モジュール１１５０ａのラッチ１４はケース１０に引き込まれ、ＬＮ極モジュール１１５１ａのＬ極ラッチ１１５４ａ及びＮ極ラッチ１１５５ａはケース１０から引き出される、即ち接地極モジュール１１５０ａとＬＮ極モジュール１１５１ａは図１２０に示される結合状態から図１２１に示される分離状態に変わる。この時、ロックモジュール１１５０ｂの移動スタンド１１５６ａもロック位置に位置し、第１位置制限ピラー１１８４の第１ロック面１１８４ａは、接地極モジュール１１５０ａを個別に引き込み位置に位置決めし、第２位置制限ピラー１１８５の第２ロック面１１８５ｂは、ＬＮ極モジュール１１５１ａを個別に引き出し位置に位置決めする。
【０３２０】
本実施形態において、前記イタリア標準プラグは接地極モジュール１１５０ａとＬＮ極モジュール１１５１ａとを独立的に設けることにより、ロックモジュール１１５０ｂの第１位置制限ピラー１１８４と第２位置制限ピラー１１８５によってロック制御され、ユーザが使用する時に、接地極モジュール１１５０ａとＬＮ極モジュール１１５１ａとの結合及び分離によって、同時に接地極とＬＮの三極使用、またはＬＮ両極のみを使用する目的を柔軟に実現することができる。
【０３２１】
実施形態５２
図１２６〜１３２に示されたのはアメリカ標準プラグの使用中の模式図である。図１３０〜１３１示されるように、当該アメリカ標準プラグはケース１０と、ケース１０に設けられた接地極モジュール１１５０ａ、ＬＮ極モジュール１１５１ａ及びロックモジュール１１５０ｂを含む。当該アメリカ標準プラグは独立的に設けられた接地極モジュール１１５０ａ及びＬＮ極モジュール１１５１ａを含み、その具体的な接続方法は前記実施形態で説明した通りであり、ここでの詳細な説明を省略する。同時に、当該アメリカ標準プラグは、図１１８に示されるロックモジュール１１５０ｂをさらに含み、そのメカニズムも上記と同様である。さらに、アメリカ標準プラグの内部斜視図である図１３２に示されるように、ここで、ＬＮ極モジュール１１５１ａのＬＮ極ベース１１５３ａには突起１２３１が設けられ、当該突起１２３１は、ケース１０内側壁に設けられたガイドプレート１２４１の軌道内に嵌め込まれており、ガイドプレート１２４１にガイドされてＬＮ極モジュール１１５１ａが接地極モジュール１１５０ａを軌道に沿って上下に摺動するために摺動をさらに自由に制御可能にする。
【０３２２】
当該アメリカ標準プラグにおいて、収納状態にある際に、即ち接地極モジュール１１５０ａとＬＮ極モジュール１１５１ａが同時にケース１０に収納された模式図は図１２７に示される。接地極モジュール１１５０ａのラッチ１４、ＬＮ極モジュール１１５１ａのＬ極ラッチ１１５４ａ及びＮ極ラッチ１１５５ａは全てケース１０に収納され、この時、ロッキングモジュール１１５０ｂの移動スタンド１１５６ａはロック位置に位置し、第２位置制限ピラー１１８３の第１ノッチ１１８３ａは、ＬＮ極モジュール１１５１ａ（接地極モジュール１１５０ａはＬＮ極モジュール１１５１ａの引き込みによって連動して引き込まれるため、接地極モジュール１１５０ａを伴う）を引き込み位置に位置決めし、同時に、第１位置制限ピラー１１８２の第１ノッチ１１８２ａは接地極モジュール１１５０ａを引き込み位置に位置決めする。
【０３２３】
当該アメリカ標準プラグの第１使用状態、即ち、ＬＮ極モジュール１１５１ａのみを使用する模式図は図１２８〜１２９に示される。この時、接地極モジュール１１５０ａのラッチ１４はケース１０に引き込まれ、ＬＮ極モジュール１１５１ａのＬ極ラッチ１１５４ａ及びＮ極ラッチ１１５５ａはケース１０から引き出される、即ち接地極モジュール１１５０ａとＬＮ極モジュール１１５１ａとは図１２７に示される結合状態から図１２８〜１２９に示される分離状態に変わる。この時、ロックモジュール１１５０ｂの移動スタンド１１５６ａもロック位置に位置し、第１位置制限ピラー１１８２の第１ノッチ１１８２ａは接地極モジュール１１５０ａを個別に引き込み位置に位置決めし、この時、第２位置制限ピラー１１８３の第２ノッチ１１８３ｂはＬＮ極モジュール１１５１ａを個別に引き出し位置に位置決めする。
【０３２４】
前記技術案において、前記アメリカ標準プラグにおいて、接地極モジュール１１５０ａとＬＮ極モジュール１１５１ａとを独立的に設け、ロックモジュール１１５０ｂの第１位置制限ピラー１１８４と第２位置制限ピラー１１８５にロック制御されることにより、ユーザが使用する時に、接地極モジュール１１５０ａとＬＮ極モジュール１１５１ａとの結合及び分離によって、同時に接地極とＬＮの三極を使用、またはＬＮ両極のみを使用する目的を柔軟に実現することができる。
【０３２５】
実施形態５３
前記技術案に基づいて、図１３３〜１４２に示されるように、前記旅行用変換装置のケース１０は、
少なくとも一つのプラグ６３１と、プラグ６３１が伸縮構造１３３１を介して操作可能にケース１０から引き出され、及びケース１０に引き込まれる引き出し面と、を含み、
当該伸縮構造１３３１は、さらにケース１０から延びるスライドボタン１９を含み、ケース１０にはスライドボタン１９を摺動させるためのガイド溝３０２が設けられ、スライドボタン１９は、プラグ６３１がケース１０内に収納される第１位置とプラグ６３１が引き出される第２位置との間で摺動し、
ここで、第１位置（図１３９〜１４０に示される）とは、プラグ６３１のラッチ１４が伸縮構造１３３１の伸縮作用によってケース１０に収納されて使用されない状態にある時に、スライド溝３０２に位置するスライドボタン１９の位置を意味し、図ではスライドボタン１９が上端部に位置するスライド溝３０２の位置を示す。
【０３２６】
第２位置（図１４１〜１４２に示される）とは、プラグ６３１のラッチ１４が伸縮構造１３３１の伸縮作用によって、ケース１０の引き出し面から引き出され、使用時にスライド溝３０２に位置するスライドボタン１９の位置を意味し、図ではスライド溝３０２の下端部に位置するスライドボタン１９の位置を示す。
【０３２７】
本発明における旅行用変換装置のバッフルゲート構造は、
スライド溝３０２が位置する一側に設けられ、摺動自在にケース１０内に設けられ、スライド溝３０２を開閉するためのる第１バッフルゲート１３７１と、
第１バッフルゲート１３７１とケース１０との間に設けられ、第１バッフルゲート１３７１に摺動方向での弾性力を提供し、スライドボタン１９が前記第２位置に位置する場合、第１バッフルゲート１３７１を使用して当該第１バッフルゲート１３７１とスライド溝３０２とに対応する領域、即ちスライド溝３０２の上端部を閉塞する第１弾性部１３６１と、
第１バッフルゲート１３７１と同じ側に設けられ、摺動自在にケース１０の内部に設けられ、スライド溝３０２を開閉するための第２バッフルゲート１３７５と、
第２バッフルゲート１３７５とケース１０との間に設けられ、第２バッフルゲート１３７５に摺動方向での弾性力を提供し、スライドボタン１９が前記第１位置に位置する場合、第２バッフルゲート１３７５を使用して第２バッフルゲート１３７５とスライド溝３０２とに対応する領域、即ちスライド溝３０２の下端部を閉塞第２弾性部１３６２と、を含む。
【０３２８】
前記技術案において、プラグ６３１が引き出し面に引き込まれる場合、即ちスライドボタン１９が第１位置に位置する場合、第２弾性部１３６２の弾性力によって、第２バッフルゲート１３７５はスライド溝３０２の方向に移動し、スライド溝３０２の第２バッフルゲート１３７５とスライド溝３０２とが対応する領域（図１３９〜１４０に示される）、即ちスライド溝３０２の下端部の位置を閉塞し、スライド溝３０２に金属チップが刺さることを防止し、ユーザの電気的な安全を確保する。
【０３２９】
これに対応して、前記技術案において、プラグ６３１が引き出し面から引き出される場合、即ちスライドボタン１９が第２位置に位置する場合、第１弾性部１３６１の弾性力によって、第１バッフルゲート１３７１はスライド溝３０２の方向に移動し、スライド溝３０２の第１バッフルゲート１３７１とスライド溝３０２とが対応する領域（図１４１〜１４２に示される）、即ちスライド溝３０２の上端部の位置をブロックし、スライド溝３０２に金属チップが刺さることを防止し、ユーザの電気的な安全を確保する。同時に、第１バッフルゲート１３７１と第２バッフルゲート１３７５とのブロックにより、スライド溝３０２を閉塞すると同時に、プラグ６３１が引き込みまたは引き出しの状態で摺動しないようにし、使用の信頼性および安全性を保証する。
【０３３０】
好ましくは、前記第１バッフルゲート１３７１の摺動方向は、ある平面においてスライド溝３０２の延在方向に垂直な方向である。これに対応して、第２バッフルゲート１３７５の摺動方向もある平面においてスライド溝３０２の延在方向に垂直な方向である。
【０３３１】
実施形態５４
前記技術案に基づいて、図１３４に示されるように、前記ケース１０は、
ガイド溝３０２が設けられる操作面１３４１と、
ケース１０内に設けられ、操作面１３４１に垂直なケース１０の構造上に位置し、第１バッフルゲート１３７１と第２バッフルゲート１３７５との摺動方向での移動範囲を制限する第１位置制限構造１３４２と、
ケース１０内に設けられ、操作面１３４１に平行なケース１０の構造上に位置し、第１バッフルゲート１３７１と第２バッフルゲート１３７５とが、操作面１３４１方向との夾角が０度より大きい方向に向かって移動することを防止する第２位置制限構造１３４３と、を含む。
【０３３２】
本実施形態において、スライド溝３０２に対応するように操作面１３４１に第１位置制限構造１３４２を設けられているため、第１バッフルゲート１３７１と第２バッフルゲート１３７５とが、第１位置制限構造１３４２に限定された範囲を超えず、図１３４に示されるスライド溝３０２の左右両側のみに摺動することを保証できる。同時に、第２位置制限構造１３４３を設けることによって、第１バッフルゲート１３７１と第２バッフルゲート１３７５とが移動中にケース１０内に押し込まれないことを保証でき、且つ第２位置制限構造１３４３は、第１バッフルゲート１３７１と第２バッフルゲート１３７５とが操作面１３４１方向との夾角が０度より大きい方向に向かって移動することを防止するため、第１バッフルゲート１３７１と第２バッフルゲート１３７５とがスライド溝３０２を閉塞する時にわずかな角度の隙間も生じないようにし、したがってプローブ１５等の鋭い物体に刺されることを防止する。
【０３３３】
実施形態５５
前記技術案に基づいて、本実施形態において、第１位置制限構造１３４２は、スライド溝３０２の両側にそれぞれもうけられる二つの第１突起である。第２位置制限構造１３４３は、二つの第１突起にそれぞれ垂直に設けられる二つの第２突起である。スライドボタン１９を貫通させ、操作面１３４１から引き出すために、当該二つ第２突起の間には隙間が設けられる。
【０３３４】
ここで、当該第１突起と第２突起とは、第１バッフルゲート１３７１と第２バッフルゲート１３７５との可動範囲を制限できれば、点状の突起であってもよい。当該ケース１０を製造する際に、スライド溝３０２の両側に穴をあけて、点状突起を操作面１３４１の内壁に形成することができ、このような設置方法により製造プロセスを大幅に簡素化し、大量生産を便利にする。あるいは、当該第１突起と第２突起は、第１バッフルゲート１３７１と第２バッフルゲート１３７５との可動範囲をより有効に制限すれために、スライド溝３０２に近い操作面１３４１の内壁設けられるステム状の突起であってもよい。
【０３３５】
実施形態５６
前記技術案に基づいて、本実施形態において、第１位置制限構造１３４２と第２位置制限構造１３４３とは、主にスライド溝３０２の両側にそれぞれ設けられた一対のガイド溝からなる。スライドボタン１９を引き出すために、一対のガイド溝の間には隙間が設けられる。
【０３３６】
本実施形態において、第１位置制限構造１３４２及び第２位置制限構造構造１３４３はとガイド溝として設けられるため、第１バッフルゲート１３７１及び第２バッフルゲート１３７５の可動範囲をより有効に制限することができ、第１バッフルゲート１３７１は、プラグ６３１が引き出し面から引き出された時に、スライド溝３０２の上端部を隙間がないまで完全に閉塞し、第２バッフルゲート１３７５は、プラグ６３１がケース１０に引き込まれた時にスライド溝３０２の下端部を隙間がないまで完全に閉塞する。同時に、第１バッフルゲート１３７１および第２バッフルゲート１３７５は、スライド溝３０２を閉塞する途中で、スライド溝３０２に対応する一対のガイド溝によって規定される範囲内にしっかり拘束される。第１バッフルゲート１３７１及び第２バッフルゲート１３７５は、当該一対のガイド溝によってすれることなくロックされる。
【０３３７】
実施形態５７
前記技術案に基づいて、図１３７に示されるように、本実施形態において、第１バッフルゲート１３７１は一対の第１面取り部１３７２を含む。当該一対の第１面取り部１３７２は、第１バッフルゲート１３７１の上下両端にそれぞれ設けられ、スライドボタン１９がスライド溝３０２に沿って移動する時に、第１バッフルゲート１３７１をスライド溝３０２が閉塞する位置から離すようにガイドする。
【０３３８】
本実施形態において、前記第２バッフルゲート１３７５は一対の第２面取り部１３７６を含む。当該一対の第２面取り部１３７６は第２バッフルゲート１３７５の上下両端にそれぞれ設けられ、スライドボタン１９がスライド溝３０２に沿って移動する時に、第２バッフルゲート１３７５をスライド溝３０２が閉塞する位置から離すようにガイドする。
【０３３９】
ここで、スライドボタン１９がスライド溝３０２内で上から下に摺動する時に、スライドボタン１９は、第１バッフルゲート１３７１の上端に位置する第１面取り部１３７２のガイドによって下に摺動し、第２バッフルゲート１３７５の上端の第２面取り部１３７６に達すると、更に第２バッフルゲート１３７５の上端の第２面取り部１３７６のガイドによって、続いて下に摺動し、第２バッフルゲート１３７５を押すことにより第２弾性部１３６２を押し、伸縮作用によってラッチ１４を引き出し面から引き出す。この過程において、スライドボタン１９が下に移動することにより、第１バッフルゲート１３７１が緩められ、第１弾性部１３６１が弾性力により、第１バッフルゲート１３７１を、スライド溝３０２のスライドボタン１９に占められていない上端部を完全に閉塞するまで第１バッフルゲート１３７１の摺動方向に沿って移動させる。この時、第１バッフルゲート１３７１はスライド溝３０２の上端部閉塞すると同時に、スライドボタン１９が第２位置から移動しないように、第１弾性部１３６１の弾性力によってスライドボタン１９を制限する。第２バッフルゲート１３７５はスライドボタン１９によって押されて第２弾性部１３６２を圧縮し、同じく静止状態にあり、したがって、プラグ６３１が使用状態を維持することを保証し、使用の信頼性が確保される。
【０３４０】
実施形態５８
前記技術案に基づいて、図１３７〜１３８に示されるように、本実施形態において、第１バッフルゲート１３７１と第２バッフルゲート１３７５とは、接続構造を介して第１バッフルゲート１３７１及び第２バッフルゲート１３７５の移動方向に平行な方向に沿って、摺動自在に接続される。当該接続構造は、第１バッフルゲート１３７１に設けられた第３突起１３７３と、及び第２バッフルゲート１３７５にもい受けられ、且つ第３突起１３７３に係合する第４突起１３７７と、を含み、第１バッフルゲート１３７１と第２バッフルゲート１３７５とは、当該第３突起１３７３及び第４突起１３７７を介して、摺動自在に接続される。
【０３４１】
本実施形態において、突起を設け、第１バッフルゲート１３７１と第２バッフルゲート１３７５とを摺動自在に接続する方法は、第１バッフルゲート１３７１と第２バッフルゲート１３７５との接続をより密着させる。ここで、第１バッフルゲート１３７１及び第２バッフルゲート１３７５の移動方向は、スライド溝３０２に水c地区な方向であり、図では、スライド溝３０２の両側に設けられた第１位置制限構造１３４２の間での水平移動を示す。
【０３４２】
好ましくは、前記第１バッフルゲート１３７１の第３突起１３７３は当該第１バッフルゲート１３７１に向かう第１面取り部１３７２を有する一側に第４面取り部１３７４が設けられ、前記第２バッフルゲート１３７５の第４突起１３７７は当該第２バッフルゲート１３７５に向かう第２面取り部１３７６を有する一側に第３面取り部１３７８が設けられ、当該第４面取り部１３７４及び第３面取り部１３７８は、第１バッフルゲート１３７１と第２バッフルゲート１３７５との接続部で、第３突起１３７３及び第４突起１３７７と係合することで、接続後に摺動の自由度を高め、第１バッフルゲート１３７１と第２バッフルゲート１３７５とが摺動時に引っかかって動けなくなることを防止する。
【０３４３】
実施形態５９
前記技術案に基づいて、図１３６に示されるように、本実施形態において、前記第１弾性部１３６１と第２弾性部１３６２は、主に「３」形状の弾性片で形成され、当該「３」形状弾性片の二つのアーチは、それぞれ第１弾性部１３６１及び第２弾性部１３６２に対応する。
【０３４４】
本実施形態において、「３」形状の弾性片を使用することにより、原材料コストを減少し、製造されたバッフルゲート構造をより簡素化する。
【０３４５】
前記技術案において、ラッチ１４がケース１０に引き込まれた場合、即ちスライドボタン１９がスライド溝３０２中の第１位置に位置する場合、スライドボタン１９は第１バッフルゲート１３７１に係合し、第１バッフルゲート１３７１は「３」形状弾性片の上部アーチを押すことにより、「３」形状弾性片の上部アーチを圧縮する。「３」形状弾性片の下部アーチは弾性力により、第２バッフルゲート１３７５を押して、スライド溝３０２のスライドボタン１９に占められていない領域、即ちスライド溝３０２の露出する下端部を閉塞させる。ラッチ１４がケース１０から引き出された場合、即ちスライドボタン１９がスライド溝３０２中の第２位置に位置する場合、スライドボタン１９は第２バッフルゲート１３７５に係合し、第２バッフルゲート１３７５は「３」形状弾性片の下部アーチを押すことにより、「３」形状弾性片の下部アーチを圧縮する。「３」形状弾性片の上部アーチは弾性力により、第１バッフルゲート１３７１を押して、スライド溝３０２のスライドボタン１９に占められていない領域、即ちスライド溝３０２の露出する上端部を閉塞させる。
【０３４６】
実施形態６０
前記技術案に基づいて、本実施形態において、前記第１弾性部１３６１は、並置された二つの第１ばねのような少なくとも一つの第１ばねを含んでもよく、第２弾性部１３６２は、並置した二つの第２ばねのような少なくとも一つの第２ばねを含んでもよく、第１スプリングと第２スプリングとは、独立に設けられる。
【０３４７】
本実施形態において、独立に設けられた第１ばねと第２ばねを使用する。第１ばねと第２ばねの数は複数であってよく、よりよい弾性力を発揮し、且つ第１ばね及び第２ばねの弾性力は互いに影響しない。
【０３４８】
前記技術案において、ラッチ１４がケース１０に引き込まれた場合、即ちスライドボタン１９がスライド溝３０２の第１位置に位置する場合、スライドボタン１９は第１バッフルゲート１３７１に係合し、第１バッフルゲート１３７１は第１スプリングを押すことにより第１ばねを圧縮させる。第２ばねは弾性力によって第２バッフルゲート１３７５を押し、スライド溝３０２のスライドボタン１９に占められていない領域、即ちスライド溝３０２の露出する下端部を閉塞する。ラッチ１４がケース１０から引き出された場合、即ちスライドボタン１９がスライド溝３０２の第２位置に位置する場合、スライドボタン１９は第２バッフルゲート１３７５に係合し、第２バッフルゲート１３７５は第２ばねを押すことにより第２ばねを圧縮させる。第１ばねは弾性力によって第１バッフルゲート１３７１を押し、スライド溝３０２のスライドボタン１９に占められていない領域、即ちスライド溝３０２の露出する上端部を閉塞する。
【０３４９】
実施形態６１
前記技術案に基づいて、図１３５に示されるように、本実施形態において、スライドボタン１９はハンドル状のスライドボタン１９であり、ケース１０の操作面１３４１に露出され、ユーザが便利に把持することができる。ユーザは、当該ハンドル状のスライドボタン１９を介して伸縮構造１３３１を押して、プラグ６３１をケース１０から自由に引き出し、またはケース１０に収納することができる。
【０３５０】
以下の説明は、具体的な実施形態を介して前記技術案におけるバッフルゲート構造の操作メカニズムを説明するものである。無論、以下の説明は本発明技術案の実現可能性を説明することを意図するものであり、本発明の保護範囲を限定するものではない。
【０３５１】
図１３９〜１４０に示されるように、この時、プラグ６３１はケース１０内に引き込まれ、スライドボタン１９はスライド溝３０２の第１位置に位置する、即ち図ではスライドボタン１９がスライド溝３０２の上端部に位置する。スライドボタン１９がスライド溝３０２の上端部を占めているため、第１バッフルゲート１３７１は第１弾性部１３６１を押圧し、第２弾性部１３６２は弾性力によって第２バッフルゲート１３７５を押してスライド溝３０２の下端部を閉塞する。第１バッフルゲート１３７１と第２バッフルゲート１３７５との間の相互作用により、スライドボタン１９はスライド溝３０２の上端部に係合して、変位せず、プラグ６３１をずっとケース１０内に収納されたままにする。同時に、第２バッフルゲート１３７５は、スライド溝３０２のスライドボタン１９に占められていない領域を隙間なく閉塞し、金属プローブが刺さるのを防ぎ、同時にほこりの侵入をも防止する。
【０３５２】
図１４１〜１４２に示されるように、スライドボタン１９がスライド溝３０２を上から下に摺動する時に、スライドボタン１９は、第１バッフルゲート１３７１の上端に位置する第１面取り部１３７２にガイドされ下に摺動し、第２バッフルゲート１３７５の上端の第２面取り部１３７６に達し、続けて第２バッフルゲート１３７５の上端の第２面取り部１３７６にガイドされ、続いて下に摺動し、第２バッフルゲート１３７５を押すことにより第２弾性部１３６２を押し、且つ伸縮作用によってラッチ１４を引き出し面から引き出す。この過程において、スライドボタン１９が下に移動することにより、第１バッフルゲート１３７１が緩められ、第１弾性部１３６１が弾性力により、第１バッフルゲート１３７１を、スライド溝３０２のスライドボタン１９に占められていない上端部を完全に閉塞するまで、スライド溝３０２に平行な方向に沿って移動させる。この時、第１バッフルゲート１３７１は、スライド溝３０２の上端部を閉塞すると同時に、スライドボタン１９が第２位置から移動しないように、第１弾性部１３６１の弾性力によってスライドボタン１９を制限する。この時、第２バッフルゲート１３７５はスライドボタン１９によって押されて第２弾性部１３６２を圧縮し、同じく静止状態にある。したがって、プラグ６３１の使用状態を維持することが保証され、使用の信頼性が保障される。
【０３５３】
前記旅行用変換装置におけるバッフルゲート構造において、スライドボタン１９がスライド溝３０２で上下に摺動することにより、ユーザは、必要な場合に、スライドボタン１９を下にスライドすることで、プラグ６３１をケース１０から引き出し、使用終了時に、スライドボタン１９を上にスライドすることで、プラグ６３１をケース１０に収納する。独立的に設けられた第１バッフルゲート１３７１と第２バッフルゲート１３７５とによって、第１弾性部１３６１と第２弾性部１３６２との役割をも合わせて、プラグ６３１の使用/非使用状態を自由かつ迅速に切り替えることができる。使用時に第１バッフルゲート１３７１と第２バッフルゲート１３７５とが閉塞することにより、スライド溝３０２には隙間がなくなり、ユーザの電気的な安全が保証される。
【０３５４】
実施形態６２
前記技術案に基づいて、本発明の旅行用変換装置において、ケースには少なくとも一つのプラグが更に設けられ、プラグは、伸縮構造を介して、操作可能にケースから引き出され、またはケースに収納される。ここで、図１４３に示されるように、前記旅行用変換装置は、導電構造を含み、当該導電構造は、具体的には、
プラグの数と対応する導電構造セットが設けられ、各導電構造セットはそれぞれＬ極導電構造及びＮ極導電構造を含み、全てのＬ極導電構造は第１Ｌ極接続点１４３３によって相互に接続され、全ての前記Ｎ極導電構造は第１Ｎ極接続点１４３４によって相互に接続される第１導電構造１４３１と、
少なくとも一つの出力プラグブッシュセットが設けられ、各出力プラグブッシュセットはＬ極出力プラグブッシュ１４３１ｂとＮ極出力プラグブッシュ１４３２ｂを含み、各Ｌ極出力プラグブッシュ１４３１ｂは第１Ｌ極接続点１４３３に電気的に接続され、各Ｎ極出力プラグブッシュ１４３２ｂは第１Ｎ極接続点１４３４に電気的に接続される第２導電構造１４３２と、をさらに含み、
各プラグは一つのラッチセットを含み、当該ラッチセットは一つのＬ極ラッチと一つのＮ極ラッチを含み、各前記ラッチセットと導電構造セットとは一対一で対応する。
プラグがケースから引き出される場合、Ｌ極ラッチと対応する導電構造セットのＬ極導電構造とが電気的に接続され、Ｎ極ラッチと対応する導電構造セットのＮ極導電構造とが電気的に接続される。
【０３５５】
本実施形態において、全てのＬ極導電構造を電気的に接続し、第１Ｌ極接続点１４３３に共通に接続してから、Ｌ極出力プラグブッシュ１４３１ｂに電気的に接続し、全てのＮ極導電構造を電気的に接続し、第１Ｎ極接続点１４３４に共通に接続してから、Ｎ極出力プラグブッシュ１４３２ｂに電気的に接続することで、異なる国のプラグ規格に適合するプラグをコンセントに挿入する時に、Ｌ極プラグはＬ極導電構造を介してＬ極出力プラグブッシュ１４３１ｂに電気的に接続され、Ｎ極プラグはＮ極導電構造を介してＮ極出力プラグブッシュ１４３２ｂに電気的に接続され、出力プラグブッシュの極性が常に「Ｌ ｆｉｒｅ/Ｎ ｚｅｒｏ」であることを保証し、「Ｌ ｆｉｒｅ/Ｎ ｚｅｒｏ」の位置調整の安全上の危険を解消する。
【０３５６】
実施形態６３
前記技術案に基づいて、図１４４に示されるように、前記導電構造セットは導電プラグブッシュセットである。従って、Ｌ極導電構造はＬ極導電プラグブッシュであり、Ｎ極導電構造はＮ極導電プラグブッシュである。
そして、前記各ラッチセットは、Ｌ極ラッチに対応されて接続されたＬ極導電挿入片及びＮ極ラッチに対応されて接続されたＮ極導電挿入片を含む。
プラグがケースから引き出されると、Ｌ極導電挿入片はプラグの引き出しに連動して対応する導電プラグブッシュ組のＬ極導電プラグブッシュに挿入され、Ｎ極導電挿入片はプラグの引き出しに連動して対応する導電プラグブッシュ組のＮ極導電プラグブッシュに挿入される。
【０３５７】
さらに、同じく図１４４に示されるように、第１導電構造１４３１には四組の導電プラグブッシュセットが設けられされ、それぞれは
第１Ｌ極導電プラグブッシュ１４４１ａ及び第１Ｎ極導電プラグブッシュ１４４２ａと、
第２Ｌ極導電プラグブッシュ１４４１ｂ及び第２Ｎ極導電プラグブッシュ１４４２ｂと、
第３Ｌ極導電プラグブッシュ１４４１ｃ及び第３Ｎ極導電プラグブッシュ１４４２ｃと、
第４Ｌ極導電プラグブッシュ１４４１ｄ及び第４Ｎ極導電プラグブッシュ１４４２ｄと、である。
【０３５８】
ここで、第１Ｌ極導電プラグブッシュ１４４１ａ、第２Ｌ極導電プラグブッシュ１４４１ｂ、第３Ｌ極導電プラグブッシュ１４４１ｃ及び第４Ｌ極導電プラグブッシュ１４４１ｄは第１Ｌ極接続点１４３３によって相互に接続される。
第１Ｎ極導電プラグブッシュ１４４２ａ、第２Ｎ極導電プラグブッシュ１４４２ｂ、第３Ｎ極導電プラグブッシュ１４４２ｃ及び第４Ｎ極導電プラグブッシュは、１４４２ｄは、第１Ｎ極接続点１４３４によって相互に接続される。
【０３５９】
本実施形態において、前記導電プラグブッシュ（全てのＬ極導電プラグブッシュとＮ極導電プラグブッシュを含む）は、全て銅板を折り折り曲げて形成されることができ、各導電プラグブッシュの隣には当該導電プラグブッシュに対応するフィレットを設けることができ（例えば、第１Ｌ極導電プラグブッシュ１４４１ａの隣に第１Ｌ極フィレットを設け、第１Ｎ極導電プラグブッシュ１４４２ａの隣に第１Ｎ極フィレットを設けるなど）、そしてＬ極ジャンパーを介して全てのＬ極導電プラグブッシュを第１Ｌ極接続点１４３３によって相互に接続し、Ｎ極ジャンパーを介して全てのＮ極導電プラグブッシュを第１Ｎ極接続点１４３４によって相互に接続する。
【０３６０】
本実施形態において、全てのＬ極導電プラグブッシュを電気的に接続した後、第１Ｌ極接続点１４３３によって相互に接続することで、プラグのＬ極ラッチをいずれかのＬ極導電プラグブッシュに挿入して電力の供給を受け、第１Ｌ極接続点１４３３を経て、Ｌ極出力プラグブッシュ１４３１ｂへの電気出力を形成する。全てのＮ極導電プラグブッシュを電気的に接続した後、第１Ｎ極接続点１４３４によって相互に接続することで、プラグのＮ極ラッチをいずれかのＮ極導電プラグブッシュに挿入して電力の供給を受け、第１Ｎ極接続点１４３４を経て、Ｎ極出力プラグブッシュ１４３２ｂへの電気出力を形成する。よって、異なる国の規格のプラグが出力プラグブッシュに挿入される場合、Ｌ極プラグは常にＬ極出力プラグブッシュ１４３１ｂを介して、Ｌ極導電プラグブッシュのＬ極ラッチのＬ極導電挿入片から電力が供給され、Ｎ極プラグは常にＮ極出力プラグブッシュ１４３２ｂを介して、Ｎ極導電プラグブッシュのＮ極ラッチのＮ極導電挿入片から電力が供給され、出力プラグブッシュの極性が変わらないようにする。
【０３６１】
実施形態６４
前記技術案に基づいて、図１４４〜１４５に示されるように、前記第１導電構造１４３１は、具体的には、
前記導電プラグブッシュセットが設けられ、対応する導電プラグブッシュセットのラッチセットが貫通する貫通孔をさらに含む第１導電板１４４３と、
第１導電板１４４３に設けられ、第１Ｌ極接続点１４３３に接続され、各導電プラグブッシュセットのＬ極導電プラグブッシュと第１Ｌ極導電線路１４５１を介して電気的に接続される第１Ｌ極導電線路１４５１と、
第１導電板１４４３に設けられ、第１Ｎ極接続点１４３４に接続され、各導電プラグブッシュセットのＮ極導電プラグブッシュと第１Ｎ極導電線路１４５２を介して電気的に接続される第１Ｎ極導電線路１４５２と、を含む。
【０３６２】
好ましい実施形態として、当該第１Ｌ極導電線路１４５１はパターニングされた銅箔線導電層である。
【０３６３】
好ましい実施形態として、当該第１Ｎ極導電線路１４５２はパターニングされた銅箔線導電層である。
【０３６４】
好ましい実施形態として、当該第１Ｌ極導電線路１４５１及び第１Ｎ極導電線路１４５２は全てパターニング銅箔線導電層である。
【０３６５】
本実施形態において、前記各導電プラグブッシュセットのＬ極導電プラグブッシュは第１Ｌ極導電線路１４５１を介して電気的に接続され、第１Ｌ極接続点１４３３によって相互接続され、より良いＬ極の電気的特性の接続を実現することができる。同様に、各導電プラグブッシュセットのＮ極導電プラグブッシュは第１Ｎ極導電線路１４５２を介して電気的に接続され、第１Ｎ極接続点１４３４と相互接続され、より良いＮ極の電気的特性の接続を実現することがでる。
【０３６６】
実施形態６５
前記技術案に基づいて、図１４６に示されるように、前記ケースのプラグブッシュシート１１は前記第２導電構造１４３２に設けられ、出力プラグブッシュセットは当該プラグブッシュシート１１に設けられる。前記第２導電構造１４３２は、第２Ｌ極導電線路１４３１ａと、第２Ｎ極導電線路１４３２ａと、をさらに含み、
前記第２Ｌ極導電線路１４３１ａはプラグブッシュシート１１に設けられ、出力プラグブッシュセットのＬ極出力プラグブッシュ１４３１ｂは第２Ｌ極導電線路１４３１ａに接続され、当該第２Ｌ極導電線路１４３１ａには第２Ｌ極接続点が設けられ、当該第２Ｌ極接続点と前記第１Ｌ極接続点１４３３とは電気的に接続され、
前記第２Ｎ極導電線路１４３２ａはプラグブッシュシート１１に設けられ、出力プラグブッシュセットのＮ極出力プラグブッシュ１４３２ｂは第２Ｎ極導電線路１４３２ａに接続され、第２Ｎ極導電線路１４３２ａには第２Ｎ極接続点が設けられ、当該第２Ｎ極接続点と前記第１Ｎ極接続点１４３４とは電気的に接続される。
【０３６７】
好ましい実施形態として、当該第２Ｌ極導電線路１４３１ａは導電性金属シートである。
【０３６８】
好ましい実施形態として、当該第２Ｎ極導電線路１４３２ａは導電性金属シートである。
【０３６９】
好ましい実施形態として、当該第２Ｌ極導電線路１４３１ａ及び第２Ｎ極導電線路１４３２ａは全て導電性金属シートである。
【０３７０】
本実施形態において、出力プラグブッシュセットのＬ極出力プラグブッシュ１４３１ｂは第２Ｌ極導電線路１４３１ａを介して、第１Ｌ極接続点１４３３によって一つのＬ極導電プラグブッシュに電気的に接続され、Ｎ極出力プラグブッシュ１４３２ｂは第２Ｎ極導電線路１４３２ａを介して、第１Ｎ極接続点１４３４によって一つのＮ極導電プラグブッシュに電気的接続されることにより、異なる国の規格のプラグが出力プラグブッシュに挿入される場合、出力プラグブッシュの極性が常に「Ｌ ｆｉｒｅ/Ｎ ｚｅｒｏ」であるようにする。
【０３７１】
実施形態６６
前記技術案に基づいて、本実施形態において、前記第１Ｌ極接続点１４３３は第１フィレットであり、前記第２Ｌ極接続点は第２フィレットであり、当該第１フィレットと当該第２フィレットとの間はＬ極接続線路１４３６を介して電気的に接続され、
同時に、前記第１Ｎ極接続点１４３４は第３フィレットであり、前記第２Ｎ極接続点は第４フィレットであり、当該第３フィレットと当該第４フィレットとの間はＮ極接続線路１４３７を介して電気的に接続される。
【０３７２】
好ましい実施形態として、当該Ｌ極接続線路１４３６は、第２導電板に設けられたパターニングされた銅箔線導電層であってもよく、当該Ｎ極接続線路１４３７は、第２導電板に設けられたパターニングされた銅箔線導電層であってもよい。
または当該Ｌ極接続線路１４３６と当該Ｎ極接続線路１４３７とは、全て二つのフィレットを接続するジャンパーであり、即ち、第２導電板を使用せず、電気接続を実現するワイヤとして独立に設けられてもよい。
【０３７３】
本実施形態において、Ｌ極接続線路１４３６を介して第１導電構造１４３１の第１Ｌ極接続点１４３３と第２導電構造１４３２の第２Ｌ極導電線路１４３１ａとを接続することで、第１導電構造１４３１と第２導電構造１４３２との間に一本のＬ極電気的特性通路を形成し、Ｎ極接続線路１４３７を介して第１導電構造１４３１の第１Ｎ極接続点１４３４と第２導電構造１４３２の第２Ｎ極導電線路１４３２ａとを接続することで、第１導電構造１４３１と第２導電構造１４３２との間に一本のＮ極電気的特性通路を形成する。よって、異なる国の規格のプラグが出力プラグブッシュに挿入される場合、出力プラグブッシュの極性が常に「Ｌ ｆｉｒｅ/Ｎ ｚｅｒｏ」であるようにする。
【０３７４】
実施形態６７
前記技術案に基づいて、図１４４に示されるように、本実施形態において、前記旅行用変換装置は、ＵＳＢインターフェース（図面では詳細に示されない）が設けられた第４導電構造１４３５をさらに含み、第１導電構造１４３１に電気的に接続される。当該第４導電構造１４３５は、Ｌ極接続線路１４３６を含み、当該Ｌ極接続線路１４３６は第１Ｌ極接続点１４３３と接続される。第４導電構造１４３５はＮ極接続線路１４３７をさらに含み、第１Ｎ極接続点１４３４と接続される。
【０３７５】
ここで、第１Ｌ極接続点１４３３は第１プラグブッシュであり、当該第４導電構造１４３５はＬ極接続線に接続された第１ラッチを含み、当該第１ラッチは第１プラグブッシュに挿入されて電気的接続を形成する。
代わりに、当該第１Ｌ極接続点１４３３は第１ラッチであってもよく、第４導電構造１４３５はＬ極接続線に接続された第１プラグブッシュを含み、当該第１ラッチは第１プラグブッシュに挿入されて電気的接続を形成する。
【０３７６】
好ましい実施形態として、第１Ｎ極接続点１４３４は第２プラグブッシュであり、第４導電構造１４３５はＮ極接続線に接続された第２ラッチを含み、当該第２ラッチは第２プラグブッシュに挿入されて電気的接続を形成する。
代替実施形態として、前記第１Ｎ極接続点１４３４は第２ラッチであってもよく、第４導電構造１４３５はＮ極接続線に接続された第２プラグブッシュを含み、当該第２ラッチは第２プラグブッシュに挿入されて電気的接続を形成する。さらに、第４導電構造１４３５には、ＵＳＢインターフェースに接続された整流トランス（図示せず）が設けられ、当該整流トランスは、第４導電構造１４３５が第１導電構造１４３１によって得られた商用電力を５Ｖ直流電圧に変換し、ＵＳＢインターフェースに出力する。整流トランスの電圧変換原理は従来技術であるため、ここでは再度説明しない。
【０３７７】
本実施形態において、第４導電構造１４３５と第１導電構造１４３１との間はラッチ１０及びプラグブッシュを介して接続することで、第４導電構造１４３５と第１導電構造１４３１との間の接続がより自由になり、接続部が破損すると、接続のためのラッチ/プラグブッシュを交換することにより修復することができる。また固定及び取り付けの便利のために、接続のためのラッチ/プラグブッシュは導電板に設けられてもよい。
【０３７８】
実施形態６８
前記技術案に基づいて、前記少なくとも一つの出力プラグブッシュセットは、一組の二孔ソケット出力プラグブッシュセットと一組の三孔ソケット出力プラグブッシュセットを含み、しかも二孔ソケット出力プラグブッシュセットのＬ極出力プラグブッシュ１４３１ｂと三孔ソケット出力プラグブッシュセットのＬ極出力プラグブッシュ１４３１ｂは一体化され、二孔ソケット出力プラグブッシュセットのＮ極出力プラグブッシュ１４３２ｂと三孔ソケット出力プラグブッシュセットのＮ極出力プラグブッシュ１４３２Ｂは一体化される。
【０３７９】
本実施形態において、出力プラグブッシュセットが少なくとも一組の二孔ソケット出力プラグブッシュセットと一組の三孔ソケット出力プラグブッシュセットを含むことにより、異なる国の規格のプラグに適合される。しかも二孔ソケット出力プラグブッシュセット及び三孔ソケット出力プラグブッシュセットのＬ極、Ｎ極を対応させて一体化することにより、異なる国の規格のプラグが二孔ソケット出力プラグブッシュセットまたは三孔ソケット出力プラグブッシュセットに挿入されても、一体化されたＬ極を介してＬ極の電気的特性の接続を実現でき、一体化されたＮ極を介してＮ極の電気的特性の接続を実現できる。
【０３８０】
以下では、具体的な実施形態により前記旅行用変換装置のメカニズムを説明する。無論、以下の説明は本発明技術案の実現可能性を説明することを意図するものであり、本発明の保護範囲を限定するものではない。
【０３８１】
図１４７〜１５０は、本発明好ましい実施形態の旅行用変換装置における上述した前記四組の導電プラグブッシュセットに対応する４つの異なる国の標準のプラグである。ここで、図１４７はイギリス標準プラグ（以下、イギリス標準プラグ５１５と称する）の構造図であり、Ｌ極５１５ａ、Ｎ極５１５ｂ及びグランド保護極５１５ｃを含む。図１４８はアメリカ標準プラグ（以下、アメリカ標準プラグ５１４と称する）の構造図であり、Ｌ極５１４ａ、Ｎ極５１４ｂ及びグランド保護極５１４ｃを含む。図１４９はイタリア標準プラグ（以下、イタリア標準プラグ１４９１と称する）の構造図であり、Ｌ極１４９１ａ、Ｎ極１４９１ｂ及びグランド保護極１４９１ｃを含む。図１５０は、オーストラリア標準プラグ（以下、オーストラリア標準プラグ５１６と称する）の構造図であり、Ｌ極５１６ａ、Ｎ極５１６ｂ及びグランド保護極５１６ｃを含む。
【０３８２】
図１５０に示されるオーストラリア標準プラグ５１６を例として（図１５１〜１５２を参照して）説明する。
当該オーストラリア標準プラグ５１６は、Ｌ極ラッチ５１６ａ及びＬ極ラッチ５１６ａに対応して接続されたＬ極導電挿入片５１６ｄと、Ｎ極ラッチ５１６ｂ及びＮ極ラッチ５１６ｂに対応して接続されたＮ極導電挿入片５１６ｆと、一つのグランド保護極５１６ｃと、を含む。
【０３８３】
オーストラリア標準プラグ５１６を使用して電力の供給を受ける場合、Ｌ極ラッチ５１６ａはＬ極導電プラグブッシュに挿入され、Ｌ極導電挿入片５１６ｄと当該Ｌ極導電プラグブッシュが接続されて電気的接続を形成する。Ｌ極導電プラグブッシュは、第１導電構造１４３１の第１Ｌ極導電線路１４５１を介して、第１Ｌ極接続点１４３３によって第２導電構造１４３２の第２Ｌ極導電線路１４３１ａに接続され、Ｌ極出力プラグブッシュ１４３１ｂに接続される、即ちオーストラリア標準プラグ５１６のＬ極ラッチ５１６ａとＬ極出力プラグブッシュ１４３１ｂとは対応されて接続される。同様に、Ｎ極ラッチ５１６ｂはＮ極導電プラグブッシュに挿入され、Ｎ極導電挿入片５１６ｆと当該Ｎ極導電プラグブッシュが接続されて電気的接続を形成する。Ｎ極導電プラグブッシュは、第１導電構造１４３１の第１Ｎ極導電線路１４５２を介して、第１Ｎ極接続点１４３４によって第２導電構造１４３２の第２Ｎ極導電線路１４３２ａに接続され、Ｎ極出力プラグブッシュ１４３２ｂに接続される、即ちオーストラリア標準プラグ５１６のＮ極ラッチ５１６ｂとＮ極出力プラグブッシュ１４３２ｂは対応して接続される。したがって、オーストラリア標準プラグ５１６のＬ極ラッチ５１６ａが電量の供給を受け、Ｌ極通路を介してＬ極出力プラグブッシュ１４３１ｂに伝達され、Ｎ極ラッチ５１６ｂが電量の供給を受け、Ｎ極通路を介してＮ極出力プラグブッシュ１４３２ｂに伝達され、「Ｌ ｆｉｒｅ/Ｎ ｚｅｒｏ」位置の確定を保証し、使用しない時に安全上の危険をなくす。
【０３８４】
以上の説明は、単なる本発明好ましい実施形態であり、本発明の実施形態及び範囲を限定するものではない。当業者であれば、本明細書及び図示された内容を用いてなされた同等の解決手段及び明らかな変形によって得られた技術案は、すべて本発明の保護範囲に含まれるものであることが理解できる。
【図１】
2019501506.tif 000003
【図２】
2019501506.tif 000004
【図３】
2019501506.tif 000005
【図４】
2019501506.tif 000006
【図５】
2019501506.tif 000007
【図６】
2019501506.tif 000008
【図７】
2019501506.tif 000009
【図８】
2019501506.tif 000010
【図９】
2019501506.tif 000011
【図１０】
2019501506.tif 000012
【図１１】
2019501506.tif 000013
【図１２】
2019501506.tif 000014
【図１３】
2019501506.tif 000015
【図１４】
2019501506.tif 000016
【図１５】
2019501506.tif 000017
【図１５ａ】
2019501506.tif 000018
【図１５ｂ】
2019501506.tif 000019
【図１６ａ】
2019501506.tif 000020
【図１６ｂ】
2019501506.tif 000021
【図１７】
2019501506.tif 000022
【図１８】
2019501506.tif 000023
【図１９ａ】
2019501506.tif 000024
【図１９ｂ】
2019501506.tif 000025
【図１９ｃ】
2019501506.tif 000026
【図１９ｄ】
2019501506.tif 000027
【図１９ｅ】
2019501506.tif 000028
【図１９ｆ】
2019501506.tif 000029
【図１９ｇ】
2019501506.tif 000030
【図２０】
2019501506.tif 000031
【図２１】
2019501506.tif 000032
【図２１ａ】
2019501506.tif 000033
【図２１ｂ】
2019501506.tif 000034
【図２２ａ】
2019501506.tif 000035
【図２２ｂ】
2019501506.tif 000036
【図２３】
2019501506.tif 000037
【図２４】
2019501506.tif 000038
【図２５】
2019501506.tif 000039
【図２６】
2019501506.tif 000040
【図２７】
2019501506.tif 000041
【図２８】
2019501506.tif 000042
【図２９ａ】
2019501506.tif 000043
【図２９ｂ】
2019501506.tif 000044
【図２９ｃ】
2019501506.tif 000045
【図２９ｄ】
2019501506.tif 000046
【図２９ｅ】
2019501506.tif 000047
【図２９ｆ】
2019501506.tif 000048
【図３０】
2019501506.tif 000049
【図３１】
2019501506.tif 000050
【図３２】
2019501506.tif 000051
【図３３】
2019501506.tif 000052
【図３４】
2019501506.tif 000053
【図３５】
2019501506.tif 000054
【図３６】
2019501506.tif 000055
【図３７】
2019501506.tif 000056
【図３８】
2019501506.tif 000057
【図３９】
2019501506.tif 000058
【図４０】
2019501506.tif 000059
【図４１】
2019501506.tif 000060
【図４２】
2019501506.tif 000061
【図４３】
2019501506.tif 000062
【図４４】
2019501506.tif 000063
【図４５】
2019501506.tif 000064
【図４６】
2019501506.tif 000065
【図４７】
2019501506.tif 000066
【図４８】
2019501506.tif 000067
【図４９】
2019501506.tif 000068
【図５０】
2019501506.tif 000069
【図５１】
2019501506.tif 000070
【図５２】
2019501506.tif 000071
【図５３】
2019501506.tif 000072
【図５４】
2019501506.tif 000073
【図５５】
2019501506.tif 000074
【図５６】
2019501506.tif 000075
【図５７】
2019501506.tif 000076
【図５８】
2019501506.tif 000077
【図５９】
2019501506.tif 000078
【図６０】
2019501506.tif 000079
【図６１】
2019501506.tif 000080
【図６２】
2019501506.tif 000081
【図６３】
2019501506.tif 000082
【図６４】
2019501506.tif 000083
【図６５】
2019501506.tif 000084
【図６６】
2019501506.tif 000085
【図６７】
2019501506.tif 000086
【図６８】
2019501506.tif 000087
【図６９】
2019501506.tif 000088
【図７０】
2019501506.tif 000089
【図７１】
2019501506.tif 000090
【図７２】
2019501506.tif 000091
【図７３】
2019501506.tif 000092
【図７４】
2019501506.tif 000093
【図７５】
2019501506.tif 000094
【図７６】
2019501506.tif 000095
【図７７】
2019501506.tif 000096
【図７８】
2019501506.tif 000097
【図７９】
2019501506.tif 000098
【図８０】
2019501506.tif 000099
【図８１】
2019501506.tif 000100
【図８２】
2019501506.tif 000101
【図８３】
2019501506.tif 000102
【図８４】
2019501506.tif 000103
【図８５】
2019501506.tif 000104
【図８６】
2019501506.tif 000105
【図８７】
2019501506.tif 000106
【図８８】
2019501506.tif 000107
【図８９】
2019501506.tif 000108
【図９０】
2019501506.tif 000109
【図９１】
2019501506.tif 000110
【図９２】
2019501506.tif 000111
【図９３】
2019501506.tif 000112
【図９４】
2019501506.tif 000113
【図９５】
2019501506.tif 000114
【図９６】
2019501506.tif 000115
【図９７】
2019501506.tif 000116
【図９８】
2019501506.tif 000117
【図９９】
2019501506.tif 000118
【図１００】
2019501506.tif 000119
【図１０１】
2019501506.tif 000120
【図１０２】
2019501506.tif 000121
【図１０３】
2019501506.tif 000122
【図１０４】
2019501506.tif 000123
【図１０５】
2019501506.tif 000124
【図１０６】
2019501506.tif 000125
【図１０７】
2019501506.tif 000126
【図１０８】
2019501506.tif 000127
【図１０９】
2019501506.tif 000128
【図１１０】
2019501506.tif 000129
【図１１１】
2019501506.tif 000130
【図１１２】
2019501506.tif 000131
【図１１３】
2019501506.tif 000132
【図１１４】
2019501506.tif 000133
【図１１５ａ】
2019501506.tif 000134
【図１１５ｂ】
2019501506.tif 000135
【図１１６ａ】
2019501506.tif 000136
【図１１６ｂ】
2019501506.tif 000137
【図１１７ａ】
2019501506.tif 000138
【図１１７ｂ】
2019501506.tif 000139
【図１１８】
2019501506.tif 000140
【図１１９】
2019501506.tif 000141
【図１２０】
2019501506.tif 000142
【図１２１】
2019501506.tif 000143
【図１２２】
2019501506.tif 000144
【図１２３】
2019501506.tif 000145
【図１２４】
2019501506.tif 000146
【図１２５】
2019501506.tif 000147
【図１２６】
2019501506.tif 000148
【図１２７】
2019501506.tif 000149
【図１２８】
2019501506.tif 000150
【図１２９】
2019501506.tif 000151
【図１３０】
2019501506.tif 000152
【図１３１】
2019501506.tif 000153
【図１３２】
2019501506.tif 000154
【図１３３】
2019501506.tif 000155
【図１３４】
2019501506.tif 000156
【図１３５】
2019501506.tif 000157
【図１３６】
2019501506.tif 000158
【図１３７】
2019501506.tif 000159
【図１３８】
2019501506.tif 000160
【図１３９】
2019501506.tif 000161
【図１４０】
2019501506.tif 000162
【図１４１】
2019501506.tif 000163
【図１４２】
2019501506.tif 000164
【図１４３】
2019501506.tif 000165
【図１４４】
2019501506.tif 000166
【図１４５】
2019501506.tif 000167
【図１４６】
2019501506.tif 000168
【図１４７】
2019501506.tif 000169
【図１４８】
2019501506.tif 000170
【図１４９】
2019501506.tif 000171
【図１５０】
2019501506.tif 000172
【図１５１】
2019501506.tif 000173
【図１５２】
2019501506.tif 000174
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
ケースと、プラグブッシュシートと、支持フレームと、ラッチモジュールと、を含み、前記プラグブッシュシートは前記ケース内に設けられ、前記支持フレームは前記プラグブッシュシートの下に位置し、且つ前記プラグブッシュシートと接続され、複数の前記ラッチモジュールはそれぞれ前記支持フレームに設けられる旅行用変換装置において、
前記支持フレームは垂直方向に前記プラグブッシュシートに固定接続され、且つ前記プラグブッシュシートに沿って水平方向に摺動することを特徴とする旅行用変換装置。
【請求項２】
前記プラグブッシュシートは位置決め上部ブロックを含み、前記プラグブッシュシートの底面に設けられ、
前記位置決め上部ブロックはさらに下部延長板と水平板とを含み、前記下部延長板は前記位置決め上部ブロックから下に延び、前記水平板は前記下部延長板における前記位置決め上部ブロックに接続されない一端に設けられ、水平に延長され、前記水平板と前記プラグブッシュシートの底面との間には中間層が形成され、
前記支持フレームは前記支持フレームの上端面に設けられる中空部をさらに含み、
前記中空部には位置決め下部ブロックが設けられ、前記位置決め下部ブロックは前記中間層に挿入され、前記支持フレームの前記上端面と面一であり、
前記位置決め下部ブロックの厚さは前記支持フレームの前記上端面の厚さより小さいことを特徴とする請求項１に記載の旅行用変換装置。
【請求項３】
前記プラグブッシュシートには、
前記プラグブッシュシートと前記支持フレームとの間に設けられ、前記支持フレームが摺動した後にリセットされることを可能にする、ばねである弾性装置と、
前記弾性装置を収容するためのばね室と、がさらに設けられ、
前記支持フレームの上端面には、前記弾性装置の一端を押すためのばねストッパーブロックが設けられることを特徴とする請求項１に記載の旅行用変換装置。
【請求項４】
前記支持フレームの上端面には下限位置バックルが設けられ、前記プラグブッシュシートの底面には前記下限位置バックルと適合する上限位置バックルが設けられることを特徴とする請求項１に記載の旅行用変換装置。
【請求項５】
前記ラッチモジュールはラッチベースとラッチとを含み、前記ラッチは前記ラッチベースに設けられ、
前記支持フレームにはさらに位置決めプレートが設けられ、前記位置決めプレートには高位の位置決めステップと低位の位置決めステップとが設けられ、前記低位の位置決めステップは前記高位の位置決めステップの下側に位置し、
前記ラッチベースは、前記高位の位置決めステップにまたは前記低位の位置決めステップに位置決めされることを特徴とする請求項１に記載の旅行用変換装置。
【請求項６】
前記ケースには開口が設けられ、前記支持フレームにはボタンが設けられ、前記ボタンは前記開口から引き出され、前記ボタンはユーザに押されることによって前記支持フレームを前記プラグブッシュシートに対して摺動させることを特徴とする請求項１に記載の旅行用変換装置。
【請求項７】
前記プラグブッシュシートにはＬ極プラグ、Ｎ極プラグ及びラッチが設けられ、前記プラグブッシュシートは外力によってＬ極プラグ、Ｎ極プラグ及びラッチを前記ケースの内部から引き出すまたは前記ケースの内部に収納するようにすることができ、
前記ラッチは前記プラグブッシュシートに対して折り曲げ可能であり、それによって前記ラッチが前記ケースから引き出される時に折り曲げられるようになることを特徴とする請求項１に記載の旅行用変換装置。
【請求項８】
プラグハウジングをさらに含み、前記ラッチモジュールは摺動自在に前記プラグハウジングに設けられ、前記ラッチモジュールと前記プラグハウジングとはプラグアセンブリを構成し、前記プラグアセンブリは前記ケースの内部に設けられて、前記ケースの下端面から引き出されることができ、
前記ラッチモジュールと前記プラグハウジングとの間には第１ロック部材が設けられ、前記第１ロック部材は、前記ラッチモジュールが前記プラグハウジングに対して摺動する時にロック機能またはロック解除機能を提供し、
前記プラグハウジングと前記ケースとの間には第２ロッキング部材が設けられ、前記第２ロック部材は、前記プラグハウジングが前記ケースに対して摺動する時にロック機能またはロック解除機能を提供し、
前記プラグアセンブリが摺動する際に、前記第１ロック部材と前記第２ロック部材は同時にロック状態にならず、また同時にロック解除状態にならず、
前記ラッチモジュールはラッチベースとラッチを含み、前記ラッチは前記ラッチベースに設けられることを特徴とする請求項１に記載の旅行用変換装置。
【請求項９】
前記ケースの一側面に固定して設けられ、複数の第１摺動路がそれぞれ設けられ、各上下に延びる前記第１摺動路にそれぞれ直交する位置制限プレートと、
前記第１摺動路と一対一で対応する複数のプラグと、
前記位置制限プレートに平行に設けられ、各前記第１摺動路と一対一で対応する第２摺動路がそれぞれ設けられたスライド式インターロックスライドプレートと、をさらに含み、
各前記プラグにスライドボタン及びロックガイドピラーがそれぞれ設けられ、前記スライドボタンは、対応する前記プラグの前記第１摺動路を貫通し、前記ロックガイドピラーは、対応する前記プラグの前記第２摺動路内に延び、前記第２摺動路に沿って上下に摺動することができ、前記ロックガイドピラーが摺動する時に前記インターロックスライドプレートをガイドして左右に摺動させ、
前記第１摺動路は全て直線形状のガイド溝の摺動路であり、前記第２摺動路は全て折れ線形状のガイド溝の摺動路であることを特徴とする請求項１に記載の旅行用変換装置。
【請求項１０】
前記ケースには、
それぞれ前記ケースの内部に設けられ、それぞれ端子を含み、少なくとも二つの異なる国の電源プラグ規格にそれぞれ対応するプラグと、
前記ケースに設けられ、前記プラグが操作可能に引き出され、又は前記ケースの内部に引き込まれる引き出し面と、
前記ケースに設けられ、前記引き出し面を覆い、異なる前記端子を伸縮させる第１貫通孔が設けられるカバープレートと、
前記引き出し面と前記カバープレートとの間に摺動自在に設けられ、摺動過程において前記プラグの前記端子をブロックすることで、毎回前記ケースから多くて一つの前記プラグを提供して前記第１貫通孔から引き出す摺動バッフルと、をさらに含むことを特徴とする請求項１に記載の旅行用変換装置。
【請求項１１】
前記ケースの側面にそれぞれ設けられ、上下に延びる複数の第１摺動路と、
前記ケースの内部にそれぞれ設けられ、対応する前記第１摺動路に沿って伸縮自在な、前記第１摺動路と一対一で対応する複数のプラグであって、各前記プラグには対応するプローブが設けられる複数のプラグと、
前記ケースの内部に設けられ、且つ前記プラグと対応する前記第１摺動路との間に位置し、前記プローブが前記第１摺動路から伸びることを阻止する感電防止遮断部材と、をさらに含むことを特徴とする請求項１に記載の旅行用変換装置。
【請求項１２】
前記ケースはプラグ分布面を有し、
前記ケース内には伸縮自在なプラグが設けられ、前記伸縮自在なプラグは前記プラグ分布面を介して前記ケース内外で伸縮し、
前記伸縮自在なプラグは接地極端子を有するイギリス標準プラグをさらに含み、接地極端子を有するアメリカ標準プラグまたは接地極端子を有するオーストラリア標準プラグをさらに含み、
前記アメリカ標準プラグまたはオーストラリア標準プラグは、全体的にイギリス標準プラグの前記接地極端子とＬＮ極端子との間に配置されることを特徴とする請求項１に記載の旅行用変換装置。
【請求項１３】
前記ラッチモジュールはラッチベース及びラッチを含み、前記ラッチは前記ラッチベースに設けられ、
前記支持フレームには接地極プラグブッシュと、前記ラッチのプラグとが設けられ、前記プラグは挿入及び抜き出し方向に沿って摺動し、
前記ラッチは、前記接地極プラグブッシュに固定される固定部分と、前記固定部分と摺動自在なソケット継手関係を形成するラッチヘッドと、を含み、
前記ラッチヘッドと、前記固定部分と前記接地極プラグブッシュとの間は、電気的に接続することを特徴とする請求項１に記載の旅行用変換装置。
【請求項１４】
前記ケースは前面カバーと背面カバーとを含み、前記前面カバーと前記背面カバーとは係合して空洞を形成し、前記空洞内には前記接地極プラグブッシュが設けられ、
前記プラグはアメリカ標準プラグおよび/またはヨーロッパ標準プラグを含み、
前記アメリカ標準プラグおよび/または前記ヨーロッパ標準プラグに適合する前記ラッチは伸縮式接地極ラッチであり、前記固定部分は導電ピラーを形成することを特徴とする請求項１に記載の旅行用変換装置。
【請求項１５】
前記プラグはオーストラリア標準プラグおよび/またはイギリス標準プラグをさらに含み、
前記オーストラリア標準プラグおよび/または前記イギリス標準プラグに適合する前記ラッチは非伸縮式接地極ラッチであり、前記ラッチは第１接続弾性片を介して導電板と挟まれ、電気的に接続され、
前記導電板と前記接地極プラグブッシュは電気的に接続されることを特徴とする請求項１４に記載の旅行用変換装置。
【請求項１６】
前記プラグはオーストラリア標準プラグおよび/またはイギリス標準プラグをさらに含み、前記オーストラリア標準プラグおよび/またはイギリス標準プラグに適合する前記ラッチは非伸縮式接地極ラッチであり、
前記非伸縮式接地極ラッチは第２接続弾性片を介していずれか一つの前記伸縮式接地極ラッチと挟まれ、電気的に接続され、
前記第２接続弾性片は導電板に固定されることを特徴とする請求項１４に記載の旅行用変換装置。
【請求項１７】
前記ラッチモジュールは、ラッチベース及びラッチを含み、前記ラッチは前記ラッチベースに設けられ、前記ラッチベースは前記ケースの内部の上側に設けられ、
前記ケースの内部にはプラグベースが設けられ、前記プラグベースは前記ラッチベースの下に設けられ、
前記ラッチは前記ラッチを前記ラッチベースに固定するガイドピラーを含み、前記ラッチは前記ガイドピラーにスリーブされ、
前記プラグベースにはＬＮ極端子が設けられ、前記ラッチと適合するバックルが更に設けられることを特徴とする請求項１に記載の旅行用変換装置。
【請求項１８】
前記ケースにはプラグが設けられ、前記プラグは分離可能に操作される接地極モジュールとＬＮ極モジュールとを含み、前記接地極モジュールは接地極ベースと前記接地極ベースに固定されるラッチを含み、前記ＬＮ極モジュールはＬＮ極ベースと前記ＬＮ極ベースに固定されるＬＮ極ラッチを含み、前記接地極ベースは前記ＬＮ極ベースの上に重ねられ、
前記プラグが第１使用状態にある場合、前記ＬＮ極モジュールは独立的に前記ケースから引き出され、
前記プラグが第２使用状態にある場合、前記接地極モジュールは前記ＬＮ極モジュールをガイドして前記ケースから引き出し、
前記プラグが収納状態にある場合、前記ＬＮ極モジュールは前記接地極モジュールを案内して摺動して前記ケースに引き込み、
さらにロックモジュールを含み、前記ロックモジュールは、
前記プラグが前記第１使用状態にある場合、それぞれ前記接地極モジュールを引き込み位置にロックし、前記ＬＮ極モジュールを引き出し位置にロックし、
前記プラグが前記第２使用状態にある場合、前記接地極モジュールと前記ＬＮ極モジュールとを共に引き出し位置にロックし、
前記プラグが前記収納状態にある場合、前記接地極モジュールと前記ＬＮ極モジュールとを共に引き込み位置にロックすることを特徴とする請求項１に記載の旅行用変換装置。
【請求項１９】
前記ケースには、
少なくとも一つのプラグと、
前記プラグが伸縮構造を介して操作可能に前記ケースから引き出され、又は前記ケースに引き込まれる引き出し面と、が、さらに設けられ、
前記伸縮構造はさらに前記ケースから引き出されるスライドボタンを含み、且つ前記ケースには前記スライドボタンを摺動させるためのガイド溝が設けられ、前記スライドボタンは、前記プラグが前記ケース内に引き込まれる第１位置と前記プラグが前記引き出し面から引き出される第２位置との間で摺動され、
前記ケース内には、
前記ガイド溝が位置する一側に設けられ、且つ摺動自在に前記ケース内に設けられ、前記ガイド溝を開閉する第１バッフルゲートと、
前記第１バッフルゲートと同じ側に設けられ、且つ摺動自在に前記ケースの内部に設けられ、前記ガイド溝を開閉する第２バッフルゲートと、
前記第１バッフルゲートと前記ケースとの間に設けられ、前記スライドボタンが前記第２位置に位置する場合、前記第１バッフルゲートを使用して前記第１バッフルゲートと前記ガイド溝とが対応する領域を閉塞する第１弾性部と、
前記第２バッフルゲートと前記ケースとの間に設けられ、前記スライドボタンが前記第１位置に位置する場合、前記第２バッフルゲートを使用して前記第２バッフルゲートと前記ガイド溝とが対応する領域を閉塞する第２弾性部とが、さらに設けられることを特徴とする請求項１に記載の旅行用変換装置。
【請求項２０】
前記ケース内には少なくとも一つのプラグが設けられ、前記プラグは伸縮構造を介して操作可能に前記ケースから引き出され、又は前記ケースに引き込まれ、
前記旅行用変換装置は、
前記プラグの数と対応する導電構造セットが設けられ、各前記導電構造セットはそれぞれＬ極導電構造及びＮ極導電構造を含み、全ての前記Ｌ極導電構造は第１Ｌ極接続点によって相互に接続され、全ての前記Ｎ極導電構造は第１Ｎ極接続点によって相互に接続される第１導電構造と、
少なくとも一つの出力プラグブッシュセットが設けられ、各前記出力プラグブッシュセットはそれぞれＬ極出力プラグブッシュとＮ極出力プラグブッシュとを含み、各前記Ｌ極出力プラグブッシュと前記第１Ｌ極接続点とは電気的に接続され、各前記Ｎ極出力プラグブッシュと前記第１Ｎ極接続点とは電気的に接続される第２導電構造と、をさらに含み、
各前記プラグは複数のラッチセットを含み、各前記ラッチセットはＬ極ラッチとＮ極ラッチを含み、各前記ラッチセットと前記導電構造セットとは一対一で対応し、
前記プラグが前記ケースから引き出される場合、前記Ｌ極ラッチは対応する前記導電構造セットの前記Ｌ極導電構造と電気的に接続され、前記Ｎ極ラッチは対応する前記導電構造セットの前記Ｎ極導電構造と電気的に接続されることを特徴とする請求項１に記載の旅行用変換装置。
【手続補正２】
【補正対象書類名】明細書
【補正対象項目名】００４４
【補正方法】変更
【補正の内容】
【００４４】
好ましくは、当該旅行用変換装置において、前記摺動バッフルはガイド構造に介して摺動自在に前記引き出し面に接続され、
前記ガイド構造は、
前記摺動バッフルの摺動方向に沿って前記引き出し面に設けられるスライド溝と、
前記摺動バッフルの前記引き出し面に対向する一面に設けられ、前記スライド溝内に摺動自在に嵌め込まれる摺動突起と、をさらに含む。
【手続補正３】
【補正対象書類名】明細書
【補正対象項目名】００４５
【補正方法】変更
【補正の内容】
【００４５】
好ましくは、当該旅行用変換装置において、前記摺動バッフルは、ガイド構造に介して摺動自在に前記カバープレートに接続され、
前記ガイド構造は、
前記摺動バッフルの摺動方向に対応し、前記カバープレート構造に平行に設けられる一対の対向して設けられる位置制限溝をさらに含み、
前記摺動バッフルの両側の縁は前記位置制限溝に摺動自在に嵌め込まれる。
【手続補正４】
【補正対象書類名】明細書
【補正対象項目名】００９９
【補正方法】変更
【補正の内容】
【００９９】
実施形態１
図１〜１３を参照すると、旅行用変換装置を提供する。当該旅行用変換装置は、ケース１０と、プラグブッシュシート１１と、支持フレーム７１（図７〜８）と、ラッチモジュール１２と、を含む。具体的に、前記プラグブッシュシート１１は、ケース１０内に設けられ、支持フレーム７１は、プラグブッシュシート１１の下に位置して、プラグブッシュシート１１に接続され、複数のラッチモジュール１２は、それぞれ支持フレーム７１に設けられる。
【手続補正５】
【補正対象書類名】明細書
【補正対象項目名】０１０１
【補正方法】変更
【補正の内容】
【０１０１】
実施形態２
前記技術案に基づいて、図１〜６を参照すると、前記ラッチモジュール１２は、ラッチベース１３及びラッチベース１３に設けられたラッチ１４を含む。前記支持フレーム７１には、位置決めプレート１５（図８〜９）が設けられており、当該位置決めプレート１５には、高位の位置決めステップ１６及び当該高位の位置決めステップ１６の下に位置する低位の位置決めステップ１７が設けられる。前記ラッチベース１３は、前記位置決めプレート１５にスリーブされ、前記高位の位置決めステップ１６に位置するまたは低位の位置決めステップ１７に位置することにより、位置決めされる。
【手続補正６】
【補正対象書類名】明細書
【補正対象項目名】０１０３
【補正方法】変更
【補正の内容】
【０１０３】
実施形態２Ａ
前記技術案に基づいて、前記ケース１０には、更に開口が設けられ、支持フレーム７１上の対応する位置にボタン１８（図８〜９）が設けられる。当該ボタン１８は開口を貫通して、開口から突出する。ユーザはボタン１８を押すことによって、支持フレーム７１をプラグブッシュシート１１に対して摺動させることができる。
【手続補正７】
【補正対象書類名】明細書
【補正対象項目名】０１１０
【補正方法】変更
【補正の内容】
【０１１０】
上記の説明によれば、本発明のある好ましい実施形態において、図１〜１３に示されるように、ラッチモジュール１２がケース１０内に収納されている場合には、ラッチベース１３は高位の位置決めステップ１６に掛けられることによって、ラッチベース１３がケース１０内に位置決めされ、ラッチ１４を引き出す場合には、まずボタン１８を押し、支持フレーム７１を内側に摺動させ、この時、ラッチベース１３を支持フレーム７１の高位の位置決めステップ１６から外して、スライドボタン１９によってラッチモジュール１２を下に摺動させ、ラッチ１４をケース１０外に引き出す。ラッチ１４が所定位置まで引き出された後、ボタン１８を放し、支持フレーム７１はばね７２によってリセットされる。この時、ラッチベース１３が低位の位置決めステップ１７に押し付けられることによって、ラッチモジュール１２がブロックされて位置決めされ、ラッチ１４はケース１０内に引き込まれない。ラッチ１４をケース１０内に再び収納する場合には、再度ボタン１８を押し、支持フレーム７１を内側に摺動させ、この時ラッチベース１３を支持フレーム７１の低位の位置決めステップ１７から外して、ラッチ１４が完全にケース１０内に収納されるまでスライドボタン１９によってラッチモジュール１２を上に摺動させる。この時、ボタン１８を放し、支持フレーム７１はばね７２によってリセットされる。この時、ラッチベース１３は高位の位置決めステップ１６に掛けられて、再び位置決めされる。
【手続補正８】
【補正対象書類名】明細書
【補正対象項目名】０１１２
【補正方法】変更
【補正の内容】
【０１１２】
実施形態６
前記技術案に基づいて、図１４〜１９ｇに示されるように、前記旅行用変換装置のケース１０（１０’）は、旅行用変換装置の外部にあり、前記プラグブッシュシート１１（１１’）にはＬ極プラグ、Ｎ極プラグ及びラッチが設けられ、プラグブッシュシートは外力によってＬ極プラグ１４１（１４１’）、Ｎ極プラグ１６１Ｂ（４’）及びラッチ１４（１４’）を動かして、ケース１０（１０’）内から引き出されるか、またはケース１０（１０’）内に収納される。ラッチ１４（１４’）はプラグブッシュシート１１（１１’）に対して折り曲げ可能であり、それによってラッチ１４（１４’）がケースから引き出される時に折り畳むことができる。
【手続補正９】
【補正対象書類名】明細書
【補正対象項目名】０１２９
【補正方法】変更
【補正の内容】
【０１２９】
実施形態１０
前記技術案に基づいて、図１９ｄの状態での使用が終了した後、図１９ｅ〜１９ｇの手順を参照して収納することができる。前記収納溝１９１ａは、弾性プラスチック構造または板ばねで構成することができる。弾性プラスチック構造または板ばねの設置によって、ラッチ１４がプラグ台座２にガイドされて旅行用変換装置に引き込まれる時に、ラッチ１４をより滑らかに摺動させることができる。また、収納溝１９１ａと接地極接続スリーブカバー１４２とが重なる部分に調整ガイド構造１９１ｅが設けられ、調整ガイド構造１９１ｅはバッフル構造であってもよく、収納過程において、ラッチ１４は、当該調整ガイド構造１９１ｅを通じて、ラッチ１４の内部弾性力により、自動的に調整ガイド機能を実現する。図１９ｇは、収納が完了され、ラッチ１４１が正常位置に調整されていることを示している。
【手続補正１０】
【補正対象書類名】明細書
【補正対象項目名】０１３９
【補正方法】変更
【補正の内容】
【０１３９】
実施形態１３
前記技術案に基づいて、図３０〜３８に示されるように、前記旅行用変換装置はプラグハウジング３１１をさらに含み、当該プラグハウジング３１１には、前記ラッチモジュール１２が設けられ、ラッチモジュール１２は、摺動自在にプラグハウジング３１１内に設けられる。当該ラッチモジュール１２とプラグハウジング３１１とによってプラグアセンブリ３０１が構成され、当該プラグアセンブリ３０１はケース１０内に設けられ、ケース１０の下端面から引き出される。
【手続補正１１】
【補正対象書類名】明細書
【補正対象項目名】０１４２
【補正方法】変更
【補正の内容】
【０１４２】
プラグアセンブリ３０１が摺動する際に、第２ロック部材がロック解除状態にある場合、第１ロック部材はロック状態にあるが、これに対して、第２ロック部材がロック状態にある場合、第１ロック部材はロック解除状態にある。即ち、第２ロック部材によってラッチモジュール１２とプラグハウジング３１１とがロックされる場合、第１ロック部材によってプラグハウジング３１１とケース１０とのロックが解除され、第２ロック部材によってラッチモジュール１２とプラグハウジング３１１とのロックが解除される場合、第１ロック部材によってプラグハウジング３１１とケース１０とがロックされる。換言すれば、プラグアセンブリ３０１の摺動の際に、第２ロック部材と第１ロック部材は同時にロック状態にならず、また同時にロック解除の状態にもならない。
【手続補正１２】
【補正対象書類名】明細書
【補正対象項目名】０１７０
【補正方法】変更
【補正の内容】
【０１７０】
図５２〜５４に示されるように、前記インターロックスライドプレート５１２には、若干の各第１摺動路５２１と一対一で対応する第２摺動路５４１が設けられる。インターロックスライドプレート５１２は、第１インターロックスライドプレート５３１と、第１インターロックスライドプレート５３１に平行な第２インターロックスライドプレート５３２と、及び第１インターロックスライドプレート５３１と第２インターロックスライドプレート５３２とを接続する接続プレートを含み、そして第２インターロックスライドプレート５３２は第１インターロックスライドプレート５３１と位置制限プレート５１１との間に設けられる。各第２摺動路５４１の内の一本の第２摺動路５４１は第２インターロックスライドプレート５３２に設けられ、他の第２摺動路５４１は第１インターロックスライドプレート５３１に設けられる。
【手続補正１３】
【補正対象書類名】明細書
【補正対象項目名】０１７１
【補正方法】変更
【補正の内容】
【０１７１】
前記第２摺動路５４１は、第２摺動路５４１の上端に設けられたロックステップ５４１ａ及びロックステップ５４１ａの下方に設けられた摺動路５４１ｂ、５４１ｃ、５４１ｄを含む。第２摺動路５４１の上端は上に延び、ロックステップ５４１ａの中部にロックガイドピラー５１７の入り口を形成する。ロックガイドピラー５１７入り口は、「Ｖ」字状である。第２摺動路５４１の上下両端の間には斜め摺動路５４１ｃがある。本実施形態における斜め摺動路５４１ｃは下記の二つの方法によって設けられる。
【手続補正１４】
【補正対象書類名】明細書
【補正対象項目名】０１７３
【補正方法】変更
【補正の内容】
【０１７３】
二番目の方法は、図５４に示されるように、各第２摺動路５４１において、少なくとも二本の第２摺動路５４１の斜め摺動路５４１ｃが互いに平行であり、且つ互いに平行な各斜め摺動路５４１ｃの内の任意の二本の斜め摺動路は長さが異なる。図５４において、当該インターロックスライドプレート５１２の内、左側の第２摺動路５４１の斜め摺動路５４１ｃは中央の第２摺動路５４１の斜め摺動路５４１ｃと交差し、右側の第２摺動路５４１の斜め摺動路５４１ｃと中央の第２摺動路５４１の斜め摺動路５４１ｃは互いに平行であるが、右側の第２摺動路５４１の斜め摺動路５４１ｃと中央の第２摺動路５４１の斜め摺動路５４１ｃは長さが異なる。
【手続補正１５】
【補正対象書類名】明細書
【補正対象項目名】０１７５
【補正方法】変更
【補正の内容】
【０１７５】
本実施形態のプラグは、ヨーロッパ標準プラグ５１３、アメリカ標準プラグ５１４、イギリス標準プラグ５１５及びオーストラリア標準プラグ５１６である。イギリス標準プラグ５１５は「Ｃ」字状であり、アメリカ標準プラグ５１４またはオーストラリア標準プラグ５１６を取り囲み、イギリス標準プラグ５１５に取り囲まれたアメリカ標準プラグ５１４またはオーストラリア標準プラグ５１６のロックガイドピラー５１７は、第２インターロックスライドプレート５３２の第２摺動路５４１内に延びている。
【手続補正１６】
【補正対象書類名】明細書
【補正対象項目名】０１８４
【補正方法】変更
【補正の内容】
【０１８４】
本実施形態のインターロックスライドプレート５１２は一つの板材で形成される、即ち、上述の技術案のインターロックスライドプレート５１２の内の第１インターロックスライドプレート５３１のみを使用することに相当する。
【手続補正１７】
【補正対象書類名】明細書
【補正対象項目名】０２１２
【補正方法】変更
【補正の内容】
【０２１２】
図６５と図７０に示されるように、摺動バッフル６１３は、突起４２を介して位置決めポイント６１７（３）に位置決めされ、この時、プラグ６３１（１）に対応する第１貫通孔は摺動バッフル６１３の右端によって一部が覆われ、プラグ６３１（１）の端子は引き出せない。プラグ６３１（２）に対応する第１貫通孔の内、開口６３２に重なる第１貫通孔は、摺動バッフル６１３によって一部が覆われて、プラグ６３１（２）の端子は引き出せない。プラグ６３１（３）に対応する第１貫通孔の内、開口６３２に重なる第１貫通孔は、摺動バッフル６１３によって一部が覆われ、プラグ６３１（３）の端子は引き出せない。プラグ６３１（４）に対応する第１貫通孔の内、開口６３２に重なる第１貫通孔は、摺動バッフル６１３の第２貫通孔６１５（２）の左上部の位置に対応し、プラグ６３１（４）の端子は引き出せる。したがって、この時、プラグ６３１（４）の端子のみがカバープレート６１２から引き出される。
【手続補正１８】
【補正対象書類名】明細書
【補正対象項目名】０２５６
【補正方法】変更
【補正の内容】
【０２５６】
前記二種類の伸縮式の接地極ラッチは、何れも導電ピラー１０４１及び伸縮自在なラッチヘッド１０４２を含む。第１伸長アーム１０１５は接地極プラグブッシュ１０１３に延長するように設けられ、アメリカ標準接地極ラッチ９７１の導電ピラー１０４１はねじによって接地極プラグブッシュ１０１３と物理的な固定接続及び電気的接続を実現し（したがって、接地極プラグブッシュ１０１３と固定接続された固定部分が形成される）、ヨーロッパ標準接地極ラッチ９８１の導電ピラー１０４１はねじによって第１伸長アーム１０１５と物理的な固定接続及び電気的接続を実現する（同じく、接地極プラグブッシュ１０１３と固定接続された固定部分が形成される）。
【手続補正１９】
【補正対象書類名】明細書
【補正対象項目名】０２６４
【補正方法】変更
【補正の内容】
【０２６４】
図１０９に示されるように、上部ハウジング１０６１の一端にラッチベース１３が設けられ、ラッチベース１３にはラッチが設けられ、更にガイドピラー１０６２が設けられる。
【手続補正２０】
【補正対象書類名】明細書
【補正対象項目名】０２８２
【補正方法】変更
【補正の内容】
【０２８２】
実施形態４５
前記技術案に基づいて、図１１５ａ、図１１６ａ、図１１７ａ及び図１２０〜１２１、図１２７〜１２９に示されるように、前記旅行用変換装置のケース１０にはプラグが設けられる。
前記プラグは、着脱自在な接地極モジュール１１５０ａとＬＮ極モジュール１１５１Ａとを含み、前記接地極モジュールは接地極ベース１１５２ａ及び接地極ベース１１５２ａに固定されるラッチ１４を含む。ＬＮ極モジュール１１５１ａはＬＮ極ベース１１５３ａ及びＬＮ極ベース１１５３ａに固定されるＬＮ極ラッチ１１５５ａ具体的に、Ｌ極ラッチ１１５４ａとＮ極ラッチ１１５５ａ）を含み（、接地極ベース１１５２ａはＬＮ極ベース１１５３ａの上に重ねられている。ここで、接地極ベースがＬＮ極ベース１１５３ａの上に重なった状態（図１２２〜１２３及び図１３０〜１３１に示す）では、ＬＮ極ベース１１５３ａには接地極ベース１１５２ａと係合するスロットが設けられてもよく、接地極ベース１１５２ａは少なくとも一部が当該スロットに収容され、接地極ベース１１５２ａがＬＮ極ベース１１５３ａの上に重なるようにして、連動引き出しと連動引き込みを実現することができる。連動引き出しと連動引き込みのメカニズムについては以下で詳しく説明する。
【手続補正２１】
【補正対象書類名】明細書
【補正対象項目名】０２８３
【補正方法】変更
【補正の内容】
【０２８３】
プラグが第１使用状態にある場合、ＬＮ極モジュール１１５１ａは独立的にケース１０から引き出される。
プラグが第２使用状態にある場合、接地極モジュール１１５０ａは前記ＬＮ極モジュール１１５１ａをガイドしてケース１０から引き出す。ここで、接地極ベース１１５２ａがＬＮ極ベース１１５３ａの上に重なって連動を実現することにより、接地極モジュール１１５０ａが下にスライドしてケース１０から引き出される場合、ＬＮ極モジュール１１５１ａと一緒に摺動してケース１０から引き出され、これにより連動引き出しが実現される。
プラグが収納状態にある場合、ＬＮ極モジュール１１５１ａは接地極モジュールをガイドしてケース１０に引き込まれる。ここで、接地極ベースがＬＮ極ベース１１５３ａの上に重なって連動を実現することにより、ＬＮ極モジュール１１５１ａが上にスライドしてケース１０に引き込まれる場合、接地極モジュール１１５０ａと一緒に摺動してケース１０に引き込まれ、これにより連動引き込みが実現される。
【国際調査報告】
2019501506.tif 000175
2019501506.tif 000176
2019501506.tif 000177
2019501506.tif 000178
2019501506.tif 000179
2019501506.tif 000180